(57)【要約】  一定の実施形態によれば、無線デバイスにおける方法は、検出参照信号の第１のタイプに関する第１の設定情報を第１のネットワークノードから受信することを含む。検出参照信号の第２のタイプに関する第２の設定情報は、第２のネットワークノードから受信される。可変セル識別遅延または可変測定遅延は、第１の設定情報および第２の設定情報に基づいて判定される。少なくとも１つの第１の測定は、第１のタイプの検出参照信号に対して行われる。少なくとも１つの第２の測定は、第２のタイプの検出参照信号に対して行われる。１つまたは複数の動作タスクは、少なくとも１つの第１の測定および少なくとも１つの第２の測定に基づいて行われる。【選択図】図６
2020516148.tif 000002
【特許請求の範囲】
【請求項１】
無線デバイス（１１０）における方法（６００）であって、
検出参照信号の第１のタイプに関する第１の設定情報を第１のネットワークノード（１１５）から受信することと、
検出参照信号の第２のタイプに関する第２の設定情報を第２のネットワークノード（１１５）から受信することと、
前記第１の設定情報および第２の設定情報に基づいてセル識別遅延または測定遅延を判定することであって、前記セル識別遅延または測定遅延が可変である、セル識別遅延または測定遅延を判定することと、
前記第１のタイプの検出参照信号に対して少なくとも１つの第１の測定を行うことと、
第２のタイプの検出参照信号に対して少なくとも１つの第２の測定を行うことと、
前記少なくとも１つの第１の測定および前記少なくとも１つの第２の測定に基づいて１つまたは複数の動作タスクを行うことと
を含む、方法（６００）。
【請求項２】
前記１つまたは複数の動作タスクが、
前記セル識別遅延または測定遅延に応じて、前記少なくとも１つの第１の測定または前記少なくとも１つの第２の測定の結果を前記第１のネットワークノードまたは前記第２のネットワークノードにレポートすることと、
前記無線デバイスの位置を判定することと、
セル変更を行うことと、
無線リンク監視を行うことと、
受信機設定を最適化することと、
前記結果をログに記録することと
のうちの少なくとも１つを含む、請求項１に記載の方法。
【請求項３】
前記少なくとも１つの第２の測定が、前記セル識別遅延に対応する期間の中で行われるセルの識別、または前記測定遅延に対応する期間の中で行われる測定を含む、請求項１または２に記載の方法。
【請求項４】
前記セル識別遅延または測定遅延を判定することが、前記第１のタイプの前記検出参照信号のサブフレーム設定期間が閾値を超えるときに、デフォルトのセル識別遅延またはデフォルトの測定遅延を増加させることを含む、請求項１から３のいずれか一項に記載の方法。
【請求項５】
前記デフォルトのセル識別遅延を増加させることが、前記第１のタイプの前記検出参照信号に対する前記測定が、前記第２のタイプの前記検出参照信号に対する前記測定より優先度が高いときに、前記第１のタイプの前記検出参照信号に対する前記測定を行うために前記デフォルトのセル識別遅延を増加させることを含む、請求項４に記載の方法。
【請求項６】
前記第２のタイプの前記検出参照信号に対する前記測定が、前記第１の設定情報と関連付けられた測定ギャップにおいて行われる、請求項１から５のいずれか一項に記載の方法。
【請求項７】
前記第２の設定情報と関連付けられた前記測定ギャップにおいて前記第１のタイプの前記検出参照信号に対する前記測定を行う能力の指示を前記第１のネットワークノードに送信すること
をさらに含む、請求項６に記載の方法。
【請求項８】
前記第１のタイプの前記検出参照信号と関連付けられた帯域幅が、サービングキャリア上の少なくとも１つのセルの帯域幅より小さいと判定することに応答して、前記第１のタイプの前記検出参照信号に対する前記測定が、前記第２の設定情報と関連付けられた前記測定ギャップにおいて行われる、請求項６または７に記載の方法。
【請求項９】
測定ギャップ設定と検出参照信号の前記第１のタイプの設定の関数であるパラメータによって、デフォルトのセル識別遅延またはデフォルトの測定遅延を増加させることをさらに含む、請求項８に記載の方法。
【請求項１０】
前記測定ギャップ設定および検出参照信号の前記第１のタイプの前記設定が、測定ギャップ周期および検出参照信号の前記第１のタイプの周期を含む、請求項９に記載の方法。
【請求項１１】
前記第１のタイプの前記検出参照信号と関連付けられた帯域幅がサービングキャリアの帯域幅に等しいと判定することに応答して、前記第１のタイプの前記検出参照信号に対する前記少なくとも１つの第１の測定が、測定ギャップがない状態で行われる、請求項８から１０のいずれか一項に記載の方法。
【請求項１２】
前記第１のタイプの前記検出参照信号と関連付けられた帯域幅がサービングキャリア上の全てのセルの帯域幅に等しいと判定することに応答して、前記第１のタイプの前記検出参照信号に対する前記少なくとも１つの測定が、第１のセルからデータまたは制御信号を受信するために前記無線デバイスによって使用される帯域幅の中で行われる、請求項１から７のいずれか一項に記載の方法。
【請求項１３】
前記第１のタイプの前記検出参照信号が、位置決定参照信号である、請求項１から１２のいずれか一項に記載の方法。
【請求項１４】
前記セル識別遅延または測定遅延が、検出参照信号の前記第１のタイプに関するものである、請求項１から１３のいずれか一項に記載の方法。
【請求項１５】
検出参照信号の第１のタイプに関する第１の設定情報を第１のネットワークノード（１１５）から受信することと、
検出参照信号の第２のタイプに関する第２の設定情報を第２のネットワークノード（１１５）から受信することと、
前記第１の設定情報および第２の設定情報に基づいてセル識別遅延または測定遅延を判定することであって、前記セル識別遅延または測定遅延が可変である、セル識別遅延または測定遅延を判定することと、
前記第１のタイプの検出参照信号に対して少なくとも１つの測定を行うことと、
第２のタイプの検出参照信号に対して少なくとも１つの測定を行うことと、
前記少なくとも１つの第１の測定および前記少なくとも１つの第２の測定に基づいて１つまたは複数の動作タスクを行うことと
を行うように動作可能な処理回路（２２０）
を備える、無線デバイス（１１０）。
【請求項１６】
前記１つまたは複数の動作タスクが、
前記セル識別遅延または測定遅延に応じて、前記少なくとも１つの第１の測定または前記少なくとも１つの第２の測定の結果を前記第１のネットワークノードまたは前記第２のネットワークノードにレポートすることと、
前記無線デバイスの位置を判定することと、
セル変更を行うことと、
無線リンク監視を行うことと、
受信機設定を最適化することと、
前記結果をログに記録することと
のうちの少なくとも１つを含む、請求項１５に記載の無線デバイス。
【請求項１７】
前記少なくとも１つの第２の測定が、前記セル識別遅延に対応する期間の中で行われるセルの識別、または前記判定された測定遅延に対応する期間の中で行われる測定を含む、請求項１５または１６に記載の無線デバイス。
【請求項１８】
前記セル識別遅延または測定遅延を判定するとき、前記処理回路が、前記第１のタイプの前記検出参照信号のサブフレーム設定期間が閾値を超えるときに、デフォルトのセル識別遅延を増加させるように動作可能な、請求項１５から１７のいずれか一項に記載の無線デバイス。
【請求項１９】
前記デフォルトのセル識別遅延を増加させるとき、前記処理回路が、前記第２のタイプの前記検出参照信号に対する前記測定が、前記第１のタイプの前記検出参照信号に対する前記測定より優先度が高いときに、前記第１のタイプの前記検出参照信号に対する前記測定を行うために前記デフォルトのセル識別遅延を増加させるように動作可能な、請求項１８に記載の無線デバイス。
【請求項２０】
前記第２のタイプの前記検出参照信号に対する前記測定が、前記第１の設定情報と関連付けられた測定ギャップにおいて行われる、請求項１５から１９のいずれか一項に記載の無線デバイス。
【請求項２１】
前記処理回路が、
前記第２の設定情報と関連付けられた前記測定ギャップにおいて前記第１のタイプの前記検出参照信号に対する前記測定を行う能力の指示を前記第１のネットワークノードに送信すること
を行うように動作可能な、請求項２０に記載の無線デバイス。
【請求項２２】
前記第１のタイプの前記検出参照信号と関連付けられた帯域幅が、サービングキャリア上の少なくとも１つのセルの帯域幅より小さいと判定することに応答して、前記第１のタイプの前記検出参照信号に対する前記測定が、前記第２の設定情報と関連付けられた前記測定ギャップにおいて行われる、請求項２０または２１に記載の無線デバイス。
【請求項２３】
測定ギャップ設定と検出参照信号の前記第１のタイプの設定の関数であるパラメータによって、デフォルトのセル識別遅延またはデフォルトの測定遅延を増加させることをさらに含む、請求項２２に記載の無線デバイス。
【請求項２４】
前記測定ギャップ設定および検出参照信号の前記第１のタイプの前記設定が、測定ギャップ周期および検出参照信号の前記第１のタイプの周期を含む、請求項２３に記載の無線デバイス。
【請求項２５】
前記第１のタイプの前記検出参照信号と関連付けられた帯域幅がサービングキャリアの帯域幅に等しいと判定することに応答して、前記第１のタイプの前記検出参照信号に対する前記少なくとも１つの第１の測定が、測定ギャップがない状態で行われる、請求項２２から２４のいずれか一項に記載の無線デバイス。
【請求項２６】
前記第１のタイプの前記検出参照信号と関連付けられた帯域幅がサービングキャリア上の全てのセルの帯域幅に等しいと判定することに応答して、前記第１のタイプの前記検出参照信号に対する前記少なくとも１つの第１の測定が、第１のセルからデータまたは制御信号を受信するために前記無線デバイスによって使用される帯域幅の中で行われる、請求項１５から２５のいずれか一項に記載の無線デバイス。
【請求項２７】
検出参照信号の前記第１のタイプが、位置決定参照信号である、請求項１５から２６のいずれか一項に記載の無線デバイス。
【請求項２８】
前記セル識別遅延または測定遅延が、検出参照信号の前記第１のタイプに関するものである、請求項１５から２７のいずれか一項に記載の無線デバイス。
【請求項２９】
ネットワークノード（１１５）における方法（９００）であって、
検出参照信号の第１のタイプに関する第１の設定情報を無線デバイス（１１０）に送信することと、
前記第１の設定情報および第２の設定情報に基づいてセル識別遅延または測定遅延を判定することであって、前記第２の設定情報が、前記無線デバイスによって受信されることになる検出参照信号の第２のタイプに関するものであり、前記セル識別遅延または測定遅延が可変である、セル識別遅延または測定遅延を判定することと、
前記判定されたセル識別遅延または測定遅延に基づいて、検出参照信号の前記第１のタイプに対して行われた測定の結果を前記無線デバイスから受信することと
を含む、方法（９００）。
【請求項３０】
前記セル識別遅延または測定遅延を判定することが、前記第１のタイプの前記検出参照信号のサブフレーム設定期間が閾値を超えるときに、デフォルトのセル識別遅延を増加させることを含む、請求項２９に記載の方法。
【請求項３１】
前記デフォルトのセル識別遅延を増加させることが、前記第１のタイプの前記検出参照信号に対する前記測定が、前記第２のタイプの前記検出参照信号に対する前記測定より優先度が高いときに、前記第１のタイプの前記検出参照信号に対する前記測定を行うために前記デフォルトのセル識別遅延を増加させることを含む、請求項３０に記載の方法。
【請求項３２】
前記第２のタイプの前記検出参照信号に対する前記測定が、前記第１の設定情報と関連付けられた測定ギャップにおいて前記無線デバイスによって行われる、請求項２９から３１のいずれか一項に記載の方法。
【請求項３３】
前記第１の設定情報と関連付けられた前記測定ギャップにおいて前記第２のタイプの前記検出参照信号に対する前記測定を行うために、前記無線デバイスによる能力の指示を前記無線デバイスから受信すること
をさらに含む、請求項３２に記載の方法。
【請求項３４】
前記第１のタイプの前記検出参照信号と関連付けられた帯域幅が、サービングキャリア上の少なくとも１つのセルの帯域幅より小さい、請求項３２または３３に記載の方法。
【請求項３５】
検出参照信号の前記第１のタイプが、位置決定参照信号である、請求項２９から３４のいずれか一項に記載の方法。
【請求項３６】
前記セル識別遅延または測定遅延が、検出参照信号の前記第１のタイプに関するものである、請求項２９から３５のいずれか一項に記載の方法。
【請求項３７】
前記セル識別遅延または測定遅延を判定することが、前記第２のタイプの前記検出参照信号のサブフレーム設定期間が閾値を超えるときに、デフォルトのセル識別遅延を増加させることを含む、請求項２９から３６のいずれか一項に記載の方法。
【請求項３８】
前記デフォルトのセル識別遅延を増加させることが、前記第２のタイプの前記検出参照信号に対する前記測定が、前記第１のタイプの前記検出参照信号に対する前記測定より優先度が高いときに、前記第２のタイプの前記検出参照信号に対する前記測定を行うために前記デフォルトのセル識別遅延を増加させることを含む、請求項３７に記載の方法。
【請求項３９】
前記第１のタイプの前記検出参照信号に対する前記測定が、前記第２の設定情報と関連付けられた測定ギャップにおいて前記無線デバイスによって行われる、請求項２９および３７から３８のいずれか一項に記載の方法。
【請求項４０】
前記第２の設定情報と関連付けられた前記測定ギャップにおいて前記第１のタイプの前記検出参照信号に対する前記測定を行うために、前記無線デバイスによる能力の指示を前記無線デバイスから受信すること
をさらに含む、請求項３９に記載の方法。
【請求項４１】
前記第２のタイプの前記検出参照信号と関連付けられた帯域幅が、サービングキャリア上の少なくとも１つのセルの帯域幅より小さい、請求項３９または４０に記載の方法。
【請求項４２】
検出参照信号の前記第２のタイプが、位置決定参照信号である、請求項２９および３７から４１のいずれか一項に記載の方法。
【請求項４３】
前記セル識別遅延または測定遅延が、検出参照信号の前記第２のタイプに関するものである、請求項２９および３７から４２のいずれか一項に記載の方法。
【請求項４４】
検出参照信号の第１のタイプに関する第１の設定情報を無線デバイス（１１０）に送信することと、
前記第１の設定情報および第２の設定情報に基づいて、セル識別遅延または測定遅延を判定することであって、前記第２の設定情報が、前記無線デバイスによって受信されることになる検出参照信号の第２のタイプに関するものであり、前記セル識別遅延または測定遅延が可変である、セル識別遅延または測定遅延を判定することと、
前記判定されたセル識別遅延または測定遅延に基づいて、検出参照信号の前記第１のタイプおよび参照信号の前記第２のタイプに対して行われた測定の結果を前記無線デバイスから受信することと
を行うように動作可能な処理回路（７２０）
を備える、ネットワークノード（１１５）。
【請求項４５】
前記セル識別遅延または測定遅延を判定するとき、前記処理回路が、前記第１のタイプの前記検出参照信号のサブフレーム設定期間が閾値を超えるときに、デフォルトのセル識別遅延を増加させるように動作可能な、請求項４４に記載のネットワークノード。
【請求項４６】
前記デフォルトのセル識別遅延を増加させるとき、前記処理回路が、前記第１のタイプの前記検出参照信号に対する前記測定が、前記第２のタイプの前記検出参照信号に対する前記測定より優先度が高いときに、前記第２のタイプの前記検出参照信号に対する前記測定を行うために前記デフォルトのセル識別遅延を増加させるように動作可能な、請求項４５に記載のネットワークノード。
【請求項４７】
前記第２のタイプの前記検出参照信号に対する前記測定が、前記第１の設定情報と関連付けられた測定ギャップにおいて前記無線デバイスによって行われる、請求項４４から４６のいずれか一項に記載のネットワークノード。
【請求項４８】
前記処理回路が、
前記第２の設定情報と関連付けられた前記測定ギャップにおいて前記第２のタイプの前記検出参照信号に対する前記測定を行うために、前記無線デバイスによる能力の指示を前記無線デバイスから受信すること
を行うように動作可能な、請求項４７に記載のネットワークノード。
【請求項４９】
前記第１のタイプの前記検出参照信号と関連付けられた帯域幅が、サービングキャリア上の少なくとも１つのセルの帯域幅より小さい、請求項４７または４８に記載のネットワークノード。
【請求項５０】
検出参照信号の前記第１のタイプが、位置決定参照信号である、請求項４４から４９のいずれか一項に記載のネットワークノード。
【請求項５１】
前記セル識別遅延または測定遅延が、検出参照信号の前記第１のタイプに関するものである、請求項４４から５０のいずれか一項に記載のネットワークノード。
【請求項５２】
前記セル識別遅延または測定遅延を判定することが、前記第２のタイプの前記検出参照信号のサブフレーム設定期間が閾値を超えるときに、デフォルトのセル識別遅延を増加させることを含む、請求項４４に記載のネットワークノード。
【請求項５３】
前記デフォルトのセル識別遅延を増加させることが、前記第２のタイプの前記検出参照信号に対する前記測定が、前記第１のタイプの前記検出参照信号に対する前記測定より優先度が高いときに、前記第２のタイプの前記検出参照信号に対する前記測定を行うために前記デフォルトのセル識別遅延を増加させることを含む、請求項５２に記載のネットワークノード。
【請求項５４】
前記第１のタイプの前記検出参照信号に対する前記測定が、前記第２の設定情報と関連付けられた測定ギャップにおいて前記無線デバイスによって行われる、請求項４４および５２から５３のいずれか一項に記載のネットワークノード。
【請求項５５】
前記第２の設定情報と関連付けられた前記測定ギャップにおいて前記第１のタイプの前記検出参照信号に対する前記測定を行うために、前記無線デバイスによる能力の指示を前記無線デバイスから受信すること
をさらに含む、請求項５４に記載のネットワークノード。
【請求項５６】
前記第２のタイプの前記検出参照信号と関連付けられた帯域幅が、サービングキャリア上の少なくとも１つのセルの帯域幅より小さい、請求項５４または５５に記載のネットワークノード。
【請求項５７】
検出参照信号の前記第２のタイプが、位置決定参照信号である、請求項４４および５２から５６のいずれか一項に記載のネットワークノード。
【請求項５８】
前記セル識別遅延または測定遅延が、検出参照信号の前記第２のタイプに関するものである、請求項４４および５２から５７のいずれか一項に記載のネットワークノード。
【発明の詳細な説明】
【技術分野】
【０００１】
本開示は一般に無線通信に関し、より詳細には、異なるタイプの同一周波数内（ｉｎｔｒａ−ｆｒｅｑｕｅｎｃｙ）測定の間のギャップ共有を制御するための方法およびシステムに関する。
【背景技術】
【０００２】
マシン型通信（ＭＴＣ：Ｍａｃｈｉｎｅ−ｔｙｐｅ  ｃｏｍｍｕｎｉｃａｔｉｏｎ）デバイスは、低コストかつ低複雑性のものであることが期待される。マシンツーマシン（Ｍ２Ｍ）動作に対して予想される低複雑性のユーザ機器（ＵＥ：ｕｓｅｒ  ｅｑｕｉｐｍｅｎｔ）は、より小さいダウンリンクおよびアップリンクの最大トランスポートブロックサイズ（例えば１０００ビット）、ならびに／またはデータチャネル（例えば物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ））のための低減されたダウンリンクチャネル帯域幅１．４ＭＨｚのような、１つまたは複数の低コスト特性を実装することができる。低コストＵＥは、半二重周波数分割複信（ＨＤ−ＦＤＤ：ｈａｌｆ−ｄｕｐｌｅｘ  ｆｒｅｑｕｅｎｃｙ  ｄｉｖｉｓｉｏｎ  ｄｕｐｌｅｘｉｎｇ）、ならびに、ＵＥにおける単一受信機（１Ｒｘ：ｓｉｎｇｌｅ  ｒｅｃｅｉｖｅｒ）と、より小さいダウンリンクおよび／またはアップリンクの最大トランスポートブロックサイズ（例えば１０００ビット）と、データチャネルのための低減されたダウンリンクチャネル帯域幅１．４ＭＨｚと、という、さらなる特徴の１つまたは複数からなることも可能である。低コストＵＥは、低複雑性ＵＥと呼ばれることもある。
【０００３】
Ｍ２Ｍデバイスと基地局の間の経路損失は、建物の地階などの遠隔地にあるセンサまたは計量デバイスとして使用されるときなどのいくつかのシナリオにおいて非常に大きくなる可能性がある。このようなシナリオにおいて、基地局からの信号の受信は非常にむずかしい。例えば、経路損失は、通常のセルラーネットワーク動作と比較して２０ｄＢより悪くなる可能性がある。このような難題に対処するために、アップリンクおよび／またはダウンリンクにおけるカバレッジは、かなり拡張されなければならない。これは、カバレッジを拡張するために、ＵＥおよび／または無線ネットワークノードにおける１つまたは複数の先進的技法を用いることによって実現される。このような先進的技法のいくつかの非限定的な例は、送信電力を増強すること、送信信号を繰り返すこと、追加の冗長性を送信信号に適用すること、先進的な／拡張型の受信機を使用すること、などである（が、これらに限定されない）。一般に、このようなカバレッジ拡張技法を用いるとき、Ｍ２Ｍは、「カバレッジ拡張モード」で動作するものとみなされる。
【０００４】
例えば１Ｒｘおよび／または限定された帯域幅を有するＵＥなどの低複雑性ＭＴＣ  ＵＥは、カバレッジ拡張型モードＢ（ＣＥＭｏｄｅＢ：ｃｏｖｅｒａｇｅ  ｅｎｃｈａｎｃｅｄ  ｍｏｄｅ  Ｂ）としても知られる、動作の拡張型カバレッジモードをサポートする能力がある可能性もある。動作の通常のカバレッジモードは、カバレッジ拡張型モードＡ（ＣＥＭｏｄｅＡ：ｃｏｖｅｒａｇｅ  ｅｎｈａｎｃｅｄ  ｍｏｄｅ  Ａ）とも呼ばれる。
【０００５】
カバレッジ拡張レベルの設定
ｅＭＴＣまたはＦｅＭＴＣ  ＵＥは、ＣＥＭｏｄｅＡまたはＣＥＭｏｄｅＢという２つの可能なカバレッジモードのうちの１つでＲＲＣを介して設定されることが可能である。これらは、カバレッジ拡張レベルと呼ばれることもある。ＣＥＭｏｄｅＡおよびＣＥＭｏｄｅＢは、ＴＳ３６．３３１  ｖ１３．３．２における以下のＲＲＣメッセージの中でシグナリングされるような、ダウンリンク（ＤＬ：ｄｏｗｎｌｉｎｋ）および／またはアップリンク（ＵＬ：ｕｐｌｉｎｋ）の物理チャネルにおいて使用される様々な数の反復と関連付けられる。
2020516148.tif 000003
ｐｄｓｃｈ−ｍａｘＮｕｍＲｅｐｅｔｉｔｉｏｎＣＥｍｏｄｅＡは、ＣＥモードＡに対するＰＤＳＣＨの反復数のセットを示し、ｐｄｓｃｈ−ｍａｘＮｕｍＲｅｐｅｔｉｔｉｏｎＣＥｍｏｄｅＢは、ＣＥモードＢに対するＰＤＳＣＨの反復数のセットを示す。
2020516148.tif 000004
しかし、ＵＥが、ＣＥＭｏｄｅＡおよびＣＥＭｏｄｅＢのいずれでも設定されない場合、ＴＳ３６．２１１  ｖ１３．２．０に従って、ＵＥは、以下のＣＥレベル設定を仮定する。
−  物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）カバレッジ拡張（ＣＥ：ｃｏｖｅｒａｇｅ  ｅｎｈａｎｃｅｍｅｎｔ）レベルが０もしくは１の場合、ＵＥは、ＣＥＭｏｄｅＡを仮定する、または
−  ＰＲＡＣＨカバレッジ拡張（ＣＥ）レベルが２もしくは３の場合、ＵＥは、ＣＥＭｏｄｅＢを仮定する
ＵＥは、ＤＬ無線測定（例えば参照信号受信電力（ＲＳＲＰ：ｒｅｆｅｒｅｎｃｅ  ｓｉｇｎａｌ  ｒｅｃｅｉｖｅｄ  ｐｏｗｅｒ））を、ネットワークノードによってＵＥにシグナリングされる１つまたは複数の閾値と比較することによって、ランダムアクセス手順の間に４つの可能なＣＥレベル（０、１、２、および３）のうちの１つを判定する。
【０００６】
狭帯域のモノのインターネット（ＮＢ−ＩＯＴ：Ｎａｒｒｏｗ  Ｂａｎｄ  Ｉｎｔｅｒｎｅｔ  ｏｆ  Ｔｈｉｎｇｓ）
狭帯域のモノのインターネット（ＮＢ−ＩＯＴ）は、改善された屋内のカバレッジ、多量の低スループットデバイスへのサポート、低遅延感度、超低デバイスコスト、低デバイス消費電力、および（最適化された）ネットワークアーキテクチャに取り組む、Ｅ−ＵＴＲＡの下位互換性のない変形物に大部分は基づく、セルラーのモノのインターネット（ＩＯＴ：Ｉｎｔｅｒｎｅｔ  ｏｆ  Ｔｈｉｎｇｓ）のための無線アクセスである。
【０００７】
ＮＢ−ＩＯＴのキャリア帯域幅（Ｂｗ２）は、２００ＫＨｚである。ロングタームエボリューション（ＬＴＥ：Ｌｏｎｇ  Ｔｅｒｍ  Ｅｖｏｌｕｔｉｏｎ）の動作帯域幅（Ｂｗ１）の例は、１．４ＭＨｚ、３ＭＨｚ、５ＭＨｚ、１０ＭＨｚ、１５ＭＨｚ、２０ＭＨｚなどである。
【０００８】
ＮＢ−ＩｏＴは、３つの異なる導入シナリオをサポートする。
１．１つまたは複数のグローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）キャリアの置換えとして、例えば、グローバルシステムフォーコミュニケーションズエッジ無線アクセスネットワーク（ＧＥＲＡＮ：Ｇｌｏｂａｌ  Ｓｙｓｔｅｍｓ  ｆｏｒ  Ｍｏｂｉｌｅ  Ｃｏｍｍｕｎｉｃａｔｉｏｎｓ  Ｅｄｇｅ  Ｒａｄｉｏ  Ａｃｃｅｓｓ  Ｎｅｔｗｏｒｋ）システムによって現在使用されているスペクトルを利用する「スタンドアロン動作」。原則として、これは、別のシステムのキャリア内にも、別のシステムの動作キャリアの保護帯域内にもない、任意の搬送周波数上で動作する。他のシステムは、別のＮＢ−ＩＯＴ動作、またはＬＴＥなどの他の任意の無線アクセス技術（ＲＡＴ：ｒａｄｉｏ  ａｃｃｅｓｓ  ｔｅｃｈｎｏｌｏｇｙ）であることが可能である。
２．ＬＴＥキャリアの保護帯域内の未使用のリソースブロックを利用する「保護帯域動作」。保護帯域という用語は、保護帯域幅と入れ替えて呼ばれることも可能である。例として、２０ＭＨｚのＬＴＥのＢＷ（すなわちＢｗ１＝２０ＭＨｚまたは１００個のＲＢ）のケースにおいて、ＮＢ−ＩＯＴの保護帯域動作は、２０ＭＨｚのＬＴＥのＢＷ内ではあるが、中心の１８ＭＨｚの外側のどこかに置くことができる。
３．通常のＬＴＥキャリア内のリソースブロックを利用する「帯域内動作」。帯域内動作は、帯域幅内動作と入れ替えて呼ばれることが可能である。より一般には、別のＲＡＴのＢＷ内の１つのＲＡＴの動作は、帯域内動作とも呼ばれる。例として、５０個のＲＢのＬＴＥのＢＷ（すなわちＢｗ１＝１０ＭＨｚまたは５０個のＲＢ）において、５０個のＲＢ内の１つのリソースブロック（ＲＢ：ｒｅｓｏｕｒｃｅ  ｂｌｏｃｋ）上でのＮＢ−ＩＯＴの動作は、帯域内動作と呼ばれる。
【０００９】
ＮＢ−ＩＯＴにおいて、ダウンリンク送信は、１５ｋＨｚのサブキャリア間隔、ならびにスタンドアロン、保護帯域、および帯域内というシナリオ全てのための旧式のＬＴＥのためのものと同じシンボルおよびサイクリックプレフィックス期間を有する、直交周波数分割多重（ＯＦＤＭ）に基づく。ＵＬ送信については、１５ｋＨｚのサブキャリア間隔に基づく両方のマルチトーン送信がサポートされる。
【００１０】
ＮＢ−ＩｏＴにおいて、アンカーおよび非アンカーキャリアが規定される。アンカーキャリアにおいて、ＵＥは、ＮＰＳＳ／ＮＳＳＳ／ＮＰＢＣＨ／ＳＩＢ−ＮＢがダウンリンク上で送信されることを仮定する。非アンカーキャリアにおいて、ＵＥは、ＮＰＳＳ／ＮＳＳＳ／ＮＰＢＣＨ／ＳＩＢ−ＮＢがダウンリンク上で送信されることを仮定しない。アンカーキャリアは、あらゆるフレームにおいてサブフレーム＃０、＃４、＃５上で、また１つおきのフレームにおいてサブフレーム＃９上で送信される。ＮＰＢＣＨ／ＳＩＢ−ＮＢを送信するアンカーキャリアはＮＲＳも収める。非アンカーキャリアは、ＮＲＳ、ならびにＮＰＤＣＣＨおよびＮＰＤＳＣＨなどのＵＥ固有信号を収める。非アンカーキャリアは、アンカーキャリアを収めるサブフレーム以外の任意のサブフレームにおいて送信されることが可能である。
【００１１】
測定ギャップ
テーブル１において下記に示されるように、２つの測定ギャップパターンが、Ｒｅｌ−８（３６．１３３）以来、３ＧＰＰのＬＴＥにおいて指定されてきた。しかし、（例えば、より短い長さの）多くの測定パターンが、３ＧＰＰにおいて、拡張型測定ギャップ作業項目の中に指定されているところである。
2020516148.tif 000005
従来、このような測定ギャップは、異周波数間（ｉｎｔｅｒ−ｆｒｅｑｕｅｎｃｙ）測定およびＲＡＴ間（ｉｎｔｅｒ−ＲＡＴ）測定のために使用されてきた。
【００１２】
ＭＴＣのためのさらなる拡張（ＦｅＭＴＣ：ｆｕｒｔｈｅｒ  ｅｎｈａｎｃｅｍｅｎｔｓ  ｆｏｒ  ＭＴＣ）において、既存の測定ギャップは、一次同期信号（ＰＳＳ：ｐｒｉｍａｒｙ  ｓｙｎｃｈｒｏｎｉｚａｔｉｏｎ  ｓｉｇｎａｌ）および／または二次同期信号（ＳＳＳ：ｓｅｃｏｎｄａｒｙ  ｓｙｎｃｈｒｏｎｉｚａｔｉｏｎ  ｓｉｇｎａｌ）を受信するために、帯域幅を限定されたＵＥが中心物理リソースブロック（ＰＲＢ：ｐｈｙｓｉｃａｌ  ｒｅｓｏｕｒｃｅ  ｂｌｏｃｋ）に再同調する必要があるので、同一周波数内測定と異周波数間測定との間で共有されるが、システム帯域幅の他の部分においてデータを受信するように設定されることが可能である。同一周波数内と異周波数間の間のギャップ共有は、ネットワークによって制御されることが可能である。より具体的には、ネットワークは、同一周波数内測定のために仮定される（Ｘと表される）ギャップの割合を設定することができ、ギャップの残りの割合（１−Ｘ）は、異周波数間測定のために仮定される。ＲＡＮ４は、（２ビットがシグナリングに対して必要になることを意味する）Ｘについての４つの値（例えば、５０％、６０％、７０％、および８０％がＲＡＮ４＃８２ｂｉｓにおいて提案される予定である）を有する必要性を見いだす。Ｘについての正確な値は、ＴＳ３６．１３３において規定される予定であるが、まだ合意されていない。
【００１３】
ＦｅＭＴＣにおいて、既存の測定ギャップは、ＰＳＳ／ＳＳＳを読み、ＲＳＲＰ測定および／または参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）測定も行うために、ＵＥが中心ＰＲＢに再同調する必要があるので、同一周波数内測定と異周波数間測定との間で共有される。ＵＥは、観察される到達時間差（ＯＴＤＯＡ：Ｏｂｓｅｒｖｅｄ  Ｔｉｍｅ  Ｄｉｆｆｅｒｅｎｔ  ｏｆ  Ａｒｒｉｖａｌ）位置決定のための参照信号時間差（ＲＳＴＤ：Ｒｅｆｅｒｅｎｃｅ  Ｓｉｇｎａｌ  Ｔｉｍｅ  Ｄｉｆｆｅｒｅｎｃｅ）測定をサポートするためのギャップも必要とする。同一周波数内ＲＳＴＤ測定は、無線リソース管理（ＲＲＭ：Ｒａｄｉｏ  Ｒｅｓｏｕｒｃｅ  Ｍａｎａｇｅｍｅｎｔ）測定とギャップを共有しなければならない可能性がある。既存のルールは、ＲＳＴＤ測定とＲＲＭ測定の間のギャップ共有を許容しない。
【発明の概要】
【００１４】
既存の解決策と共に前述の問題に対処するために、異なるタイプの同一周波数内測定の間のギャップ共有を制御するための方法およびシステムが開示される。一定の実施形態において、システムおよび方法は、ユーザ機器（ＵＥ）を含むことができる無線デバイス、および／もしくはｅＮｏｄｅＢ（ｅＮＢ）を含むことができるネットワークノードの中に、またはこれらに無線デバイスおよび／もしくはネットワークノードよって実装されることが可能である。
【００１５】
一定の実施形態によれば、無線デバイスにおける方法は、検出参照信号の第１のタイプに関する第１の設定情報を第１のネットワークノードから受信することを含む。検出参照信号の第２のタイプに関する第２の設定情報は、第２のネットワークノードから受信される。可変セル識別遅延または可変測定遅延は、第１の設定情報および第２の設定情報に基づいて判定される。少なくとも１つの第１の測定は、第１のタイプの検出参照信号に対して行われる。少なくとも１つの第２の測定は、第２のタイプの検出参照信号に対して行われる。１つまたは複数の動作タスクは、少なくとも１つの第１の測定および少なくとも１つの第２の測定に基づいて行われる。
【００１６】
一定の実施形態によれば、無線デバイスは、検出参照信号の第１のタイプに関する第１の設定情報を第１のネットワークノードから、および検出参照信号の第２のタイプに関する第２の設定情報を第２のネットワークノードから、受信するように設定された処理回路を含むことができる。可変セル識別遅延または可変測定遅延は、第１の設定情報および第２の設定情報に基づいて判定される。少なくとも１つの第１の測定は、第１のタイプの検出参照信号に対して行われる。少なくとも１つの第２の測定は、第２のタイプの検出参照信号に対して行われる。１つまたは複数の動作タスクは、少なくとも１つの第１の測定および少なくとも１つの第２の測定に基づいて行われる。
【００１７】
一定の実施形態によれば、ネットワークノードにおける方法は、検出参照信号の第１のタイプに関する第１の設定情報を無線デバイスに送信することを含むことができる。セル識別遅延または測定遅延は、第１の設定情報および第２の設定情報に基づいて判定される。第２の設定情報は、無線デバイスによって受信されることになる検出参照信号の第２のタイプに関するものであり、セル識別遅延または測定遅延は可変である。判定されたセル識別遅延または測定遅延に基づいて、検出参照信号の第１のタイプに対して行われた測定の結果は、無線デバイスから受信される。
【００１８】
一定の実施形態によれば、ネットワークノードは、検出参照信号の第１のタイプに関する第１の設定情報を無線デバイスに送信するように設定された処理回路を含むことができる。セル識別遅延または測定遅延は、第１の設定情報および第２の設定情報に基づいて判定される。第２の設定情報は、無線デバイスによって受信されることになる検出参照信号の第２のタイプに関するものであり、セル識別遅延または測定遅延は可変である。判定されたセル識別遅延または測定遅延に基づいて、検出参照信号の第１のタイプに対して行われた測定の結果は、無線デバイスから受信される。
【００１９】
本開示の一定の実施形態は、１つまたは複数の技術的長所をもたらすことができる。例えば、一定の実施形態は、測定ギャップが同一周波数内測定に対しても必要とされるときに、同一周波数内測定を行う可能性を与えること、およびもたらすことができる。別の例として、一定の実施形態は、様々な要求事項または優先度／重要性と関連付けられることも可能な、異なるタイプの同一周波数内測定の間の測定ギャップを共有する可能性を与えること、およびもたらすことができる。さらに別の例として、一定の実施形態は、サービングセルに対する測定のためにギャップ共有を動的にさらに制御する可能性を与えること、および、またはもたらすことができる。
【００２０】
他の長所は、当業者には容易に明らかになる可能性がある。一定の実施形態は、列挙された長所のいくつか、または全てを有することも、１つも有さないことも可能である。
【００２１】
開示の実施形態ならびにこれらの特徴および長所のより完全な理解のために、これから添付の図面と併せて以下の説明に対し、参照が行われる。
【図面の簡単な説明】
【００２２】
【図１】一定の実施形態による、異なるタイプの同一周波数内測定の間のギャップ共有を制御するための無線ネットワークの例を示す図である。
【図２】一定の実施形態による、異なるタイプの同一周波数内測定の間のギャップ共有を制御するための無線デバイスの例を示す図である。
【図３】一定の実施形態による、異なるタイプの同一周波数内測定の間のギャップ共有を制御するための無線デバイスによる方法の例を示す図である。
【図４】一定の実施形態による、図３の一定のステップによって行われる手順のフローチャートの例を示す図である。
【図５】一定の実施形態による、手順Ｍ１および手順Ｍ２のための周波数ドメインにおける帯域幅割当の例を示す図である。
【図６】一定の実施形態による、異なるタイプの同一周波数内測定の間のギャップ共有を制御するための無線デバイスによる方法の別の例を示す図である。
【図７】一定の実施形態による、異なるタイプの同一周波数内測定の間のギャップ共有を制御するためのネットワークノードの例を示す図である。
【図８】一定の実施形態による、異なるタイプの同一周波数内測定の間のギャップ共有を制御するためのネットワークノードによる方法の例を示す図である。
【図９】一定の実施形態による、異なるタイプの同一周波数内測定の間のギャップ共有を制御するためのネットワークノードによる方法の別の例を示す図である。
【図１０】一定の実施形態による、例示的な無線ネットワークコントローラまたはコアネットワークノードを示す図である。
【図１１】２つの異なる異周波数間キャリアの間で測定ギャップが等しく共有される設定の例を示す図である。
【図１２】位置決定参照信号の帯域幅がセルの帯域幅と同じであるシナリオを示す図である。
【図１３】位置決定参照信号の帯域幅がセルの帯域幅より小さいシナリオを示す図である。
【図１４】ＲＳＴＤ測定と、同一周波数内ＲＲＭ測定と、異周波数間ＲＲＭ測定との間の既存の測定ギャップの共有を示す図である。
【発明を実施するための形態】
【００２３】
本開示の特定の実施形態は、異なるタイプの同一周波数内測定の間のギャップ共有を制御するための方法およびシステムを提供することができる。特定の実施形態は、図面の図１〜図１０の中で説明され、様々な図面の同様の部分および対応する部分に対して同様の番号が使用される。
【００２４】
一定の実施形態によれば、ユーザ機器（ＵＥ）測定手順がＵＥに提供され、ＵＥの無線周波数帯域幅（ＲＦ  ＢＷ）＜一定のマージンによる（例えば、ＵＥのＢＷ＝１．４ＭＨｚ、セル１のＢＷ＝５ＭＨｚ、といった少なくともＸ  ＭＨｚ、による）サービングセル（セル１）のＢＷ、であり、ここで、検出参照信号（ＤＲＳ：ｄｉｓｃｏｖｅｒｙ  ｒｅｆｅｒｅｎｃｅ  ｓｉｇｎａｌ）のＢＷ≦サービングキャリアのセルのＢＷ、である。後者のケースにおいて、ｉ）検出参照信号（ＤＲＳ）のＢＷ＝サービングキャリア（Ｆ１）のセルのＢＷ、の場合、ＵＥは、第１の測定、および／またはＤＲＳ信号に対して測定を行うためのレポート手順（Ｍ１）を適用する、ｉｉ）ＤＲＳのＢＷ＜Ｆ１上の少なくとも１つのセルのセルのＢＷ、の場合、ＵＥは、第２の測定、および／またはＤＲＳ信号に対して測定を行うためのレポート手順（Ｍ２）を適用する。手順Ｍ１において、ＵＥは、セル１からのデータ受信のために使用されるＵＥのＢＷの中でＤＲＳに対する測定を行う一方で、手順Ｍ２において、ＵＥは、測定ギャップの間にＤＲＳに対する測定を行う。さらに、手順Ｍ２において、測定ギャップは、ＤＲＳ信号の別のタイプに対して行われる少なくとももう１つの測定と共有される。ＵＥが測定を行う方式、およびＵＥが必要とする測定機会の数は、ＵＥがいつ、またどのように測定結果をレポートするかにも影響を及ぼす。ルールは、事前規定されること、またはネットワークノードによって設定されることが可能である。ＤＲＳ信号の例は、位置決定参照信号（ＰＲＳ：ｐｏｓｉｔｉｏｎｉｎｇ  ｒｅｆｅｒｅｎｃｅ  ｓｉｇｎａｌ）、チャネル状態情報参照信号（ＣＳＩ−ＲＳ：ｃｈａｎｎｅｌ  ｓｔａｔｅ  ｉｎｆｏｒｍａｔｉｏｎ−ｒｅｆｅｒｅｎｃｅ  ｓｉｇｎａｌ）、一次同期信号（ＰＳＳ）、二次同期信号（ＳＳＳ）、セル固有参照信号（ＣＲＳ：ｃｅｌｌ−ｓｐｅｃｉｆｉｃ  ｒｅｆｅｒｅｎｃｅ  ｓｉｇｎａｌ）、復調用参照信号（ＤＭ−ＲＳ）、などである。別の例において、ＤＲＳは、設定可能な、または事前規定された周期性を有する任意の周期信号、または時間ドメインパターンに基づく信号であることが可能である。
【００２５】
一定の実施形態によれば、サービングキャリアに対する異なる測定タイプの間のギャップを共有することに加えて、同じギャップが、異周波数間測定とさらに共有されることが可能である。例えば、いくつかの実施形態において、設定されたギャップからの全てではないがいくつかのギャップだけが、サービングキャリアに対する任意の測定に利用可能であるということが仮定されることが可能である。サービングキャリアに対する共有は、サービングキャリアに対して残る利用可能なギャップの最上位に、下記で説明されるように適用されることが可能である。
【００２６】
いくつかの実施形態において、より一般的な用語「ネットワークノード」が使用され、これは、無線ネットワークノードのいずれかのタイプ、またはＵＥおよび／もしくは別のネットワークノードと通信する任意のネットワークノードに対応することができる。ネットワークノードの例は、ＮｏｄｅＢ、マスタｅＮｏｄｅＢ（ＭｅＮＢ：ｍａｓｔｅｒ  ｅＮｏｄｅＢ）、セカンダリｅＮｏｄｅＢ（ＳｅＮＢ：ｓｅｃｏｎｄａｒｙ  ｅＮｏｄｅＢ）、マスタセルグループ（ＭＣＧ：ｍａｓｔｅｒ  ｃｅｌｌ  ｇｒｏｕｐ）またはセカンダリセルグループ（ＳＣＧ：ｓｅｃｏｎｄａｒｙ  ｃｅｌｌ  ｇｒｏｕｐ）に属すネットワークノード、基地局（ＢＳ：ｂａｓｅ  ｓｔａｔｉｏｎ）、ＭＳＲ  ＢＳなどのマルチスタンダード無線（ＭＳＲ：ｍｕｌｔｉ−ｓｔａｎｄａｒｄ  ｒａｄｉｏ）の無線ノード、ｅＮｏｄｅＢ、ｇＮｏｄｅＢ、ネットワークコントローラ、無線ネットワークコントローラ（ＲＮＣ）、基地局コントローラ（ＢＳＣ）、中継局、ドナーノードを制御する中継局、ベーストランシーバ基地局（ＢＴＳ）、アクセスポイント（ＡＰ）、送信ポイント、送信ノード、リモートラジオユニット（ＲＲＵ：ｒｅｍｏｔｅ  ｒａｄｉｏ  ｕｎｉｔ）、リモート無線ヘッド（ＲＲＨ：ｒｅｍｏｔｅ  ｒａｄｉｏ  ｈｅａｄ）、分散アンテナシステム（ＤＡＳ）内ノード、コアネットワークノード（例えば、モバイル交換局（ＭＳＣ：ｍｏｂｉｌｅ  ｓｗｉｔｃｈｉｎｇ  ｃｅｎｔｅｒ）、移動管理エンティティ（ＭＭＥ：ｍｏｂｉｌｉｔｙ  ｍａｎａｇｅｍｅｎｔ  ｅｎｔｉｔｙ）など）、運用保守（Ｏ＆Ｍ：ｏｐｅｒａｔｉｏｎ  ＆  ｍａｉｎｔｅｎａｎｃｅ）、オペレーションサポートシステム（ＯＳＳ：ｏｐｅｒａｔｉｏｎ  ｓｕｐｐｏｒｔ  ｓｙｓｔｅｍ）、自己組織化ネットワーク（ＳＯＮ：ｓｅｌｆ−ｏｒｇａｎｉｚｉｎｇ  ｎｅｔｗｏｒｋｓ）、位置決定ノード（例えば、拡張型サービングモバイルロケーションセンタ（Ｅ−ＳＭＬＣ：ｅｎｈａｎｃｅｄ  ｓｅｒｖｉｎｇ  ｍｏｂｉｌｅ  ｌｏｃａｔｉｏｎ  ｃｅｎｔｅｒ））、ドライブテストの最小化（ＭＤＴ：Ｍｉｎｉｍｉｚａｔｉｏｎ  ｏｆ  Ｄｒｉｖｅ  Ｔｅｓｔ）、テスト機器（物理ノードまたはソフトウェア）、などである。
【００２７】
いくつかの実施形態において、ユーザ機器（ＵＥ）または無線デバイスという非限定的な用語が使用され、これは、セルラーまたは移動体通信システムにおけるネットワークノードおよび／または別のＵＥと通信する無線デバイスのいずれかのタイプを指す。ＵＥの例は、ターゲットデバイス、デバイスツーデバイス（Ｄ２Ｄ：ｄｅｖｉｃｅ  ｔｏ  ｄｅｖｉｃｅ）ＵＥ、マシン型ＵＥまたはマシンツーマシン（Ｍ２Ｍ）通信の能力のあるＵＥ、パーソナルデジタルアシスタント（ＰＤＡ）、ＰＡＤ、タブレット、モバイル端末、スマートフォン、ラップトップ組込型機器（ＬＥＥ）、ラップトップ搭載型機器（ＬＭＥ）、ユニバーサルシリアルバス（ＵＳＢ：Ｕｎｉｖｅｒｓａｌ  Ｓｅｒｉａｌ  Ｂｕｓ）ドングル、近傍サービスＵＥ（ＰｒｏＳｅ  ＵＥ：ｐｒｏｘｉｍｉｔｙ  ｓｅｒｖｉｃｅ  ＵＥ）、車両対車両ＵＥ（Ｖ２Ｖ  ＵＥ：ｖｅｈｉｃｌｅ−ｔｏ−ｖｅｈｉｃｌｅ  ＵＥ）、車両対何かＵＥ（Ｖ２Ｘ  ＵＥ：ｖｅｈｉｃｌｅ−ｔｏ−ａｎｙｔｈｉｎｇ）、などである。
【００２８】
本実施形態は、ＬＴＥについて説明される。しかし、本実施形態は、任意の無線アクセス技術（ＲＡＴ）またはマルチＲＡＴシステムに適用可能であり、ここで、ＵＥは、例えば、ＬＴＥの周波数分割複信（ＦＤＤ：Ｆｒｅｑｕｅｎｃｙ  Ｄｉｖｉｓｉｏｎ  Ｄｕｐｌｅｘｉｎｇ）／時分割複信（ＴＤＤ：Ｔｉｍｅ  Ｄｉｖｉｓｉｏｎ  Ｄｕｐｌｅｘｉｎｇ）、広帯域符号分割多重化アクセス（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）／高速パケットアクセス（ＨＳＰＡ：Ｈｉｇｈ  Ｓｐｅｅｄ  Ｐａｃｋｅｔ  Ａｃｃｅｓｓ）、グローバルシステムフォーモバイルコミュニケーションズ（ＧＳＭ）／グローバルシステムフォーモバイルコミュニケーションズエッジ無線アクセスネットワーク（ＧＥＲＡＮ）、ＷｉＦｉ、無線ローカルエリアネットワーク（ＷＬＡＮ：ｗｉｒｅｌｅｓｓ  ｌｏｃａｌ  ａｒｅａ  ｎｅｔｗｏｒｋ）、ＣＤＭＡ２０００、５Ｇ、ＮＲ、などといった信号（例えばデータ）を受信および／または送信する。
【００２９】
本明細書で使用される用語「無線測定」（別名、測定）は、無線信号に対して行われる任意の測定を指すことができる。無線信号の例は、検出参照信号（ＤＲＳ）である。ＤＲＳの例は、ＰＲＳ、ＣＲＳ、ＣＳＩ−ＲＳ、ＰＳＳ、ＳＳＳなどである。別の例において、ＤＲＳは、設定可能な、もしくは事前規定された周期性を有する任意の周期信号、または時間ドメインパターンに基づく信号であることが可能である。別のより狭くかつ具体的な例において、ＤＲＳ信号は、３ＧＰＰ  ３６．２１１において指定されるようなものである。無線測定は、絶対的または相対的であることが可能である。無線測定は、例えば、同一周波数内、異周波数間、ＣＡ、などであることが可能である。無線測定は、一定方向（例えばダウンリンク（ＤＬ）もしくはアップリンク（ＵＬ））、または双方向（例えば、往復時間（ＲＴＴ：ｒｏｕｎｄ−ｔｒｉｐ−ｔｉｍｅ）、受信機−送信機（Ｒｘ−Ｔｘ：ｒｅｃｅｉｖｅｒ−ｔｒａｎｓｍｉｔｔｅｒ）など）であることが可能である。無線測定のいくつかの例は、タイミング測定（例えば、到達時間（ＴＯＡ）、タイミングアドバンス、ＲＴＴ、参照信号時間差（ＲＳＴＤ）、システムフレーム数およびサブフレームタイミング差（ＳＳＴＤ）、Ｒｘ−Ｔｘ、伝搬遅延など）、角度測定（例えば到達角度）、電力ベースの測定（例えば、受信信号電力、参照信号受信電力（ＲＳＲＰ）、受信信号品質、参照信号品質（ＲＳＲＱ）、信号対干渉比（ＳＩＮＲ）、信号対雑音比（ＳＮＲ）、干渉電力、全干渉および雑音、受信信号強度指標（ＲＳＳＩ）、雑音電力、チャネル品質情報（ＣＱＩ）、チャネル状態情報（ＣＳＩ）、事前符号化行列指標（ＰＭＩ）など）、セル検出またはセル識別、ビーム検出またはビーム識別、無線リンク監視（ＲＬＭ：ｒａｄｉｏ  ｌｉｎｋ  ｍｏｎｉｔｏｒｉｎｇ）、システム情報読取り、などである。
【００３０】
本明細書で説明される実施形態は、例えば、ＲＲＣ接続（ＲＲＣ＿ＣＯＮＮＥＣＴＥＤ）、またはＲＲＣアイドル（ＲＲＣ＿ＩＤＬＥ）などの任意の無線リソース制御（ＲＲＣ）状態に適用することができる。
【００３１】
本明細書で使用される用語「測定時間」は、測定機会の数、受信機会の数、測定機会または受信機会の相関的要素、秒またはミリ秒などの時間単位における絶対時間、受信サンプルの数、測定遅延、少なくとも測定時間を含む測定レポート遅延などのいずれかをさらに含むことができる。
【００３２】
図１は、一定の実施形態による、異なるタイプの同一周波数内測定の間のギャップ共有を制御するための無線ネットワーク１００を示す。ネットワーク１００は、無線デバイス１１０またはＵＥ１１０と入れ替えて呼ばれることが可能な１つまたは複数の無線デバイス１１０Ａ−Ｃ、およびネットワークノード１１５またはｅＮｏｄｅＢ１１５と入れ替えて呼ばれることが可能なネットワークノード１１５Ａ−Ｃを含む。無線デバイス１１０は、無線インターフェースを越えてネットワークノード１１５と通信することができる。例えば、無線デバイス１１０Ａは、ネットワークノード１１５の１つもしくは複数に無線信号を送信すること、および／またはネットワークノード１１５の１つもしくは複数から無線信号を受信することができる。無線信号は、音声トラフィック、データトラフィック、制御信号、および／または他の任意の適切な情報を含むことができる。いくつかの実施形態において、ネットワークノード１１５と関連付けられた無線信号カバレッジのエリアは、セルと呼ばれることが可能である。いくつかの実施形態において、無線デバイス１１０は、Ｄ２Ｄ能力を有することができる。したがって、無線デバイス１１０は、別の無線デバイス１１０との間で、直接的に信号を受信すること、および／または信号を送信する能力があることが可能である。例えば、無線デバイス１１０Ａは、無線デバイス１１０Ｂとの間で、信号を受信すること、および／または信号を送信する能力があることが可能である。
【００３３】
一定の実施形態において、ネットワークノード１１５は、無線ネットワークコントローラ（図１には描写されていない）とインターフェースすることができる。無線ネットワークコントローラは、ネットワークノード１１５を制御することができ、一定の無線リソース管理機能、移動管理機能、および／または他の適切な機能を行うことができる。一定の実施形態において、無線ネットワークコントローラの機能は、ネットワークノード１１５に含まれることが可能である。無線ネットワークコントローラは、コアネットワークノードとインターフェースすることができる。一定の実施形態において、無線ネットワークコントローラは、相互接続ネットワークを介してコアネットワークノードとインターフェースすることができる。相互接続ネットワークは、オーディオ、ビデオ、信号、データ、メッセージ、または前述のいずれかの組合せを送信することができる任意の相互接続システムを指すことができる。相互接続ネットワークは、公衆交換電話網（ＰＳＴＮ）、パブリックもしくはプライベートデータネットワーク、ローカルエリアネットワーク（ＬＡＮ）、メトロポリタンエリアネットワーク（ＭＡＮ）、広域ネットワーク（ＷＡＮ）、インターネットなどの、ローカルな、地域の、もしくはグローバルな通信もしくはコンピュータネットワーク、有線もしくは無線ネットワーク、企業イントラネット、またはこれらの組合せを含む他の任意の適切な通信リンクの全てまたは一部を含むことができる。
【００３４】
いくつかの実施形態において、コアネットワークノードは、無線デバイス１１０のための通信セッションおよび他の様々な機能の確立を管理することができる。無線デバイス１１０は、非アクセス層のレイヤを使用して、コアネットワークノードと一定の信号を交換することができる。非アクセス層のシグナリングにおいて、無線デバイス１１０とコアネットワークノードとの間の信号は、無線アクセスネットワークを透過的に通過することが可能である。一定の実施形態において、ネットワークノード１１５は、ノード間インターフェースを越えて１つまたは複数のネットワークノードとインターフェースすることができる。例えば、ネットワークノード１１５Ａおよび１１５Ｂは、Ｘ２インターフェースを越えてインターフェースすることができる。
【００３５】
上述のように、ネットワーク１００の実施形態の例は、１つまたは複数の無線デバイス１１０、および無線デバイス１１０と（直接的または間接的に）通信することができるネットワークノードの１つまたは複数の異なるタイプを含むことができる。無線デバイス１１０は、セルラーまたは移動体通信システムにおけるノードおよび／または別の無線デバイスと通信する無線デバイスの任意のタイプを指すことができる。無線デバイス１１０の例は、ターゲットデバイス、デバイスツーデバイス（Ｄ２Ｄ）対応デバイス、マシン型通信（ＭＴＣ）デバイスもしくはマシンツーマシン（Ｍ２Ｍ）通信を行うことができる他のＵＥ、携帯電話もしくは他の端末、スマートフォン、ＰＤＡ（パーソナルデジタルアシスタント）、携帯型コンピュータ（例えば、ラップトップ、タブレット）、センサ、モデム、ラップトップ内蔵機器（ＬＥＥ）、ラップトップ搭載型機器（ＬＭＥ）、ＵＳＢドングル、ＰｒｏＳｅ  ＵＥ、Ｖ２Ｖ  ＵＥ、Ｖ２Ｘ  ＵＥ、ＭＴＣ  ＵＥ、ｅＭＴＣ  ＵＥ、ＦｅＭＴＣ  ＵＥ、ＵＥ  Ｃａｔ０、ＵＥ  Ｃａｔ  Ｍ１、狭帯域のモノのインターネット（ＮＢ−ＩｏＴ）ＵＥ、ＵＥ  Ｃａｔ  ＮＢ１、または無線通信を行うことができる別のデバイスを含む。無線デバイス１１０は、いくつかの実施形態において、ＵＥ、ステーション（ＳＴＡ）、デバイス、または端末と呼ばれることも可能である。同様に、いくつかの実施形態において、総称「無線ネットワークノード」（または単に「ネットワークノード」）が使用される。これは、ネットワークノードのいずれかの種類であることが可能であり、ＮｏｄｅＢ、基地局（ＢＳ）、ＭＳＲ  ＢＳなどのマルチスタンダード無線機（ＭＳＲ）無線ノード、ｅＮｏｄｅＢ、ＭｅＮＢ、ＳｅＮＢ、ＭＣＧまたはＳＣＧに属すネットワークノード、ネットワークコントローラ、無線ネットワークコントローラ（ＲＮＣ）、基地局コントローラ（ＢＳＣ）、中継局、ドナーノードを制御する中継局、ベーストランシーバ基地局（ＢＴＳ）、アクセスポイント（ＡＰ）、送信ポイント、送信ノード、ＲＲＵ、ＲＲＨ、分散アンテナシステム（ＤＡＳ）内ノード、コアネットワークノード（例えば、ＭＳＣ、ＭＭＥ等）、Ｏ＆Ｍ、ＯＳＳ、ＳＯＮ、位置決定ノード（例えばＥ−ＳＭＬＣ）、ＭＤＴ、テスト機器、または任意の適切なネットワークノードを含むことができる。無線デバイス１１０、ネットワークノード１１５、および他のネットワークノード（無線ネットワークコントローラまたはコアネットワークノードなど）の実施形態の例は、図２、図５、および図８についてさらに詳細にそれぞれ説明される。
【００３６】
図１は、ネットワーク１００の特定の配置を示すが、本開示は、本明細書で説明される様々な実施形態が、任意の適切な設定を有する様々なネットワークに適用されることが可能であるということを想定する。例えば、ネットワーク１００は、任意の適切な数の無線デバイス１１０およびネットワークノード１１５、ならびに無線デバイス間の、または無線デバイスと別の通信デバイス（固定電話など）との間の通信をサポートするのに適した任意の追加要素を含むことができる。さらに、一定の実施形態が、ロングタームエボリューション（ＬＴＥ）ネットワークにおいて実装されるものとして説明されることがあるが、本実施形態は、任意の適切な通信規格をサポートし、任意の適切な構成要素を使用するテレコミュニケーションシステムのいずれかの妥当なタイプにおいて実装されることが可能であり、ＭＴＣ、ｅＭＴＣ、およびＮＢ−ＩｏＴなどの任意のＬＴＥベースのシステムに適用可能である。例として、ＭＴＣ  ＵＥ、ｅＭＴＣ  ＵＥ、およびＮＢ−ＩｏＴ  ＵＥは、ＵＥカテゴリ０、ＵＥカテゴリＭ１、およびＵＥカテゴリＮＢ１とそれぞれ呼ばれることも可能である。しかし、本実施形態は、無線デバイスが、信号（例えばデータ）を受信および／または送信する任意のＲＡＴまたはマルチＲＡＴシステムに適用可能である。例えば、本明細書で説明される様々な実施形態は、ＬＴＥアドバンスト、およびＬＴＥ−ＵのＵＭＴＳ、ＬＴＥのＦＤＤ／ＴＤＤ、ＷＣＤＭＡ／ＨＳＰＡ、ＧＳＭ／ＧＥＲＡＮ、ＷｉＦｉ、ＷＬＡＮ、ｃｄｍａ２０００、ＷｉＭａｘ、５Ｇ、新しい無線（ＮＲ）、別の適切な無線アクセス技術、または１つもしくは複数の無線アクセス技術の任意の適切な組合せにも適用可能である可能性がある。移動体通信および無線技術の第５世代である５Ｇはまだ完全に規定されていないが、３ＧＰＰによって、最新のドラフトステージにあるということに留意されたい。これは、５ＧのＮＲアクセス技術に対する作業を含む。ＬＴＥの用語は、５Ｇにおいて異なる用語が指定される可能性があるが、同等の５Ｇのエンティティまたは機能を含むように、先取りした意味で本明細書において使用される。５ＧのＮＲアクセス技術に関する合意の全体的な説明は、３ＧＰＰ  ３８−ｓｅｒｉｅｓ  Ｔｅｃｈｎｉｃａｌ  Ｒｅｐｏｒｔｓの最も新しいバージョンに収められている。一定の実施形態は、ダウンリンクにおける無線送信の背景で説明されることがあるが、本開示は、アップリンクにおいて様々な実施形態が等しく適用可能であり、逆もまた同様であると想定する。説明される技法は、ネットワークノード１１５と無線デバイス１１０の両方からの送信に対して全体的に適用可能である。
【００３７】
図２は、一定の実施形態による、異なるタイプの同一周波数内測定の間のギャップ共有を制御するための無線デバイスの例１１０を示す。描写されるように、無線デバイス２１０は、送受信機２１０、処理回路２２０、およびメモリ２３０を含む。いくつかの実施形態において、送受信機２１０は、（例えばアンテナを介して）ネットワークノード１１５との間で無線信号を送信すること、および無線信号を受信することを容易にし、処理回路２２０は、命令を実行して無線デバイス１１０によって行われるような上述の機能のいくつかまたは全てを実行し、メモリ２３０は、処理回路２２０によって実行される命令を格納する。無線デバイス１１０の例は上記で提供される。
【００３８】
処理回路２２０は、無線デバイス１１０の説明される機能のいくつかまたは全てを行うために命令を実行し、データを操作するための１つまたは複数のモジュールに実装されたハードウェアとソフトウェアの任意の適切な組合せを含むことができる。いくつかの実施形態において、処理回路２２０は、例えば、１つもしくは複数のコンピュータ、１つもしくは複数の中央処理装置（ＣＰＵ）、１つもしくは複数のプロセッサ、１つもしくは複数のマイクロプロセッサ、１つもしくは複数のアプリケーション、および／または他のロジックを含むことができる。
【００３９】
メモリ２３０は、ロジック、ルール、アルゴリズム、コード、テーブルなどの１つもしくは複数を含むコンピュータプログラム、ソフトウェア、アプリケーションなどの命令、および／または処理回路によって実行されることが可能な他の命令を格納するように一般に動作可能である。メモリ２３０の例は、コンピュータメモリ（例えばランダムアクセスメモリ（ＲＡＭ）もしくはリードオンリメモリ（ＲＯＭ））、マスストレージ媒体（例えばハードディスク）、取外し可能ストレージ媒体（例えばコンパクトディスク（ＣＤ）もしくはデジタルビデオディスク（ＤＶＤ））、ならびに／または、または情報を格納する、他の任意の揮発性もしくは不揮発性の、非一時的コンピュータ可読メモリデバイスおよび／もしくはコンピュータ実行可能メモリデバイスを含む。
【００４０】
無線デバイス１１０の他の実施形態は、上述の機能のいずれか、および／または（上述の解決策をサポートするのに必要な任意の機能を含む）任意の追加機能を含む、無線デバイスの機能の一定の態様を行う責任がある可能性のある、図２に示されたもの以上の追加の構成要素を含むことができる。
【００４１】
図３は、一定の実施形態による、異なるタイプの同一周波数内測定の間のギャップ共有を制御するための無線デバイスによる方法３００の例を示す。方法３００は、サービング搬送周波数上の第１および第２の測定を制御することを可能にすることができる。一定の実施形態によれば、方法は、少なくとも一定のマージン（Ｘ）によって帯域幅（ＢＷ）がそのサービングセル（セル１）のＢＷより小さいＵＥによって検出参照信号（ＤＲＳ）に対して行われ、ＤＲＳのＢＷ≦無線デバイス１１０のサービングセル（セル１）のＢＷ、であるシナリオにおける、測定手順に関する。１つの特定の例において、ＵＥのＢＷ＝１．４ＭＨｚ、および、セル１のＢＷ＝５ＭＨｚ（または２０ＭＨｚ）、である。
【００４２】
方法は、任意選択のステップ３０２において始まることができ、このとき、無線デバイス１１０は、本明細書で説明される１つまたは複数の実施形態による動作を無線デバイスが行えることを別のノードに示す。一定の特定の実施形態によれば、このような能力の非限定的な例は、以下である。
・  下記で説明されるステップ３０８〜ステップ３１４のいずれかからの、任意の１つまたは複数の実施形態による動作。
・  （例えば、ＲＲＭおよび位置決定測定、第１の時間ドメインおよび／または周波数ドメインのパターンに基づく測定、ならびに第２の時間ドメインおよび／または周波数ドメインのパターンに基づく測定といった）サービングキャリアに対する測定の任意の２つのタイプまたはある２つの特定のタイプ／グループの間の測定ギャップを（例えば、事前規定された手法で、静的に、半静的に、または動的に）共有する能力。
・  異周波数間測定、および同一周波数内測定の２つのタイプ／グループの間の測定ギャップを共有する能力。
・  ステップ３におけるルールに従い、ギャップを使用して、異なるキャリア（例えばサービングキャリアおよび非サービングキャリア）に対する測定を行う能力。前記測定は、サービングキャリアまたは非サービングキャリアに対するＲＲＭ測定（例えば、ＲＳＲＰ、ＲＳＲＱ）、およびサービングキャリアに対する位置決定測定（例えばＲＳＴＤ）を含むことができる。
一定の実施形態によれば、能力は、別のノード（例えばネットワークノード１１５）からのリクエストのすぐ後に、または自発的な方式で、送られること、あるいは誘発条件またはイベント（例えば、同一周波数内測定ギャップが必要とされる可能性のあるモードで動作するという意図もしくはリクエスト、またはこのようなモードで動作するように無線デバイスを誘発する条件）によって誘発される。
【００４３】
ステップ３０４において、無線デバイス１１０は、サービングキャリア（Ｆ１）に属す１つまたは複数のセルの検出参照信号の第１のタイプ（ＤＲＳ１）に対して第１の測定を行う必要性を判定する。特定の実施形態によれば、ＤＲＳ１の例は、ＰＲＳ、ＣＳＩ−ＲＳ等を含むことができる。ＤＲＳ１のＢＷは設定可能であることが可能であり、セルの完全または部分的なＢＷでＤＲＳ１を送信するべきかどうかは、ネットワークノード１１５次第である。サービングキャリアの例は、１次キャリアまたは１次コンポーネントキャリア（ＰＣＣ）、２次コンポーネントキャリア（ＳＣＣ）、などである。
【００４４】
特定の例示的な実施形態において、３０４の判定は、別のノード（例えばネットワークノード）から、または高い方のレイヤから受信されることが可能な、このような測定を行うリクエスト、このような測定をレポートするリクエスト、このような測定に基づく結果（例えば、セル変更、位置計算など）をもたらすこと、および／またはレポートすることを行うリクエスト、測定設定などの１つまたは複数に基づくことが可能である。別の例において、判定は、以前に判定された、または既知の位置と比較して、一定のマージンを越えてＵＥの位置が変化したことに基づくことが可能である。さらに別の例において、判定は、ＵＥのカバレッジモード、カバレッジ拡張レベルの変化、または少なくとも一定のマージンによるＲＲＭ測定品質の変化によって誘発されることが可能である。
【００４５】
一定の実施形態によれば、第１の測定は、第１の測定を行うための測定ギャップを必要としても、しなくてもよい（ステップ３０８参照）。
【００４６】
第１の測定の例は、位置決定測定、ＲＳＴＤ測定、ＲＲＭ測定、および／または上記で論じられたものなどの適切な測定の他のタイプを含むことができる。
【００４７】
ステップ３０６において、無線デバイス１１０は、サービングキャリア（Ｆ１）の１つまたは複数のセルの検出参照信号の第２のタイプ（ＤＲＳ２）に対して（第１の測定とは異なる）第２の測定を行う必要性を判定する。特定の実施形態によれば、ＤＲＳ２の例は、ＰＳＳ、ＳＳＳ等を含むことができる。実施形態の１つの例において、ステップ３０６の判定は、別のノード（例えばネットワークノード）から、または高い方のレイヤから受信されることが可能な、このような測定を行うリクエスト、このような測定をレポートするリクエスト、このような測定に基づく結果（例えば、セル変更、位置計算など）をもたらすこと、および／またはレポートすることを行うリクエスト、測定設定などの１つまたは複数に基づくことが可能である。一定の実施形態によれば、ＤＲＳ１とＤＲＳ２の主な相違は、ＤＲＳ１が、完全なセルのＢＷで、またはセルのＢＷより小さいＢＷで、送信されることが可能である一方で、ＤＲＳ２は、セルのＢＷより小さいＢＷで送信される。ＤＲＳ２のＢＷは、典型的には事前規定されるが、設定可能であることも可能であり、セルのＢＷより小さいことが想定される。
【００４８】
一定の実施形態によれば、ＵＥのＢＷは、セルのＢＷより小さい。したがって、第２の測定は、第２の測定を行うための測定ギャップを必要とする（下記で論じられるステップ３０８を参照）。しかし、第１の測定は、測定ギャップを必要としても、しなくてもよい。第２の測定の例は、位置決定測定、ＲＳＴＤ測定、ＲＲＭ測定、または上記で論じられたものなどの他の任意の適切な測定を含むことができる。
【００４９】
ステップ３０８において、無線デバイス１１０は、Ｆ１に属すセルのＤＲＳ２に対して少なくとも第２の測定を行うための測定ギャップが必要であることを判定する。無線デバイス１１０によって第２の測定が行われることになる場合、無線デバイス１１０は、第２の測定を行うための測定ギャップを適用する。
【００５０】
一定の実施形態によれば、無線デバイス１１０は、下記に説明されるように、Ｆ１に属すセルのＤＲＳ１に対して第１の測定を行うために、無線デバイス１１０が測定ギャップを必要とするか否かをさらに判定する。ＵＥのＢＷは、そのサービングセルのＢＷより小さいと仮定される。
・  第１の検出参照信号（ＤＲＳ１）のＢＷがサービングキャリア（Ｆ１）上の全てのセルのＢＷに等しい場合、無線デバイス１１０は、ＤＲＳ１信号に対して第１の測定を行うために、第１の測定手順（Ｍ１）を適用する。この手順（Ｍ１）において、無線デバイス１１０は測定ギャップを使用せず、代わりに、データまたは制御信号をセル１から受信するために無線デバイス１１０によって使用されるＢＷ内のＤＲＳ１に対して第１の測定を行う。
・  ＤＲＳ１のＢＷが、Ｆ１上の少なくとも１つのセルのＢＷより小さい場合、無線デバイス１１０は、ＤＲＳ１信号に対して第１の測定を行うために、第２の測定手順（Ｍ２）を適用する。手順Ｍ２において、無線デバイス１１０は、測定ギャップの間にＤＲＳ１に対して第１の測定を行う。さらに、手順Ｍ２において、測定ギャップは、ＤＲＳ２信号に対して行われる少なくとももう１つの第２の測定と共有される。
上記で説明された手順は、下記でルールの数例によって説明されたように第１および／または第２の測定の測定時間（例えば、測定期間、セル識別時間など）に影響を及ぼすことがある。これらの例示的なルールは、無線デバイスにおけるネットワークノード１１５によって事前規定されること、または設定されることが可能である。いくつかの例示的なルールは、以下を含むことができる。
・  １つの例において、Ｍ１における第１の測定の測定時間（Ｔ１１）は、手順Ｍ２における第１の測定の測定時間（Ｔ１２）より短いが、第２の測定の測定時間は、Ｍ１とＭ２の両方において同じである。ルールは、第１の測定に対して、第２の測定が、よりタイムクリティカルであるか、より高い優先度であるケースにおいて適用されることが可能である。タイムクリティカルは、測定が、可能な限り最短時間で行われることになり、例えば緊急呼出等などの重要な用途のために使用されることが可能であることを意味する。
・  別の例において、Ｍ１における第２の測定の測定時間（Ｔ２１）は、手順Ｍ２における第２の測定の測定時間（Ｔ２２）より短いが、第１の測定の測定時間は、Ｍ１とＭ２の両方において同じである。ルールは、第２の測定に対して、第１の測定が、よりタイムクリティカルであるケースにおいて適用されることが可能である。
・  さらに別の例において、Ｔ１１＜Ｔ１２、であり、Ｔ２１＜Ｔ２２、でもある。ルールは、第１の測定と第２の測定の両方が、等しくタイムクリティカルであるか、これらのどちらもタイムクリティカルではないケースにおいて適用されることが可能である。
第１および／または第２の測定の測定時間は、Ｍ２において、第１の測定と第２の測定との間でギャップが共有されるので、上記の例において説明されたようにＭ２において拡張される。図４は、一定の実施形態による、ステップ３０４〜ステップ３０８において行われる手順４００のフローチャートの別の例を示す。図５は、一定の実施形態による、手順Ｍ１および手順Ｍ２のための周波数ドメインにおける帯域幅割当５００の例を示す。
【００５１】
いくつかの実施形態において、判定ステップ３０８は、測定ギャップが、第１の測定と第２の測定との間で共有されるべきかどうか、および／またはどのように共有されるべきかを判定することをさらに含むことができる。一定の実施形態によれば、判定ステップ３０８は、事前規定されたルール、別のノードから受信された命令または測定ギャップ設定、同一周波数内測定のための（例えば、事前規定された、事前規定された設定のセットから選択された、別のノードから受信された、事前規定されたルールに基づいて判定された）ギャップ共有設定、第１の測定設定、第２の測定設定、第１の測定の時間ドメインおよび／もしくは周波数ドメインのパターンおよび／もしくは測定帯域幅、第２の測定の時間ドメインおよび／もしくは周波数ドメインのパターンおよび／もしくは測定帯域幅、第１および／もしくは第２の測定のために使用されることになる信号のための送信設定（例えば、ＢＷ、周期など）、第１の測定と第２の測定との間の優先度、または他の妥当なパラメータもしくは考慮、の１つまたは複数に基づくことが可能である。必要性の判定のために使用されることが可能なルールのいくつかの例は、以下を含む。
・  第１の測定と第２の測定のうちの少なくとも１つのための測定時間は、同一周波数内測定と異周波数間測定との間で測定ギャップが共有されないときと比較して、および／または第１の測定と第２の測定との間で測定ギャップが共有されないときと比較して、緩和され（長くなり）、例えば、下記の任意の１つまたは複数が適用される。
○  ｉ番目の測定のための時間は、ｆ（Ｋｉ）でスケーリングされ、ここで、Ｋｉは、ｉ番目の測定と測定の別のタイプとの間で、測定ギャップが共有されるかどうか、およびどのように共有されるかを反映するパラメータである（下記で説明される実施形態のより詳細な例を参照されたい）。
○  第１の測定のために使用される信号のＢＷがセルの帯域幅のとき、第１の測定のための時間は緩和されず、そうでなければ時間は緩和される。
○  第１の測定のために使用される信号のＢＷがセルのＢＷであり、ＢＷの非中心部において第１の測定が行われことが可能であるか、無線デバイスが第１の測定のためのホッピングをサポートするとき、第１の測定のための時間は緩和されず、そうでなければ時間は緩和される。
○  例えばサブフレーム＃０および／または＃５といった特定のサブフレームにおいて第１の測定のために使用される信号が利用可能であるとき、第１の測定のための時間は緩和されず、そうでなければ時間は緩和される。
○  第１の測定の帯域幅が閾値（例えば６ＲＢ）を超えないとき、第１の測定のための時間は緩和されず、そうでなければ時間は緩和される。
・  第１の測定がＰＲＳに基づくＲＳＴＤ測定であると仮定する。ＰＲＳのＢＷ＝サービングキャリア上の全てのセル（またはＲＳＴＤ測定のための全てのセル）上のセルのＢＷ、である場合、無線デバイス１１０は、同一周波数内ＲＳＴＤ測定のために中心ＰＲＳのＲＢに、無線デバイス１１０の受信機を再同調させる必要はない。この場合（すなわち、ＰＲＳのＢＷ＝全てのセルに対するセルのＢＷ）、ネットワークノード１１５は、以下のようにギャップを設定する。
○  ＰＲＳ機会はギャップと重複しない。無線デバイス１１０は、データ受信のために無線デバイス１１０が同調されるＰＲＳのＢＷの同じ部分に対して同一周波数内ＲＳＴＤを測定する。同一周波数内ＲＳＴＤのための測定ギャップは必要なく、したがってＲＳＴＤ測定期間を緩和させる必要はない。
・  第１の測定がＰＲＳに基づくＲＳＴＤ測定であると仮定する。ＰＲＳのＢＷ＜サービングキャリア上の少なくとも１つのセル上のセルのＢＷである場合、無線デバイス１１０は、（無線デバイス１１０は、ＰＲＳが利用可能でないセルのＢＷの一部においてデータを受信しなければならない可能性があるので、）ＲＳＴＤ測定を行うために、ＰＲＳが利用可能なところに、例えば中心ＰＲＳのＲＢに、無線デバイス１１０の受信機を再同調させなければならない可能性がある。この場合（すなわち、ＰＲＳのＢＷ＜少なくともいくつかのセルに対するセルのＢＷ）、ネットワークノード１１５は、以下のようにギャップを設定する。
○  ＰＲＳ機会はギャップと重複するはずであり、すなわちＰＲＳ機会のうちの少なくともいくつかは、ギャップに含まれるはずである。無線デバイス１１０は、例えば、ＰＲＳのＢＷ≦ＵＥのＢＷ、である中心ＰＲＳといったギャップにおいて、ＲＳＴＤを測定する必要がある可能性がある。
・  共有は、第１の測定と第２の測定との間の優先度に基づき、ここで、優先度は、例えば、事前規定されること、または事前規定されたルールに基づいて設定可能であること、もしくは判定されることが可能である。
・  優先度（絶対優先度または共有）は、第１のネットワークノード１１５から受信されたメッセージに基づいて判定されるが、第１のネットワークノード１１５は、第２のネットワークノード１１５から優先度を入手する。第１および第２のノード１１５は、位置決定ノードおよびＢＳであることが可能であり、または逆もまた同様である。
いくつかのより具体的な例が提供される。
・  例１
新しいセル識別および測定遅延の要求事項は、テーブル１に示されるようになることが可能である。
2020516148.tif 000006
テーブル1:例えばPSS/SSSに対するRRM測定(セル識別)といった、第2の測定がDRS2に対して行われる測定時間
ここで、
Ｋｉｎｔｒａ＿Ｍ２＝１／Ｘ＊１００％であり、ここで、Ｘは、ＲＲＣを介してシグナリングされることが可能であり、測定ギャップのどれだけが、全ての同一周波数内測定のために使用されるかを制御するパラメータである。異周波数間測定について、これは、したがって、設定された測定ギャップのうちの残りの、Ｋｉｎｔｅｒ＿Ｍ２＝Ｎｆｒｅｑ＊１００％／（１００−Ｘ）、である。
Ｋ１（１／Ｋ１≦１．０）は、全ての同一周波数内測定／動作のために使用されるギャップのどれだけが、セル識別およびＲＲＭ測定のために具体的に使用されるかを制御するパラメータである。
また、同一周波数内位置決定測定について（ＤＲＳ１に対する第１の測定の例）、
ＴＲＳＴＤＩｎｔｒａＦｒｅｑＦＤＤ，Ｅ−ＵＴＲＡＮ＝ＴＰＲＳ・（Ｍ−１）・Ｋｉｎｔｒａ＿Ｍ２・Ｋ２＋Δ  ｍｓ
であり、ここで、異なるギャップにおいてＲＳＴＤ測定およびセル識別／ＲＲＭ測定が行われるときの最も悲観的なケースをカバーするために、１／Ｋ１＋１／Ｋ２＝１．０、であり、そうでなければ、１／Ｋ１＋１／Ｋ２は、（例えば位置決定測定およびセル識別／ＲＲＭ機会の時間における重複の量に応じて）＞１．０である可能性があるが、１／Ｋ１および１／Ｋ２のそれぞれは１．０より大きくない。
・  例２
例１に似ているが、セル識別／ＲＲＭ測定に対する明示的なパターンがあるとき、例えば、（デュアル接続を有する）ＤＲＳのサブフレームにおいて、または（ＬＢＴの結果に応じて送信されることも、されないこともあるＤＲＳのサブフレーム内の）ライセンスのないスペクトルにおいて、または測定リソース制約のサブフレームにおいて、または（ｅＩＣＩＣもしくはＦｅＩＣＩＣを有する）オールモストブランクサブフレームにおいて、セル識別／ＲＲＭ測定が行われるとき、セル識別／ＲＲＭ測定期間は、Ｋｉｎｔｒａ＿Ｍ２＊Ｋ１でもスケーリングされ、一方、位置決定測定は、Ｋｉｎｔｒａ＿Ｍ２＊Ｋ２でスケーリングされる。
・  例３
この例によれば、ギャップは、ＤＲＳ１に対する第１の測定およびＤＲＳ２に対する第２の測定を行うために無線デバイス１１０によって共有され、このことにより、第２の測定は、少なくともパラメータ（ＫＲＳＴＤ＿Ｍ２）によってスケーリングされる。しかしパラメータＫＲＳＴＤ＿Ｍ２は、測定ギャップの周期の関数であり、ＤＲＳ１の周期の関数でもある。ＤＲＳ１の例はＰＲＳであり、ＤＲＳ２の例はＰＳＳ／ＳＳＳである。
2020516148.tif 000007
テーブル2:例えば少なくともPSS/SSSに対して行われるRRM測定(セル識別)といった、第2の測定がDRS2に対して行われる測定時間
ここで、
Ｋｉｎｔｒａ＿Ｍ２＝１／Ｘ＊１００であり、ここで、Ｘは、ＲＲＣパラメータによってシグナリングされる。
パラメータＫＲＳＴＤ＿Ｍ２の一般的な例は、以下のように表現され、
ＫＲＳＴＤ＿Ｍ２＝Ｆ（ＣＧａｐ，ＣＰＲＳ）
ここで、ＣＧａｐおよびＣＰＲＳは、それぞれ、測定ギャップ設定およびＰＲＳ設定である。
ＫＲＳＴＤ＿Ｍ２の具体例は、以下の数式によって表現される。
ＫＲＳＴＤ＿Ｍ２＝１／（１−ＴＧａｐ／ＴＰＲＳ）
【００５２】
ステップ３１０において、無線デバイス１１０は、判定された必要性に基づく測定ギャップを使用しながら、第１の測定および第２の測定を行う。一定の実施形態によれば、ＤＲＳ１のＢＷが、Ｆ１の少なくとも１つのセルのセルのＢＷより小さいとき、測定は、測定ギャップを使用および共有して行われることが可能である。一方、ＤＲＳ１のＢＷ＝Ｆ１の全てのセルのセルのＢＷ、であるとき、第１の測定は、測定ギャップがない状態で行われることが可能である。
【００５３】
一定の実施形態によれば、ステップ３１０における測定の実行は、測定結果（別名、測定の結果）を入手すること、受信機の帯域幅を設定もしくは（再）調整すること、（無線デバイス１１０から、および無線デバイス１１０による、送信および受信における割込みを引き起こす可能性のある）測定ギャップを設定すること、測定ギャップにおいて信号を受信するように受信機を設定もしくは（再）調整すること、１つもしくは複数の測定サンプルを入手すること、ならびに／または２つ以上の測定サンプルを測定に組み合わせること、のうちの任意の１つまたは複数を含むことができる。
【００５４】
例えば、第１の測定および第２の測定の同一周波数内測定のための測定ギャップを無線デバイス１１０が共有できないことにより、または共有を妨げる測定ギャップ設定［例えば測定パターンと適合されないこと］により、または別の理由により、第１の測定および第２の測定のうちの１つを無線デバイス１１０が行えなかった場合、無線デバイス１１０は、第１の測定および第２の測定のうちのただ１つを行うことを決定することができる。例えば、特定の実施形態において、第１の測定が、このケースにおいて常に選択／優先されることが可能であり、また第２の測定が、このケースにおいて常に選択／優先されることが可能であるなど。無線デバイス１１０は、ギャップ共有が行われなかったか、行われることが不可能であったこと、または上記の理由により、測定のうちの１つが行われなかったことを別のノード（例えばネットワークノード１１５など）に示すこともできる。
【００５５】
ステップ３１２において、無線デバイス１１０は、第１の測定および第２の測定のうちの少なくとも１つの結果を別のノードに送る。一定の実施形態によれば、結果の例は、測定結果（例えば、ＲＳＲＰ、ＲＳＲＱ、電力測定、時間測定、時間差測定、ｒｘ−ｔｘ時間差測定、ＡｏＡ、セルＩＤ、ビームＩＤなど（セクション５．１における多くの測定の例を参照されたい））、ログに記録された測定を有するログ（例えば、ＲＲＣ＿ＩＤＬＥにおけるＭＤＴにおける、またはＲＲＣ＿ＩＤＬＥにおいて測定が行われるときのようなもの）、測定に基づいて判定された無線デバイスの位置、リンク故障指標、測定問題指標、第１および第２の測定のための測定ギャップを無線デバイスが共有できないこと、第１および第２の測定のためのギャップ共有が行われたかどうか、および／またはどのように行われたかを示す性質のあるルールまたはパラメータ、を含むことができる。
【００５６】
一定の実施形態によれば、結果を送ることは、上述のステップに適応される必要がある可能性もある。例えば、無線デバイス１１０がどのように、またいつレポートすることになるかは、適応されることが可能である。無線デバイス１１０は、一般に、測定が利用可能になった後、所定の短い時間でレポートすることを必要とされる可能性があり、この時間は、測定がどのように行われるか、および測定のためにギャップが使用され、共有されたかどうか／どのように使用され、共有されたかどうかに依存する測定時間に依存する可能性がある。例えば、第１の測定が、１つのケースにおいてリソースが少なくなり、別のケースにおいてリソースが多くなるように、ギャップが共有される場合、同じ測定は、時間Ｔ１およびＴ２の中でそれぞれレポートされることになる（Ｔ２はＴ１より短い）。
【００５７】
ステップ３１４において、第１の測定および第２の測定のうちの少なくとも１つの結果は、１つまたは複数の動作タスクのために使用されることが可能である。結果の例は、上記で提供されたものを含むことができる。一定の実施形態によれば、結果の使用の例は、無線デバイスの位置決定または位置判定、ＲＲＭ、セル変更またはハンドオーバ、ＲＬＭを行うこと、ＳＯＮ、ＭＤＴ、受信機設定の最適化、統計情報のための結果をログに記録すること、ギャップ共有設定を保存することなどを含むことができる。
【００５８】
図６は、一定の実施形態による、異なるタイプの同一周波数内測定の間のギャップ共有を制御するための無線デバイス１１０による方法６００の別の例を示す。方法６００はステップ６０２において始まることができ、このとき、無線デバイス１１０は、検出参照信号の第１のタイプに関する第１の設定情報を第１のネットワークノード１１５ａから受信する。ステップ６０４において、無線デバイス１１０は、検出参照信号の第２のタイプに関する第２の設定情報を第２のネットワークノード１１５ｂから受信する。特定の実施形態において、第１のタイプの検出参照信号は、位置決定参照信号である。
【００５９】
ステップ６０６において、無線デバイス１１０は、第１の設定情報および第２の設定情報に基づいてセル識別遅延または測定遅延を判定する。一定の実施形態によれば、セル識別遅延または測定遅延は可変である。特定の実施形態において、セル識別遅延または測定遅延は、検出参照信号の第１のタイプに関するものである。
【００６０】
特定の実施形態において、セル識別遅延または測定遅延を判定するステップは、第１のタイプの検出参照信号のサブフレーム設定期間が閾値を超えるときに、デフォルトのセル識別遅延またはデフォルトの測定遅延を増加させることを含むことができる。例えば、デフォルトのセル識別遅延は、第１のタイプの検出参照信号に対する測定が、第２のタイプの検出参照信号に対する測定より優先度が高いときに、第１のタイプの検出参照信号に対する測定を行うために増加されることが可能である。
【００６１】
別の例として、特定の実施形態において、無線デバイス１１０は、測定ギャップ設定、および検出参照信号の第１のタイプの設定の関数であるパラメータによって、デフォルトのセル識別遅延またはデフォルトの測定遅延を増加させることができる。１つの実施形態において、測定ギャップ設定、および検出参照信号の第１のタイプの設定は、測定ギャップの周期、および検出参照信号の第１のタイプの周期を含むことができる。
【００６２】
ステップ６０８において、無線デバイス１１０は、第１のタイプの検出参照信号に対して少なくとも１つの第１の測定を行う。特定の実施形態において、無線デバイス１１０は、第１のタイプの検出参照信号と関連付けられた帯域幅がサービングキャリアの帯域幅に等しいと判定することができる。判定することに応答して、無線デバイス１１０は、測定ギャップがない状態で、第１のタイプの検出参照信号に対する少なくとも１つの第１の測定を行うことができる。別の例として、別の特定の実施形態において、無線デバイス１１０は、第１のタイプの検出参照信号と関連付けられた帯域幅がサービングキャリア上の全てのセルの帯域幅に等しいと判定することができる。判定することに応答して、無線デバイス１１０は、第１のセルからデータまたは制御信号を受信するために無線デバイスによって使用される帯域幅の中で、第１のタイプの検出参照信号に対して少なくとも１つの測定を行うことができる。
【００６３】
ステップ６１０において、無線デバイス１１０は、第２のタイプの検出参照信号に対して少なくとも１つの第２の測定を行う。特定の実施形態において、例えば、少なくとも１つの第２の測定は、セル識別遅延に対応する期間の中で行われるセルの識別、または測定遅延に対応する期間の中で行われる測定を含むことができる。
【００６４】
特定の実施形態において、第２のタイプの検出参照信号に対する測定は、第１の設定情報と関連付けられた測定ギャップにおいて行われることが可能である。例えば、無線デバイス１１０は、第１のタイプの検出参照信号と関連付けられた帯域幅が、サービングキャリア上の少なくとも１つのセルの帯域幅より小さいと判定することができる。特定の実施形態において、無線デバイス１１０は次に、第２の設定情報と関連付けられた測定ギャップにおいて第１のタイプの検出参照信号に対する測定を行うことができる。
【００６５】
特定の実施形態において、ステップ６０２およびステップ６０４において第１の設定情報および第２の設定情報をそれぞれ受信する前に、無線デバイス１１０は、第２の設定情報と関連付けられた測定ギャップにおいて第１のタイプの検出参照信号に対する測定を行う能力の指示を第１のネットワークノードに送信することができる。
【００６６】
ステップ６１２において、無線デバイス１１０は、少なくとも１つの第１の測定および少なくとも１つの第２の測定に基づいて１つまたは複数の動作タスクを行う。様々な特定の実施形態において、例えば、動作タスクは、セル識別遅延または測定遅延に応じて、少なくとも１つの第１の測定または少なくとも１つの第２の測定の結果を第１のネットワークノード１１５ａまたは第２のネットワークノード１１５ｂにレポートすることと、無線デバイスの位置を判定することと、セル変更を行うことと、無線リンク監視を行うことと、受信機設定を最適化することと、結果をログに記録することと、のうちの任意の１つまたは複数を含むことができる。
【００６７】
図７は、一定の実施形態による、異なるタイプの同一周波数内測定の間のギャップ共有を制御するためのネットワークノード１１５の例を示す。上述のように、ネットワークノード１１５は、無線デバイスおよび／または別のネットワークノードと通信する無線ネットワークノードのいずれかのタイプ、または任意のネットワークノードであることが可能である。ネットワークノード１１５の例は上記で提供される。
【００６８】
ネットワークノード１１５は、ホモジニアス配置、ヘテロジニアス配置、または混合型配置として、ネットワーク１００の全体を通して配置されることが可能である。ホモジニアス配置は一般に、ネットワークノード１１５の同じ（もしくは類似の）タイプ、ならびに／または類似のカバレッジおよびセルサイズおよびサイト間距離で構成される配置を説明することができる。ヘテロジニアス配置は一般に、異なるセルサイズ、送信電力、容量、およびサイト間距離を有する様々なタイプのネットワークノード１１５を使用する配置を説明することができる。例えば、ヘテロジニアス配置は、マクロセルレイアウトの全体を通して設置される複数の低電力ノードを含むことができる。混合型配置は、ホモジニアス部分およびヘテロジニアス部分の混合を含むことができる。
【００６９】
ネットワークノード１１５は、送受信機７１０、処理回路７２０、メモリ７３０、およびネットワークインターフェース７４０の１つまたは複数を含むことができる。いくつかの実施形態において、送受信機７１０は、（例えばアンテナを介して）無線デバイス１１０との間で無線信号を送信すること、および無線信号を受信することを容易にし、処理回路７２０は、ネットワークノード１１５によって行われるような上述の機能のいくつかまたは全てを行うための命令を実行し、メモリ７３０は、処理回路７２０によって実行される命令を格納し、ネットワークインターフェース７４０は、ゲートウェイ、スイッチ、ルータ、インターネット、公衆交換電話網（ＰＳＴＮ）、コアネットワークノード、または無線ネットワークコントローラなどの、バックエンドのネットワーク構成要素に信号を通信する。
【００７０】
一定の実施形態において、ネットワークノード１１５は、マルチアンテナ技法を使用する能力があることが可能であり、複数のアンテナを装備され、ＭＩＭＯ技法をサポートする能力があることが可能である。１つまたは複数のアンテナは、制御可能な偏波を有することができる。つまり、各エレメントは、ビーム形成の重みの異なるセットが、発せられた波の異なる偏波を示すことになるように、異なる偏波（例えば交差偏波におけるような９０度分離）を有する２つの同じ位置に配置されたサブエレメントを有することができる。
【００７１】
処理回路７２０は、ネットワークノード１１５の説明される機能のいくつかまたは全てを行うために命令を実行し、データを操作するための１つまたは複数のモジュールに実装されたハードウェアとソフトウェアの任意の適切な組合せを含むことができる。いくつかの実施形態において、処理回路７２０は、例えば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含むことができる。
【００７２】
メモリ７３０は、ロジック、ルール、アルゴリズム、コード、テーブルなどの１つもしくは複数を含むコンピュータプログラム、ソフトウェア、アプリケーションなどの命令、および／またはプロセッサによって実行されることが可能な他の命令を格納するように一般に動作可能である。メモリ７３０の例は、コンピュータメモリ（例えばランダムアクセスメモリ（ＲＡＭ）もしくはリードオンリメモリ（ＲＯＭ））、マスストレージ媒体（例えばハードディスク）、取外し可能ストレージ媒体（例えばコンパクトディスク（ＣＤ）もしくはデジタルビデオディスク（ＤＶＤ））、ならびに／または、または情報を格納する、他の任意の揮発性もしくは不揮発性の、非一時的コンピュータ可読メモリデバイスおよび／もしくはコンピュータ実行可能メモリデバイスを含む。
【００７３】
いくつかの実施形態において、ネットワークインターフェース７４０は、処理回路７２０に通信連結され、ネットワークノード１１５に対する入力を受信すること、ネットワークノード１１５から出力を送ること、入力もしくは出力もしくは両方の適切な処理を行うこと、他のデバイスに通信すること、または前述のいずれかの組合せ、を行うように動作可能な任意の適切なデバイスを指すことができる。ネットワークインターフェース７４０は、ネットワークを通じて通信するための、妥当なハードウェア（例えば、ポート、モデム、ネットワークインターフェースカードなど）、ならびにプロトコル変換およびデータ処理能力を含むソフトウェアを含むことができる。
【００７４】
ネットワークノード１１５の他の実施形態は、上述の機能のいずれか、および／または（上述の解決策をサポートするのに必要な任意の機能を含む）任意の追加機能を含む、無線ネットワークノードの機能の一定の態様を行う責任がある可能性のある、図７に示されたもの以上の追加の構成要素を含むことができる。様々な異なるタイプのネットワークノードは、同じ物理ハードウェアを有するが、異なる無線アクセス技術をサポートするように（例えばプログラミングによって）設定された構成要素を含むことができ、また異なる物理構成要素に部分的または全面的に相当することが可能である。さらに、単なる例のために、第１および第２という用語が提供され、入れ替えられることが可能である。
【００７５】
図８は、一定の実施形態による、異なるタイプの同一周波数内測定の間のギャップ共有を制御するためのネットワークノード１１５による方法８００の例を示す。方法はステップ８０２において始まり、このとき、ネットワークノード１１５は、無線デバイス１１０がサービングキャリアに対して第１の測定を行う必要性を判定する。一定の実施形態によれば、ステップ８０４は、図３のステップ３０４について上述されたものと同様に行われることが可能である。
【００７６】
ステップ８０４において、ネットワークノード１１５は、無線デバイス１１０がサービングキャリアに対して第２の測定を行う必要性を判定する。一定の実施形態によれば、ステップ８０４は、図３のステップ３０６について上述されたものと同様に行われることが可能である。
【００７７】
ステップ８０６において、ネットワークノード１１５は、第１の測定および第２の測定のうちの少なくとも１つを行うための測定ギャップが必要であることを判定する。一定の実施形態によれば、ステップ８０６は、図３のステップ３０８について上述されたものと同様に行われることが可能である。
【００７８】
ステップ８０８において、また測定ギャップの判定された必要性に基づいて、ネットワークノード１１５は、設定または再設定を制御または提案する。設定または再設定は、適用される測定手順に依存することが可能である。
【００７９】
一定の実施形態によれば、ネットワークノード１１５は、ネットワークノード１１５または別のノードの送信設定を変更することができる。特定の実施形態において、ネットワークノード１１５は、時間ドメインおよび／または周波数ドメインのリソースを変更することができる。例えば、ネットワークノード１１５は、ＤＲＳ１信号および／またはＤＲＳ２信号の送信のために使用されるＢＷ割当を変更することができる。別の例として、ネットワークノード１１５は、ギャップを使用しないようにするために、ＤＲＳ１および／またはＤＲＳ２を送信するために使用される帯域幅を増加させることができる。さらに別の例において、ネットワークノード１１５は、ギャップを整合させるために、一定のタイプの信号（例えば、ＤＲＳ１、ＤＲＳ２）を送信するために使用されるネットワークノード１１５の周期または密度を適応させることができる。
【００８０】
別の特定の実施形態によれば、ネットワークノード１１５は、ネットワークノード１１５または別のネットワークノードの送信パターンを変更することができる。例えば、ネットワークノード１１５は、測定ギャップ設定を整合させるために、ネットワークノード１１５の信号送信パターンを適応させることができる。第１の測定を実行するために８０ｍｓ毎または１６０ｍｓ毎の測定ギャップが使用される実施形態の特定の例において、ネットワークノード１１５は、８０ｍｓ毎または１６０ｍｓ毎のギャップの中でＤＲＳ１信号が発生するように、ネットワークノード１１５のＤＲＳ１信号送信パターンを適応させることができる。
【００８１】
別の特定の実施形態によれば、ネットワークノード１１５は、測定機会の長さを変更することができる。例えば、ネットワークノード１１５は、位置決定機会におけるＰＲＳサブフレームの数を変更することができる。
【００８２】
別の特定の実施形態によれば、ネットワークノード１１５は、ＤＲＳ設定を変更することができる。
【００８３】
一定の実施形態によれば、ネットワークノード１１５は、無線デバイス１１０の設定を変更することができる。特定の実施形態において、例えば、ネットワークノード１１５は、ＵＥの測定ギャップ設定を変更することができる。例えば、ネットワークノード１１５は、ギャップのオフセット、ギャップ周期、ギャップ長、または別のギャップ設定を変更することができる。特定の実施形態において、２つ以上の測定タイプがこのようなギャップを使用することになるとき、多くのギャップが必要とされる可能性があり、ギャップにおいて測定されることになる、全て、いくつか、または一定の量の信号の送信機会と測定ギャップを整合させる。
【００８４】
特定の実施形態において、例えば、ネットワークノード１１５は、無線デバイス１１０の第１および／または第２の測定設定を変更することができる。例えば、ネットワークノード１１５は、時間ドメインおよび／または周波数ドメインのリソースまたは測定パターン、測定周期、サンプリングレート、サービングキャリアに対する任意の測定または第１および／もしくは第２の測定のためのＢＷなどを変更することができる。
【００８５】
特定の実施形態において、例えば、ネットワークノード１１５は、データを受信するため、ならびに／または第１および／もしくは第２の測定を行うための、ＵＥのホッピング設定を変更することができる。例えば、ネットワークノード１１５は、同じギャップにおいて行われることになる測定のためにホッピングリソースを整合させること、異なるギャップにおいて行われることになる測定のためにホッピングリソースをずらすこと／偏移させること、ならびに／または例えば意図された信号の全てもしくは大部分をギャップにおいてキャプチャするために、完全なもしくは少なくとも一定の重複を保証するためのホッピングパターンおよび測定ギャップパターンを整合させること、ができる。
【００８６】
特定の実施形態において、例えば、ネットワークノード１１５は、測定待機時間を変更することができる。例えば、ネットワークは、一定時間内に測定結果が受信されなかった場合、測定が失敗したとみなすことになる。ネットワークノード１１５は、測定成功／測定失敗の統計情報を収集することができる。特定の実施形態において、測定成功／測定失敗の統計情報は、目標と比較されることも可能である。例えば、実施形態の１つの例によれば、無線デバイス１１０が適合テストにパスするためには９０％の成功が必要とされ、および／または無線デバイス１１０に向けたアクション（例えば、測定設定、ＲＲＣ再設定、サービングセルの変更などに対する新しい試み）を誘発することができる。
【００８７】
図９は、一定の実施形態による、異なるタイプの同一周波数内測定の間のギャップ共有を制御するためのネットワークノード１１５による方法９００の別の例を示す。方法はステップ９０２において始まり、このとき、ネットワークノード１１５は、検出参照信号の第１のタイプに関する第１の設定情報を無線デバイス１１０に送信する。
【００８８】
ステップ９０４において、ネットワークノード１１５は、検出参照信号の第１のタイプに関する第１の設定情報を無線デバイス１１０に送信する。
【００８９】
ステップ９０４において、ネットワークノード１１５は、第１の設定情報、および無線デバイスによって受信されることになる検出参照信号の第２のタイプに関する第２の設定情報に基づいてセル識別遅延または測定遅延を判定する。一定の実施形態によれば、セル識別遅延または測定遅延は可変である。
【００９０】
ステップ９０６において、ネットワークノード１１５は、判定されたセル識別遅延または測定遅延に基づいて検出参照信号の第１のタイプに対して行われた測定の結果を無線デバイス１１０から受信する。
【００９１】
特定の実施形態において、検出参照信号の第１のタイプは、位置決定参照信号であることが可能であり、第１のタイプの検出参照信号と関連付けられた帯域幅は、サービングキャリア上の少なくとも１つのセルの帯域幅より小さいことが可能であり、および／またはセル識別遅延もしくは測定遅延は、検出参照信号の第１のタイプに関するものであることが可能である。このような実施形態において、デフォルトのセル識別遅延は、第１のタイプの検出参照信号のサブフレーム設定期間が閾値を超えるときに増加されることが可能である。別の実施形態において、デフォルトのセル識別遅延は、第１のタイプの検出参照信号に対する測定が、第２のタイプの検出参照信号に対する測定より優先度が高いときに、第１のタイプの検出参照信号に対する測定を行うために増加されることが可能である。
【００９２】
検出参照信号の第１のタイプが位置決定参照信号である場合、第２のタイプの検出参照信号に対する測定は、第１の設定情報と関連付けられた測定ギャップにおいて無線デバイスによって行われることが可能である。特定の実施形態において、方法は、第１の設定情報と関連付けられた測定ギャップにおいて第２のタイプの検出参照信号に対する測定を無線デバイスによって行えるという指示を無線デバイスから受信することをさらに含むことができる。
【００９３】
別の特定の実施形態において、検出参照信号の第２のタイプは、位置決定参照信号であることが可能であり、第２のタイプの検出参照信号と関連付けられた帯域幅は、サービングキャリア上の少なくとも１つのセルの帯域幅より小さいことが可能であり、および／またはセル識別遅延もしくは測定遅延は、検出参照信号の第２のタイプに関するものであることが可能である。このような実施形態において、デフォルトのセル識別遅延は、第２のタイプの検出参照信号のサブフレーム設定期間が閾値を超えるときに増加されることが可能である。別の実施形態において、デフォルトのセル識別遅延は、第２のタイプの検出参照信号に対する測定が、第１のタイプの検出参照信号に対する測定より優先度が高いときに、第２のタイプの検出参照信号に対する測定を行うために増加されることが可能である。
【００９４】
検出参照信号の第２のタイプが位置決定参照信号である場合、第１のタイプの検出参照信号に対する測定は、第２の設定情報と関連付けられた測定ギャップにおいて無線デバイスによって行われることが可能である。特定の実施形態において、方法は、第２の設定情報と関連付けられた測定ギャップにおいて第１のタイプの検出参照信号に対する測定を無線デバイスによって行えるという指示を無線デバイスから受信することをさらに含むことができる。
【００９５】
図１０は、一定の実施形態による、例示的な無線ネットワークコントローラまたはコアネットワークノードを示す。ネットワークノードの例は、モバイル交換局（ＭＳＣ）、サービングＧＰＲＳサポートノード（ＳＧＳＮ）、移動管理エンティティ（ＭＭＥ）、無線ネットワークコントローラ（ＲＮＣ）、基地局コントローラ（ＢＳＣ）、などを含むことができる。無線ネットワークコントローラまたはコアネットワークノード１０００は、処理回路１０２０、メモリ１０３０、およびネットワークインターフェース１０４０を含む。いくつかの実施形態において、処理回路１０２０は、ネットワークノードによって行われるような上述の機能のいくつかまたは全てを行うための命令を実行し、メモリ１０３０は、処理回路１０２０によって実行される命令を格納し、ネットワークインターフェース１０４０は、ゲートウェイ、スイッチ、ルータ、インターネット、公衆交換電話網（ＰＳＴＮ）、ネットワークノード１１５、無線ネットワークコントローラまたはコアネットワークノード１０００などの任意の適切なノードに信号を通信する。
【００９６】
処理回路１０２０は、無線ネットワークコントローラまたはコアネットワークノード１０００の説明される機能のいくつかまたは全てを行うために命令を実行し、データを操作するための１つまたは複数のモジュールに実装されたハードウェアとソフトウェアの任意の適切な組合せを含むことができる。いくつかの実施形態において、処理回路１０２０は、例えば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含むことができる。
【００９７】
メモリ１０３０は、ロジック、ルール、アルゴリズム、コード、テーブルなどの１つもしくは複数を含むコンピュータプログラム、ソフトウェア、アプリケーションなどの命令、および／またはプロセッサによって実行されることが可能な他の命令を格納するように一般に動作可能である。メモリ１０３０の例は、コンピュータメモリ（例えばランダムアクセスメモリ（ＲＡＭ）もしくはリードオンリメモリ（ＲＯＭ））、マスストレージ媒体（例えばハードディスク）、取外し可能ストレージ媒体（例えばコンパクトディスク（ＣＤ）もしくはデジタルビデオディスク（ＤＶＤ））、ならびに／または、または情報を格納する、他の任意の揮発性もしくは不揮発性の、非一時的コンピュータ可読メモリデバイスおよび／もしくはコンピュータ実行可能メモリデバイスを含む。
【００９８】
いくつかの実施形態において、ネットワークインターフェース１０４０は、処理回路１０２０に通信連結され、ネットワークノードに対する入力を受信すること、ネットワークノードから出力を送ること、入力もしくは出力もしくは両方の適切な処理を行うこと、他のデバイスに通信すること、または前述のいずれかの組合せ、を行うように動作可能な任意の適切なデバイスを指すことができる。ネットワークインターフェース１０４０は、ネットワークを通じて通信するための、妥当なハードウェア（例えば、ポート、モデム、ネットワークインターフェースカードなど）、およびプロトコル変換およびデータ処理能力を含むソフトウェアを含むことができる。
【００９９】
ネットワークノードの他の実施形態は、上述の機能のいずれか、および／または（上述の解決策をサポートするのに必要な任意の機能を含む）任意の追加機能を含む、ネットワークノードの機能の一定の態様を行う責任がある可能性のある、図１０に示されたもの以上の追加の構成要素を含むことができる。
【０１００】
一定の実施形態によれば、無線デバイスにおける方法は、本明細書で説明される１つまたは複数の実施形態による動作を無線デバイスが行えることを別のノードに示すことを任意選択で含むことができる。方法は、サービングキャリア（Ｆ１）の検出参照信号の第１のタイプ（ＤＲＳ１）に対して第１の測定を行う必要性を判定することと、サービングキャリア（Ｆ１）のＤＲＳの第２のタイプ（ＤＲＳ２）に対して第２の測定を行う必要性を判定することと、少なくとも第２の測定を行うための測定ギャップが必要であることを判定することと、ＤＲＳ１のＢＷがＦ１の少なくとも１つのセルのセルのＢＷより小さい場合に、測定ギャップを使用および共有すること、またはＤＲＳ１のＢＷ＝Ｆ１の全てのセルのセルのＢＷ、である場合に、測定ギャップがない状態で第１の測定を行うことを行いながら、判定された必要性に基づいて第１の測定および第２の測定を行うことと、をさらに含むことができる。
【０１０１】
任意選択で、方法は、第１の測定および第２の測定のうちの少なくとも１つの結果を別のノードに送ることをさらに含むことができる。
【０１０２】
任意選択で、方法は、第１の測定および第２の測定のうちの少なくとも１つの結果を１つまたは複数の動作タスクのために使用することをさらに含むことができる。
【０１０３】
一定の実施形態によれば、無線デバイスは、処理回路を含むことができ、処理回路は、任意選択で、本明細書で説明される１つまたは複数の実施形態による動作を無線デバイスが行えることを別のノードに示すように設定される。処理回路は、サービングキャリア（Ｆ１）の検出参照信号の第１のタイプ（ＤＲＳ１）に対して第１の測定を行う必要性を判定することと、サービングキャリア（Ｆ１）のＤＲＳの第２のタイプ（ＤＲＳ２）に対して第２の測定を行う必要性を判定することと、少なくとも第２の測定を行うための測定ギャップが必要であることを判定することと、ＤＲＳ１のＢＷがＦ１の少なくとも１つのセルのセルのＢＷより小さい場合に、測定ギャップを使用および共有すること、またはＤＲＳ１のＢＷ＝Ｆ１の全てのセルのセルのＢＷ、である場合に、測定ギャップがない状態で第１の測定を行うことを行いながら、判定された必要性に基づいて第１の測定および第２の測定を行うことと、を行うようにさらに設定されることが可能である。
【０１０４】
任意選択で、処理回路は、第１の測定および第２の測定のうちの少なくとも１つの結果を別のノードに送るようにさらに設定されることが可能である。
【０１０５】
任意選択で、処理回路は、第１の測定および第２の測定のうちの少なくとも１つの結果を１つまたは複数の動作タスクのために使用するようにさらに設定されることが可能である。
【０１０６】
一定の実施形態によれば、ネットワークノードにおける方法は、ＵＥがサービングキャリアに対して第１の測定を行う必要性を判定することと、ＵＥがサービングキャリアに対して第２の測定を行う必要性を判定することと、第１の測定および第２の測定のうちの少なくとも１つを行うための測定ギャップが必要であることを判定することと、第１および／または第２の測定のために使用される信号のための独自のノードまたは別のノードの送信設定（例えば、時間ドメインおよび／または周波数ドメインのリソースまたはパターン、伝送帯域幅など）、ＵＥの測定ギャップ設定、例えば、時間ドメインおよび／または周波数ドメインのリソースまたはパターン、周期、サービングキャリアに対する任意の測定または第１および／もしくは第２の測定のためのＢＷ、などといった第１および／または第２の測定設定、データを受信するためならびに／または第１および／もしくは第２の測定を行うためのＵＥのホッピング設定、ＤＲＳ設定、ＵＥの機能設定（例えばＤＲＸサイクル長）の１つまたは複数の（再）設定を、測定ギャップの判定された必要性に基づいてネットワークノードが制御するか提案することと、を含むことができる。
【０１０７】
一定の実施形態によれば、ネットワークノードは、処理回路を含むことができ、処理回路は、ＵＥがサービングキャリアに対して第１の測定を行う必要性を判定することと、ＵＥがサービングキャリアに対して第２の測定を行う必要性を判定することと、第１の測定および第２の測定のうちの少なくとも１つを行うための測定ギャップが必要であることを判定することと、第１および／または第２の測定のために使用される信号のための独自のノードまたは別のノードの送信設定（例えば、時間ドメインおよび／または周波数ドメインのリソースまたはパターン、伝送帯域幅など）、ＵＥの測定ギャップ設定、例えば、時間ドメインおよび／または周波数ドメインのリソースまたはパターン、周期、サービングキャリアに対する任意の測定または第１および／もしくは第２の測定のためのＢＷ、などといった第１および／または第２の測定設定、データを受信するためならびに／または第１および／もしくは第２の測定を行うためのＵＥのホッピング設定、ＤＲＳ設定、ＵＥの機能設定（例えばＤＲＸサイクル長）の１つまたは複数の（再）設定を、測定ギャップの判定された必要性に基づいてネットワークノードが制御するか提案することと、を行うように設定される。
【０１０８】
本開示の一定の実施形態は、１つまたは複数の技術的長所をもたらすことができる。例えば、一定の実施形態は、測定ギャップが同一周波数内測定に対しても必要とされるときに、同一周波数内測定を行う可能性を与えること、およびもたらすことができる。別の例として、一定の実施形態は、様々な要求事項または優先度／重要性と関連付けられることも可能な、異なるタイプの同一周波数内測定の間の測定ギャップを共有する可能性を与えること、およびもたらすことができる。さらに別の例として、一定の実施形態は、サービングセルに対する測定のためにギャップ共有を動的にさらに制御する可能性を与えること、および、またはもたらすことができる。
【０１０９】
本開示の範囲から逸脱することなく、本明細書で説明されるシステムおよび装置に対して修正、追加、または省略が行われることが可能である。システムおよび装置の構成要素は統合されること、または分離されることが可能である。さらに、システムおよび装置の動作は、より多くの、より少ない、または他の構成要素によって行われることが可能である。さらに、システムおよび装置の動作は、ソフトウェア、ハードウェア、および／または他のロジックを含む任意の適切なロジックを使用して行われることが可能である。本書類において使用されるように、「各」は、セットの各メンバ、またはセットのサブセットの各メンバを指す。
【０１１０】
本開示の範囲から逸脱することなく、本明細書で説明される方法に対して修正、追加、または省略が行われることが可能である。方法は、より多くの、より少ない、または他のステップを含むことができる。さらに、ステップは、任意の適切な順序で行われることが可能である。
【０１１１】
本開示は、一定の実施形態の観点から説明されたが、実施形態の代替および並替えは、当業者には明らかであろう。したがって、実施形態の上記の記述は、本開示を制限するものではない。他の変更、代用、および代替は、以下の特許請求の範囲によって規定されるように、本開示の精神および範囲から逸脱することなく可能である。
【０１１２】
先の説明において使用された省略形は以下を含む。
ＡＣＫ        承認
ＡＤＣ        アナログ／デジタル変換
ＡＧＣ        自動利得制御
ＡＮＲ        自動近隣関係
ＡＰ          アクセスポイント
ＢＣＨ        ブロードキャストチャネル
ＢＬＥＲ      ブロックエラー率
ＢＳ          基地局
ＢＳＣ        基地局コントローラ
ＣＡ          キャリアアグリゲーション
ＣＣ          コンポーネントキャリア
ＣＧ          セルグループ
ＣＧＩ        セルグローバルアイデンティティ
ＣＰ          サイクリックプレフィックス
ＣＰＩＣＨ    共通パイロットチャネル
ＣＳＧ        クローズドサブスクライバグループ
ＤＡＳ        分散アンテナシステム
ＤＣ          デュアルコネクティビティ
ＤＦＴ        離散フーリエ変換
ＤＬ          ダウンリンク
ＤＬ−ＳＣＨ  ダウンリンク共有チャネル
ＤＲＸ        間欠受信
ＥＡＲＦＣＮ  エボルブド絶対無線周波数チャネル番号
ＥＣＧＩ      エボルブドＣＧＩ
ｅＮＢ        ｅＮｏｄｅＢ
ＦＤＤ        周波数分割複信
ＦＦＴ        高速フーリエ変換
ＨＤ−ＦＤＤ  半二重ＦＤＤ
ＨＯ          ハンドオーバ
ＬＣＭＳ      移動状態の重要度のレベル
Ｍ２Ｍ        マシンツーマシン
ＭＡＣ        媒体アクセス制御
ＭＣＧ        マスタセルグループ
ＭＤＴ        ドライブテストの最小化
ＭｅＮＢ      マスタｅＮｏｄｅＢ
ＭＭＥ        移動管理エンティティ
ＭＲＴＤ      最大受信タイミング差
ＭＳＲ        マルチスタンダード無線機
ＮＡＣＫ      非承認
ＯＦＤＭ      直交周波数分割多重
ＳＩ          システム情報
ＳＩＢ        システム情報ブロック
ＰＣＣ        １次コンポーネントキャリア
ＰＣＩ        物理セルアイデンティティ
ＰＣｅｌｌ    １次セル
ＰＣＧ        １次セルグループ
ＰＣＨ        ページングチャネル
ＰＤＵ        プロトコルデータユニット
ＰＧＷ        パケットゲートウェイ
ＰＨＩＣＨ    物理ＨＡＲＱ指示チャネル
ＰＬＭＮ      地上波公共移動通信ネットワーク
ＰｒｏＳｅ    近傍サービス
ＰＳＣｅｌｌ  １次ＳＣｅｌｌ
ＰＳＣ        １次サービングセル
ＰＳＳ        一次同期信号
ＰＳＳＳ      １次サイドリンク同期信号
ＲＡＴ        無線アクセス技術
ＲＦ          無線周波数
ＲＬＭ        無線リンク監視
ＲＮＣ        無線ネットワークコントローラ
ＲＲＣ        無線リソース制御
ＲＲＨ        リモート無線ヘッド
ＲＲＵ        リモートラジオユニット
ＲＳＣＰ      受信信号コード電力
ＲＳＲＰ      参照信号受信電力
ＲＳＲＱ      参照信号受信品質
ＲＳＳＩ      受信信号強度指標
ＲＳＴＤ      参照信号時間差
ＳＣＣ        ２次コンポーネントキャリア
ＳＣｅｌｌ    ２次セル
ＳＣＧ        ２次セルグループ
ＳｅＮＢ      ２次ｅＮｏｄｅＢ
ＳＦＮ        システムフレーム番号
ＳＧＷ        シグナリングゲートウェイ
ＳＩＮＲ      信号対干渉およびノイズ比
ＳＯＮ        自己組織化ネットワーク
ＳＳＣ        ２次サービングセル
ＳＳＳ        ２次同期信号
ＴＡ          タイミングアドバンス
ＴＡＧ        タイミングアドバンスグループ
ＴＤＤ        時分割複信
Ｔｘ          送信機
ＵＡＲＦＣＮ  絶対無線周波数チャネル番号
ＵＥ          ユーザ機器
ＵＬ          アップリンク
Ｖ２Ｘ        車両対Ｘ
Ｖ２Ｉ        車両対インフラストラクチャ
Ｖ２Ｐ        車両対歩行者
【０１１３】
追加情報（３ＧＰＰ  ＴＳ３６．１３３  Ｒｅｌ．１４の草案）
８．１５．２  ＣＥモードＡであるＵＥカテゴリＭ２への要求事項
従属項８．１５．２における要求事項のＵＥカテゴリＭ２の適用は、セクション３．６において規定される。本セクションにおける要求事項は、ＣＥモードＡで設定されるＵＥカテゴリＭ２に適用可能である。項８．１５．２において規定される要求事項は、以下の条件が満たされる場合、適用される。
−  テーブル８．１．２．１−１において規定されるギャップパターンのいずれかによる測定ギャップでＵＥが設定される。
【０１１４】
８．１５．２．１  ＣＥモードＡであるＵＥカテゴリＭ２に対する複数監視のための最大許容レイヤ
ＣＥモードＡで設定されるＵＥのＵＥカテゴリＭ２は、少なくとも以下を監視することができる。
−  ＵＥの能力に応じた、２つのＦＤＤのＥ−ＵＴＲＡ異周波数間キャリア、および
−  ＵＥの能力に応じた、２つのＴＤＤのＥ−ＵＴＲＡキャリア
【０１１５】
上記で規定された要求事項に加えて、ＵＥは、１つのサービング搬送周波数、およびＥ−ＵＴＲＡのＦＤＤ異周波数間レイヤとＥ−ＵＴＲＡのＴＤＤ異周波数間レイヤの上記で規定された組合せのいずれかを含む、合計で少なくとも５つの搬送周波数レイヤを監視することができる。
【０１１６】
８．１５．２．２  ＣＥモードＡであるＵＥカテゴリＭ２によるＥ−ＵＴＲＡＮの同一周波数内測定
ＵＥは、新しい同一周波数内セルを識別し、物理レイヤのセルアイデンティティを収める明示的な同一周波数内近隣セルのリストがない状態で、識別した同一周波数内セルのＲＳＲＰ測定およびＲＳＲＱ測定を行うことができる。ＲＲＣ＿ＣＯＮＮＥＣＴＥＤ状態の間、ＵＥは、識別した同一周波数内セルを継続的に測定し、新しい同一周波数内セルをさらに検索して識別する。
【０１１７】
８．１５．２．２．１  Ｅ−ＵＴＲＡＮのＦＤＤ同一周波数内測定
８．１５．２．２．１．１  ＤＲＸが使用されないときのＥ−ＵＴＲＡＮの同一周波数内測定
ＤＲＸが使用中でないとき、ＵＥは、
SCH Es/Iot
≧−６ｄＢであるとき、テーブル８．１５．２．２．１．１−１における要求事項に従って、新しい検出可能なＦＤＤ同一周波数内セルを識別して測定することができる。
テーブル8.15.2.2.1.1-1:FDD同一周波数内セルに対するセル識別遅延および測定遅延についての要求事項
2020516148.tif 000008
Ｋｉｎｔｒａ＿Ｍ２＿ＮＣ＝１／Ｘ＊１００であり、ここで、Ｘは、シグナリングされるＲＲＣパラメータＴＢＤ［２］である。
【０１１８】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−１に従う
【０１１９】
セルの識別は、セルの検出、および測定期間Ｔｍｅａｓｕｒｅ＿ｉｎｔｒａ＿ＵＥ  ｃａｔ  Ｍ２である単一の測定をさらに行うことを含む。高い方のレイヤのフィルタリングが使用される場合、さらなるセル識別遅延が予期される可能性がある。
【０１２０】
ＲＲＣ＿ＣＯＮＮＥＣＴＥＤ状態において、同一周波数内測定のための測定期間は、テーブル８．１５．２．２．１．１−１に従う。測定ギャップが有効化されると、ＵＥは、少なくとも６つのセルに対して測定を行うことができる。ＵＥが６つのセルより多く識別した場合、ＵＥは測定を行うが、ＵＥの物理レイヤから高い方のレイヤへの、セルのＲＳＲＰ測定およびＲＳＲＱ測定のレポート率は低下する可能性がある。
【０１２１】
全ての測定セルに対するＲＳＲＰ測定の精度は、従属項９．１．ｘ．１および従属項９．１．ｘ．２において指定されるようなものである。
【０１２２】
全ての測定セルに対するＲＳＲＱ測定の精度は、従属項９．１．ｘ．３において指定されるようなものである。
【０１２３】
８．１５．２．２．１．１．１  測定レポーティングの要求事項
８．１５．２．２．１．１．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０１２４】
８．１５．２．２．１．１．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０１２５】
イベント誘発の定期測定レポーティングにおける第１のレポートは、項８．１５．２．２．１．１．１．３に指定された要求事項を満たす。
【０１２６】
８．１５．２．２．１．１．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０１２７】
ＵＥは、レポート基準が満たされない限り、いずれのイベント誘発の測定レポートも送らない。
【０１２８】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０１２９】
Ｌ３フィルタリングがない状態で測定されるイベント誘発の測定レポート遅延は、項８．１５．２．２．１．１において規定されるＴｉｄｅｎｔｉｆｙ  ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１３０】
項８．１５．２．２．１．１において規定される少なくとも時間Ｔｉｄｅｎｔｉｆｙ＿ｉｎｔｒａ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、ＴＭｅａｓｕｒｅｍｅｎｔ＿Ｐｅｒｉｏｄ＿ＵＥ  ｃａｔ  Ｍ２，  ｉｎｔｒａより小さい。Ｌ３フィルタリングが使用されるか、ＩＤＣ自律拒否が設定されるとき、さらなる遅延が予期される可能性がある。
【０１３１】
８．１５．２．２．１．２  ＤＲＸが使用されるときのＥ−ＵＴＲＡＮの同一周波数内測定
ＤＲＸが使用中であるとき、ＵＥは、テーブル８．１５．２．２．１．２−１において示されるようなＴｉｄｅｎｔｉｆｙ＿ｉｎｔｒａ＿ＵＥ  ｃａｔ  Ｍ２＿ＮＣの中で、新しい検出可能なＦＤＤ同一周波数内セルを識別することができる。
【０１３２】
ｅＤＲＸ＿ＣＯＮＮが使用中であるとき、ＵＥは、テーブル８．１５．２．２．１．２−１Ａにおいて示されるようなＴｉｄｅｎｔｉｆｙ＿ｉｎｔｒａ＿ＵＥ  ｃａｔ  Ｍ２＿ＮＣの中で、新しい検出可能なＦＤＤ同一周波数内セルを識別することができる。
テーブル8.15.2.2.1.2-1:新たに検出可能なFDD同一周波数内セルを識別するための要求事項
2020516148.tif 000009
テーブル8.15.2.2.1.2-1A:eDRX_CONNサイクルが使用されるときの新たに検出可能なFDD同一周波数内セルを識別するための要求事項
2020516148.tif 000010
【０１３３】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録Ｂ．２．１４−１に従う
【０１３４】
ＲＲＣ＿ＣＯＮＮＥＣＴＥＤ状態において、同一周波数内測定のための測定期間は、Ｔｍｅａｓｕｒｅ＿ｉｎｔｒａ＿ＵＥ  ｃａｔ  Ｍ２である。ＤＲＸが使用されるとき、Ｔｍｅａｓｕｒｅ＿ｉｎｔｒａ＿ＵＥ  ｃａｔ  Ｍ２＿ＮＣは、テーブル８．１５．２．２．１．２−２において指定されるようなものである。ｅＤＲＸ＿ＣＯＮＮが使用されるとき、Ｔｍｅａｓｕｒｅ＿ｉｎｔｒａ＿ＵＥ  ｃａｔ  Ｍ２＿ＮＣは、テーブル８．１５．２．２．１．２−３において指定されるようなものである。ＵＥは、６つの識別した同一周波数内セルに対してＲＳＲＰ測定およびＲＳＲＱ測定を行うことができ、ＵＥの物理レイヤは、測定期間Ｔｍｅａｓｕｒｅ＿ｉｎｔｒａ＿ＵＥ  ｃａｔ  Ｍ２である測定を高い方のレイヤにレポートすることができる。
テーブル8.15.2.2.1.2-2:FDD同一周波数内セルを測定するための要求事項
2020516148.tif 000011
テーブル8.15.2.2.1.2-3:eDRX_CONNサイクルが使用されるときのFDD同一周波数内セルを測定するための要求事項
2020516148.tif 000012
【０１３５】
全ての測定セルに対するＲＳＲＰ測定の精度は、従属項９．１．ｘ．１および従属項９．１．ｘ．２において指定されるようなものである。
【０１３６】
全ての測定セルに対するＲＳＲＱ測定の精度は、従属項９．１．ｘ．３において指定されるようなものである。
【０１３７】
８．１５．２．２．１．２．１  測定レポーティングの要求事項
８．１５．２．２．１．２．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０１３８】
８．１５．２．２．１．２．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０１３９】
イベント誘発の定期測定レポーティングにおける第１のレポートは、項８．１５．２．２．１．２．１．３に指定された要求事項を満たす。
【０１４０】
８．１５．２．２．１．２．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０１４１】
ＵＥは、レポート基準が満たされない限り、いずれのイベント誘発の測定レポートも送らない。
【０１４２】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０１４３】
Ｌ３フィルタリングがない状態で測定されるイベント誘発の測定レポート遅延は、項８．１５．２．２．１．２において規定されるＴｉｄｅｎｔｉｆｙ＿ｉｎｔｒａ，  ＵＥ  ｃａｔ  Ｍ２より小さい。Ｌ３フィルタリングが使用されるか、ＩＤＣ自律拒否が設定されるとき、さらなる遅延が予期される可能性がある。
【０１４４】
項８．１５．２．２．１．２において規定される少なくとも時間Ｔｉｄｅｎｔｉｆｙ＿ｉｎｔｒａ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１４５】
８．１５．２．２．２  ＨＤ−ＦＤＤに対するＥ−ＵＴＲＡＮの同一周波数内測定
８．１５．２．２．２．１  ＤＲＸが使用されないときのＥ−ＵＴＲＡＮの同一周波数内測定
本セクションにおける要求事項は、１つまたは複数のサポートされる周波数帯域において半二重動作をサポートするＵＥに適用可能である［２］。
【０１４６】
項８．１５．２．２．１．１において規定される要求事項は、以下の条件が満足される場合、本セクションにも適用される。
−  ＵＥによって識別されることになる同一周波数内セルの無線フレーム毎に少なくともダウンリンクサブフレーム＃０または＃５が、Ｔｉｄｅｎｔｉｆｙ＿ｉｎｔｒａ＿ＵＥ  ｃａｔ  Ｍ２にわたってＵＥにおいて利用可能である
−  測定セルの無線フレーム毎に少なくとも１つのダウンリンクサブフレームが、測定セルがＴｍｅａｓｕｒｅ＿ｉｎｔｒａ＿ＵＥ  ｃａｔ  Ｍ２にわたって識別したセルであると仮定するＲＳＲＰ測定に対してＵＥにおいて利用可能である
−  セクション９．１．２．１およびセクション９．１．２．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−２に従う
【０１４７】
８．１５．２．２．２．２  ＤＲＸが使用されるときのＥ−ＵＴＲＡＮの同一周波数内測定
本セクションにおける要求事項は、１つまたは複数のサポートされる周波数帯域において半二重動作をサポートするＵＥに適用可能である［２］。
【０１４８】
ＤＲＸが使用中であるとき、ＵＥは、テーブル８．１５．２．２．２．２−１において示されるようなＴｉｄｅｎｔｉｆｙ＿ｉｎｔｒａ＿ＵＥ  ｃａｔ  Ｍ２＿ＮＣにおいて、新しい検出可能なＨＤ−ＦＤＤ同一周波数内セルを識別することができる。
【０１４９】
ｅＤＲＸ＿ＣＯＮＮが使用中であるとき、ＵＥは、テーブル８．１５．２．２．２．２−１Ａにおいて示されるようなＴｉｄｅｎｔｉｆｙ＿ｉｎｔｒａ＿ＵＥ  ｃａｔ  Ｍ２＿ＮＣの中で、新しい検出可能なＦＤＤ同一周波数内セルを識別することができる。
テーブル8.15.2.2.2.2-1:新たに検出可能なHD-FDD同一周波数内セルを識別するための要求事項
2020516148.tif 000013
テーブル8.15.2.2.2.2-1A:eDRX_CONNサイクルが使用されるときの新たに検出可能なHD-FDD同一周波数内セルを識別するための要求事項
2020516148.tif 000014
【０１５０】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−２に従う
【０１５１】
ＲＲＣ＿ＣＯＮＮＥＣＴＥＤ状態において、同一周波数内測定のための測定期間は、Ｔｍｅａｓｕｒｅ＿ｉｎｔｒａ＿ＵＥ  ｃａｔ  Ｍ２である。ＤＲＸが使用されるとき、Ｔｍｅａｓｕｒｅ＿ｉｎｔｒａ＿ＵＥ  ｃａｔ  Ｍ２＿ＮＣは、テーブル８．１５．２．２．２．２−２において指定されるようなものである。ｅＤＲＸ＿ＣＯＮＮが使用されるとき、Ｔｍｅａｓｕｒｅ＿ｉｎｔｒａ＿ＵＥ  ｃａｔ  Ｍ２＿ＮＣは、テーブル８．１５．２．２．２．２−３において指定されるようなものである。ＵＥは、６つの識別した同一周波数内セルに対してＲＳＲＰ測定およびＲＳＲＱ測定を行うことができ、ＵＥの物理レイヤは、測定期間Ｔｍｅａｓｕｒｅ＿ｉｎｔｒａ＿ＵＥ  ｃａｔ  Ｍ２である測定を高い方のレイヤにレポートすることができる。
テーブル8.15.2.2.2.2-2:HD-FDD同一周波数内セルを測定するための要求事項
2020516148.tif 000015
テーブル8.15.2.2.2.2-3:eDRX_CONNサイクルが使用されるときのHD-FDD同一周波数内セルを測定するための要求事項
2020516148.tif 000016
【０１５２】
全ての測定セルに対するＲＳＲＰ測定の精度は、従属項９．１．ｘ．１および従属項９．１．ｘ．２において指定されるようなものである。
【０１５３】
全ての測定セルに対するＲＳＲＱ測定の精度は、従属項９．１．ｘ．３において指定されるようなものである。
【０１５４】
８．１５．２．２．２．２．１  測定レポーティングの要求事項
８．１５．２．２．２．２．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０１５５】
８．１５．２．２．２．２．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０１５６】
イベント誘発の定期測定レポーティングにおける第１のレポートは、項８．１５．２．２．２．２．１．３において指定された要求事項を満たす。
【０１５７】
８．１５．２．２．２．２．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０１５８】
ＵＥは、レポート基準が満たされない限り、いずれのイベント誘発の測定レポートも送らない。
【０１５９】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０１６０】
Ｌ３フィルタリングがない状態で測定されるイベント誘発の測定レポート遅延は、項８．１５．２．２．２．２において規定されるＴｉｄｅｎｔｉｆｙ＿ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１６１】
項８．１５．２．２．２．２において規定される少なくとも時間Ｔｉｄｅｎｔｉｆｙ＿ｉｎｔｒａ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１６２】
８．１５．２．２．３  Ｅ−ＵＴＲＡＮのＴＤＤ同一周波数内測定
８．１５．２．２．３．１  ＤＲＸが使用されないときのＥ−ＵＴＲＡＮの同一周波数内測定
ＤＲＸが使用中でないとき、ＵＥは、
SCH Es/Iot
≧−６ｄＢであるとき、テーブル８．１５．２．２．３．１−１における要求事項に従って、新しい検出可能なＴＤＤ同一周波数内セルを識別して測定することができる。
テーブル8.15.2.2.3.1-1:TDD同一周波数内セルに対するセル識別遅延および測定遅延についての要求事項
2020516148.tif 000017
Ｋｉｎｔｒａ＝１／Ｘ＊１００であり、ここで、Ｘは、シグナリングされるＲＲＣパラメータＴＢＤ［２］である。
【０１６３】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−１に従う
【０１６４】
セルの識別は、セルの検出、および測定期間Ｔｍｅａｓｕｒｅ＿ｉｎｔｒａ＿ＵＥ  ｃａｔ  Ｍ２である単一の測定をさらに行うことを含む。高い方のレイヤのフィルタリングが使用される場合、さらなるセル識別遅延が予期される可能性がある。
【０１６５】
ＲＲＣ＿ＣＯＮＮＥＣＴＥＤ状態において、同一周波数内測定のための測定期間は、テーブル８．１５．２．２．３．１−１に従う。測定ギャップが有効化されると、ＵＥは、少なくとも６つのセルに対して測定を行うことができる。ＵＥが６つのセルより多く識別した場合、ＵＥは測定を行うが、ＵＥの物理レイヤから高い方のレイヤへの、セルのＲＳＲＰ測定およびＲＳＲＱ測定のレポート率は低下する可能性がある。
【０１６６】
全ての測定セルに対するＲＳＲＰ測定の精度は、従属項９．１．ｘ．１および従属項９．１．ｘ．２において指定されるようなものである。
【０１６７】
全ての測定セルに対するＲＳＲＱ測定の精度は、従属項９．１．ｘ．３において指定されるようなものである。
【０１６８】
８．１５．２．２．３．１．１  測定レポーティングの要求事項
８．１５．２．２．３．１．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０１６９】
８．１５．２．２．３．１．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０１７０】
イベント誘発の定期測定レポーティングにおける第１のレポートは、項８．１５．２．２．３．１．１．３において指定された要求事項を満たす。
【０１７１】
８．１５．２．２．３．１．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０１７２】
ＵＥは、レポート基準が満たされない限り、いずれのイベント誘発の測定レポートも送らない。
【０１７３】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０１７４】
Ｌ３フィルタリングがない状態で測定されるイベント誘発の測定レポート遅延は、項８．１５．２．２．３．１において規定されるＴｉｄｅｎｔｉｆｙ  ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１７５】
項８．１５．２．２．３．１において規定される少なくとも時間Ｔｉｄｅｎｔｉｆｙ＿ｉｎｔｒａ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、ＴＭｅａｓｕｒｅｍｅｎｔ＿Ｐｅｒｉｏｄ  ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１７６】
８．１５．２．２．３．２  ＤＲＸが使用されるときのＥ−ＵＴＲＡＮの同一周波数内測定
ＤＲＸが使用中であるとき、ＵＥは、テーブル８．１５．２．２．３．２−１において示されるようなＴｉｄｅｎｔｉｆｙ＿ｉｎｔｒａ＿  ＵＥ  ｃａｔ  Ｍ２において、新しい検出可能なＴＤＤ同一周波数内セルを識別することができる。
【０１７７】
ｅＤＲＸ＿ＣＯＮＮが使用中であるとき、ＵＥは、テーブル８．１５．２．２．３．２−１Ａにおいて示されるようなＴｉｄｅｎｔｉｆｙ＿ｉｎｔｒａ＿ＵＥ  ｃａｔ  Ｍ２＿ＮＣにおいて、新しい検出可能なＴＤＤ同一周波数内セルを識別することができる。
テーブル8.15.2.2.3.2-1:新たに検出可能なTDD同一周波数内セルを識別するための要求事項
2020516148.tif 000018
テーブル8.15.2.2.3.2-1A:eDRX_CONNサイクルが使用されるときの新たに検出可能なTDD同一周波数内セルを識別するための要求事項
2020516148.tif 000019
【０１７８】
セルは、以下のときに検出可能であるとみなされる。
−  項９．１．ｘ．１および項９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−１に従う
【０１７９】
ＲＲＣ＿ＣＯＮＮＥＣＴＥＤ状態において、同一周波数内測定のための測定期間は、Ｔｍｅａｓｕｒｅ＿ｉｎｔｒａ＿ＵＥ  ｃａｔ  Ｍ２である。ＤＲＸが使用されるとき、Ｔｍｅａｓｕｒｅ＿ｉｎｔｒａ＿ＵＥ  ｃａｔ  Ｍ２＿ＮＣは、テーブル８．１５．２．２．３．２−２において指定されるようなものである。ｅＤＲＸ＿ＣＯＮＮが使用されるとき、Ｔｍｅａｓｕｒｅ＿ｉｎｔｒａ＿ＵＥ  ｃａｔ  Ｍ２＿ＮＣは、テーブル８．１５．２．２．３．２−３において指定されるようなものである。ＵＥは、６つの識別した同一周波数内セルに対してＲＳＲＰ測定およびＲＳＲＱ測定を行うことができ、ＵＥの物理レイヤは、測定期間Ｔｍｅａｓｕｒｅ＿ｉｎｔｒａ＿ＵＥ  ｃａｔ  Ｍ２である測定を高い方のレイヤにレポートすることができる。
テーブル8.15.2.2.3.2-2:TDD同一周波数内セルを測定するための要求事項
2020516148.tif 000020
テーブル8.15.2.2.3.2-3:eDRX_CONNサイクルが使用されるときのTDD同一周波数内セルを測定するための要求事項
2020516148.tif 000021
【０１８０】
全ての測定セルに対するＲＳＲＰ測定の精度は、従属項９．１．ｘ．１および従属項９．１．ｘ．２において指定されるようなものである。
【０１８１】
全ての測定セルに対するＲＳＲＱ測定の精度は、従属項９．１．ｘ．３において指定されるようなものである。
【０１８２】
８．１５．２．２．３．２．１  測定レポーティングの要求事項
８．１５．２．２．３．２．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０１８３】
８．１５．２．２．３．２．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０１８４】
イベント誘発の定期測定レポーティングにおける第１のレポートは、項８．１５．２．２．３．２．１．３において指定された要求事項を満たす。
【０１８５】
８．１５．２．２．３．２．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０１８６】
ＵＥは、レポート基準が満たされない限り、いずれのイベント誘発の測定レポートも送らない。
【０１８７】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０１８８】
Ｌ３フィルタリングがない状態で測定されるイベント誘発の測定レポート遅延は、項８．１５．２．２．３．２において規定されるＴｉｄｅｎｔｉｆｙ＿ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１８９】
項８．１５．２．２．３．２において規定される少なくとも時間Ｔｉｄｅｎｔｉｆｙ＿ｉｎｔｒａ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｒａ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０１９０】
８．１５．２．３  ＣＥモードＡであるＵＥカテゴリＭ２によるＥ−ＵＴＲＡＮの異周波数間測定
ＵＥは、新しい異周波数間セルを識別することができ、物理レイヤのセルアイデンティティを有する明示的な近隣リストが提供されなかったとしても、搬送周波数情報がＰＣｅｌｌによって提供される場合、識別した異周波数間セルのＲＳＲＰ測定およびＲＳＲＱ測定を行う。ＲＲＣ＿ＣＯＮＮＥＣＴＥＤ状態の間、ＵＥは、識別した異周波数間セルを継続的に測定し、新しい異周波数間セルをさらに検索して識別する。
【０１９１】
８．１５．２．３．１  Ｅ−ＵＴＲＡＮのＦＤＤ−ＦＤＤ異周波数間測定
８．１５．２．３．１．１  ＤＲＸが使用されないときのＥ−ＵＴＲＡＮのＦＤＤ−ＦＤＤ異周波数間測定
ＤＲＸが使用中でないとき、ＵＥは、
SCH Es/Iot
＞＝−６ｄＢ、であるとき、テーブル８．１５．２．３．１．１−１における要求事項に従って、新しい検出可能なＦＤＤ異周波数間セルを識別して測定することができる。
テーブル8.15.2.3.1.1-1:FDD異周波数間セルに対するセル識別遅延および測定遅延に対する要求事項
2020516148.tif 000022
2020516148.tif 000023
ここで、Ｘは、ＲＲＣパラメータＴＢＤ［２］によってシグナリングされる。
【０１９２】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−１に従う
【０１９３】
セルの識別は、セルの検出、および測定期間Ｔｍｅａｓｕｒｅ＿ｉｎｔｅｒ＿ＵＥ  ｃａｔ  Ｍ２＿ＮＣである単一の測定をさらに行うことを含む。高い方のレイヤのフィルタリングが使用される場合、さらなるセル識別遅延が予期される可能性がある。
【０１９４】
ＲＲＣ＿ＣＯＮＮＥＣＴＥＤ状態において、異周波数間測定のための測定期間は、テーブル８．１５．２．３．１．１−１に従う。ＦＤＤ異周波数間測定のために測定ギャップがスケジューリングされるか、ギャップがない状態でこのような測定を行う能力をＵＥがサポートするとき、ＵＥの物理レイヤは、従属項９．１．ｘ．１および９．１．ｘ．２において指定されるような測定精度で、ＲＳＲＰ測定およびＲＳＲＱ測定を高い方のレイヤにレポートすることができる。
【０１９５】
ＵＥは、２つまでのＦＤＤ異周波数間に対して、ＦＤＤ異周波数間毎に少なくとも４つの異周波数間セルのＲＳＲＰ測定およびＲＳＲＱ測定を行うことができ、ＵＥの物理レイヤは、テーブル８．１５．２．３．１．１−１において規定される測定期間のＲＳＲＰ測定およびＲＳＲＱ測定を高い方のレイヤにレポートすることができる。
【０１９６】
８．１５．２．３．１．１．１  測定レポーティングの要求事項
８．１５．２．３．１．１．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０１９７】
８．１５．２．３．１．１．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０１９８】
イベント誘発の定期測定レポーティングにおける第１のレポートは、項８．１５．２．３．１．１．１．３において指定された要求事項を満たす。
【０１９９】
８．１５．２．３．１．１．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０２００】
ＵＥは、レポート基準が満たされない限り、いずれのイベント誘発の測定レポートも送らない。
【０２０１】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２０２】
Ｌ３フィルタリングがない状態で測定されるイベント誘発の測定レポート遅延は、項８．１５．２．３．１．１において規定されるＴｉｄｅｎｔｉｆｙ  ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２０３】
項８．１５．２．３．１．１において規定される少なくとも時間Ｔｉｄｅｎｔｉｆｙ＿ｉｎｔｅｒ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、ＴＭｅａｓｕｒｅｍｅｎｔ＿Ｐｅｒｉｏｄ＿ＵＥ  ｃａｔ  Ｍ２＿ＮＣ，  Ｉｎｔｅｒより小さい。Ｌ３フィルタリングが使用されるか、ＩＤＣ自律拒否が設定されるとき、さらなる遅延が予期される可能性がある。
【０２０４】
８．１５．２．３．１．２  ＤＲＸが使用されるときのＥ−ＵＴＲＡＮの異周波数間測定
ＤＲＸが使用中であるとき、かつ測定ギャップがスケジューリングされるか、ギャップがない状態でこのような測定を行う能力をＵＥがサポートするとき、ＵＥは、テーブル８．１５．２．３．１．２−１において示されるようなＴｉｄｅｎｔｉｆｙ＿ｉｎｔｅｒ＿ＵＥ  ｃａｔ  Ｍ２＿ＮＣにおいて、新しい検出可能なＦＤＤ異周波数間セルを識別することができる。
【０２０５】
ｅＤＲＸ＿ＣＯＮＮが使用中であるとき、かつ測定ギャップがスケジューリングされるか、ギャップがない状態でこのような測定を行う能力をＵＥがサポートするとき、ＵＥは、テーブル８．１５．２．３．１．２−１Ａにおいて示されるようなＴｉｄｅｎｔｉｆｙ＿ｉｎｔｅｒ＿ＵＥ  ｃａｔ  Ｍ２＿ＮＣにおいて、新しい検出可能なＦＤＤ異周波数間セルを識別することができる。
テーブル8.15.2.3.1.2-1:新たに検出可能なFDD異周波数間セルを識別するための要求事項
2020516148.tif 000024
テーブル8.15.2.3.1.2-1A:eDRX_CONNサイクルが使用されるときの新たに検出可能なFDD異周波数間セルを識別するための要求事項
2020516148.tif 000025
【０２０６】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録Ｂ．２．１４−１に従う
【０２０７】
ＤＲＸまたはｅＤＲＸ＿ＣＯＮＮが使用中であり、ＵＥが、ＦＤＤ異周波数間毎に少なくとも４つの異周波数間セルのＲＳＲＰ測定およびＲＳＲＱ測定を行うことができ、ＵＥの物理レイヤが、測定期間Ｔｍｅａｓｕｒｅ＿ｉｎｔｅｒ＿ＵＥ  ｃａｔ  Ｍ２＿ＮＣのＲＳＲＰおよびＲＳＲＱを高い方のレイヤにレポートすることができるとき、測定ギャップがスケジューリングされるか、ギャップがない状態でこのような測定を行う能力をＵＥがサポートする。ＤＲＸが使用されるとき、Ｔｍｅａｓｕｒｅ＿ｉｎｔｅｒ＿ＵＥ  ｃａｔ  Ｍ２＿ＮＣは、テーブル８．１５．２．３．１．２−２において規定されるようなものであり、ｅＤＲＸ＿ＣＯＮＮが使用中であるとき、Ｔｍｅａｓｕｒｅ＿ｉｎｔｅｒ＿ＵＥ  ｃａｔ  Ｍ２＿ＮＣは、テーブル８．１５．２．３．１．２−３において規定されるようなものである。
テーブル8.15.2.3.1.2-2:FDD異周波数間セルを測定するための要求事項
2020516148.tif 000026
テーブル8.15.2.3.1.2-3:eDRX_CONNサイクルが使用されるときのFDD異周波数間セルを測定するための要求事項
2020516148.tif 000027
【０２０８】
全ての測定セルに対するＲＳＲＰ測定の精度は、従属項９．１．ｘ．１および従属項９．１．ｘ．２において指定されるようなものである。
【０２０９】
全ての測定セルに対するＲＳＲＱ測定の精度は、従属項９．１．ｘ．３において指定されるようなものである。
【０２１０】
８．１５．２．３．１．２．１  測定レポーティングの要求事項
８．１５．２．３．１．２．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０２１１】
８．１５．２．３．１．２．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０２１２】
イベント誘発の定期測定レポーティングにおける第１のレポートは、項８．１５．２．３．１．２．１．３において指定された要求事項を満たす。
【０２１３】
８．１５．２．３．１．２．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０２１４】
ＵＥは、レポート基準が満たされない限り、いずれのイベント誘発の測定レポートも送らない。
【０２１５】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２１６】
Ｌ３フィルタリングがない状態で測定されるイベント誘発の測定レポート遅延は、項８．１５．２．３．１．２において規定されるＴｉｄｅｎｔｉｆｙ＿ｉｎｔｅｒ，  ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２１７】
項８．１５．２．３．１．２において規定される少なくとも時間Ｔｉｄｅｎｔｉｆｙ＿ｉｎｔｅｒ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２１８】
８．１５．２．３．２  ＨＤ−ＦＤＤのためのＥ−ＵＴＲＡＮの異周波数間測定
８．１５．２．３．２．１  ＤＲＸが使用されないときのＥ−ＵＴＲＡＮの異周波数間測定
本セクションにおける要求事項は、１つまたは複数のサポートされる周波数帯域において半二重動作をサポートするＵＥに適用可能である［２］。
【０２１９】
項８．１５．２．３．１．１において規定される要求事項は、以下の条件が満たされる場合、本セクションにも適用される。
−  ＵＥによって識別されることになる異周波数間セルの無線フレーム毎の少なくともダウンリンクサブフレーム＃０またはダウンリンクサブフレーム＃５が、Ｔｉｄｅｎｔｉｆｙ＿ｉｎｔｅｒ＿ＵＥ  ｃａｔ  Ｍ２＿ＮＣにわたってＵＥにおいて利用可能である
−  測定セルの無線フレーム毎の少なくとも１つのダウンリンクサブフレームが、測定セルがＴｍｅａｓｕｒｅ＿ｉｎｔｅｒ＿ＵＥ  ｃａｔ  Ｍ２＿ＮＣにわたって識別したセルであると仮定するＲＳＲＰ測定に対してＵＥにおいて利用可能である
−  セクション９．１．２．１およびセクション９．１．２．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−２に従う
【０２２０】
８．１５．２．３．２．２  ＤＲＸが使用されるときのＥ−ＵＴＲＡＮの異周波数間測定
本セクションにおける要求事項は、１つまたは複数のサポートされる周波数帯域において半二重動作をサポートするＵＥに適用可能である［２］。
【０２２１】
ＤＲＸが使用中であるとき、かつ測定ギャップがスケジューリングされるか、ギャップがない状態でこのような測定を行う能力をＵＥがサポートするとき、ＵＥは、テーブル８．１５．２．３．２．２−１において示されるようなＴｉｄｅｎｔｉｆｙ＿ｉｎｔｅｒ＿ＵＥ  ｃａｔ  Ｍ２＿ＮＣにおいて、新しい検出可能なＦＤＤ異周波数間セルを識別することができる。
【０２２２】
ｅＤＲＸ＿ＣＯＮＮが使用中であるとき、かつ測定ギャップがスケジューリングされるか、ギャップがない状態でこのような測定を行う能力をＵＥがサポートするとき、ＵＥは、テーブル８．１５．２．３．２．２−１Ａに示されるようなＴｉｄｅｎｔｉｆｙ＿ｉｎｔｅｒ＿ＵＥ  ｃａｔ  Ｍ２＿ＮＣにおいて、新しい検出可能なＦＤＤ異周波数間セルを識別することができる。
テーブル8.15.2.3.2.2-1:新たに検出可能なHD-FDD異周波数間セルを識別するための要求事項
2020516148.tif 000028
テーブル8.15.2.3.2.2-1A:eDRX_CONNサイクルが使用されるときの新たに検出可能なHD-FDD異周波数間セルを識別するための要求事項
2020516148.tif 000029
【０２２３】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−２に従う
【０２２４】
ＤＲＸまたはｅＤＲＸ＿ＣＯＮＮが使用中であり、ＵＥが、ＦＤＤ異周波数間毎に少なくとも４つの異周波数間セルのＲＳＲＰ測定およびＲＳＲＱ測定を行うことができ、ＵＥの物理レイヤが、測定期間Ｔｍｅａｓｕｒｅ＿ｉｎｔｅｒ＿ＵＥ  ｃａｔ  Ｍ２＿ＮＣのＲＳＲＰおよびＲＳＲＱを高い方のレイヤにレポートすることができるとき、測定ギャップがスケジューリングされるか、ギャップがない状態でこのような測定を行う能力をＵＥがサポートする。ＤＲＸが使用されるとき、Ｔｍｅａｓｕｒｅ＿ｉｎｔｅｒ＿ＵＥ  ｃａｔ  Ｍ２＿ＮＣは、テーブル８．１５．２．３．２．２−２において規定されるようなものであり、ｅＤＲＸ＿ＣＯＮＮが使用中であるとき、Ｔｍｅａｓｕｒｅ＿ｉｎｔｅｒ＿ＵＥ  ｃａｔ  Ｍ２＿ＮＣは、テーブル８．１５．２．３．２．２−３において規定されるようなものである。
テーブル8.15.2.3.2.2-2:HD-FDD異周波数間セルを測定するための要求事項
2020516148.tif 000030
テーブル8.15.2.3.2.2-3:eDRX_CONNサイクルが使用されるときのHD-FDD異周波数間セルを測定するための要求事項
2020516148.tif 000031
【０２２５】
全ての測定セルに対するＲＳＲＰ測定の精度は、従属項９．１．ｘ．１および従属項９．１．ｘ．２において指定されるようなものである。
【０２２６】
全ての測定セルに対するＲＳＲＱ測定の精度は、従属項９．１．ｘ．３において指定されるようなものである。
【０２２７】
８．１５．２．３．２．２．１  測定レポーティングの要求事項
８．１５．２．３．２．２．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０２２８】
８．１５．２．３．２．２．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０２２９】
イベント誘発の定期測定レポーティングにおける第１のレポートは、項８．１５．２．３．２．２．１．３において指定された要求事項を満たす。
【０２３０】
８．１５．２．３．２．２．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０２３１】
ＵＥは、レポート基準が満たされない限り、いずれのイベント誘発の測定レポートも送らない。
【０２３２】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２３３】
Ｌ３フィルタリングがない状態で測定されるイベント誘発の測定レポート遅延は、項８．１５．２．３．２．２において規定されるＴｉｄｅｎｔｉｆｙ＿ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２３４】
項８．１５．２．３．２．２において規定される少なくとも時間Ｔｉｄｅｎｔｉｆｙ＿ｉｎｔｅｒ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２３５】
８．１５．２．３．３  Ｅ−ＵＴＲＡＮのＴＤＤ異周波数間測定
８．１５．２．３．３．１  ＤＲＸが使用されないときのＥ−ＵＴＲＡＮの異周波数間測定
ＤＲＸが使用中でないとき、かつ測定ギャップがスケジューリングされるか、ギャップがない状態でこのような測定を行う能力をＵＥがサポートするとき、ＵＥは、
SCH Es/Iot
＞＝−６ｄＢ、であるとき、テーブル８．１５．２．３．３．１−１における要求事項に従って新しい検出可能なＴＤＤ異周波数間セルを識別して測定することができる。
テーブル8.15.2.3.3.1-1:TDD異周波数間セルに対するセル識別遅延および測定遅延に対する要求事項
2020516148.tif 000032
2020516148.tif 000033
ここで、Ｘは、ＲＲＣパラメータＴＢＤ［２］によってシグナリングされる。
【０２３６】
セルは、以下のときに検出可能であるとみなされる。
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−１に従う
【０２３７】
ＴＤＤ異周波数間測定のために測定ギャップがスケジューリングされるか、ギャップがない状態でこのような測定を行う能力をＵＥがサポートするとき、ＵＥの物理レイヤは、従属項９．１．ｘ．１および９．１．ｘ．２において指定されるような測定精度で、テーブル８．１５．２．３．３．１−１によって示された測定期間（Ｔｍｅａｓｕｒｅ＿ｉｎｔｅｒ＿ＵＥ  ｃａｔ  Ｍ２＿ＮＣ）のＲＳＲＰおよびＲＳＲＱを高い方のレイヤにレポートすることができる。
【０２３８】
ＵＥは、ＴＤＤ異周波数間毎に少なくとも４つの異周波数間セルのＲＳＲＰ測定およびＲＳＲＱ測定を行うことができ、ＵＥの物理レイヤは、測定期間Ｔｍｅａｓｕｒｅ＿ｉｎｔｅｒ＿ＵＥ  ｃａｔ  Ｍ２＿ＮＣのＲＳＲＰ測定およびＲＳＲＱ測定を高い方のレイヤにレポートすることができる。
【０２３９】
８．１５．２．３．３．１．１  測定レポーティングの要求事項
８．１５．２．３．３．１．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０２４０】
８．１５．２．３．３．１．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０２４１】
イベント誘発の定期測定レポーティングにおける第１のレポートは、項８．１５．２．３．３．１．１．３において指定された要求事項を満たす。
【０２４２】
８．１５．２．３．３．１．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０２４３】
ＵＥは、レポート基準が満たされない限り、いずれのイベント誘発の測定レポートも送らない。
【０２４４】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２４５】
Ｌ３フィルタリングがない状態で測定されるイベント誘発の測定レポート遅延は、項８．１５．２．３．３．１において規定されるＴｉｄｅｎｔｉｆｙ  ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２４６】
項８．１５．２．３．３．１において規定される少なくとも時間Ｔｉｄｅｎｔｉｆｙ＿ｉｎｔｅｒ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、ＴＭｅａｓｕｒｅｍｅｎｔ＿Ｐｅｒｉｏｄ  Ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２４７】
８．１５．２．３．３．２  ＤＲＸが使用されるときのＥ−ＵＴＲＡＮの異周波数間測定
ＤＲＸが使用中であるとき、かつＤＲＸまたはｅＤＲＸ＿ＣＯＮＮが使用中で、測定ギャップがスケジューリングされるか、ギャップがない状態でこのような測定を行う能力をＵＥがサポートするとき、ＵＥは、テーブル８．１５．２．３．３．２−１において示されるようなＴｉｄｅｎｔｉｆｙ＿ｉｎｔｅｒ＿  ＵＥ  ｃａｔ  Ｍ２において、新しい検出可能なＴＤＤ異周波数間セルを識別することができる。
【０２４８】
ｅＤＲＸ＿ＣＯＮＮが使用中であるとき、ＵＥは、テーブル８．１５．２．３．３．２−１Ａにおいて示されるようなＴｉｄｅｎｔｉｆｙ＿ｉｎｔｅｒ＿ＵＥ  ｃａｔ  Ｍ２＿ＮＣにおいて、新しい検出可能なＴＤＤ異周波数間セルを識別することができる。
テーブル8.15.2.3.3.2-1:新たに検出可能なTDD異周波数間セルを識別するための要求事項
2020516148.tif 000034
テーブル8.15.2.3.3.2-1A:eDRX_CONNサイクルが使用されるときの新たに検出可能なTDD異周波数間セルを識別するための要求事項
2020516148.tif 000035
【０２４９】
セルは、以下のときに検出可能であるとみなされる。
−  項９．１．ｘ．１および項９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−１に従う
【０２５０】
ＤＲＸまたはｅＤＲＸ＿ＣＯＮＮが使用中であり、ＵＥが、３つまでのＴＤＤ異周波数間に対するＴＤＤ異周波数間毎に少なくとも４つの異周波数間セルのＲＳＲＰ測定およびＲＳＲＱ測定を行うことができ、ＵＥの物理レイヤが、測定期間Ｔｍｅａｓｕｒｅ＿ｉｎｔｅｒ＿ＵＥ  ｃａｔ  Ｍ２＿ＮＣのＲＳＲＰ測定およびＲＳＲＱ測定を高い方のレイヤにレポートすることができるとき、測定ギャップがスケジューリングされるか、ギャップがない状態でこのような測定を行う能力をＵＥがサポートする。ＤＲＸが使用中であるとき、Ｔｍｅａｓｕｒｅ＿ｉｎｔｅｒ＿ＵＥ  ｃａｔ  Ｍ２＿ＮＣは、テーブル８．１５．２．３．３．２−２において規定されるようなものであり、ｅＤＲＸ＿ＣＯＮＮが使用中であるとき、Ｔｍｅａｓｕｒｅ＿ｉｎｔｅｒ＿ＵＥ  ｃａｔ  Ｍ２＿ＮＣは、テーブル８．１５．２．３．３．２−３において規定されるようなものである。
テーブル8.15.2.3.3.2-2:TDD異周波数間セルを測定するための要求事項
2020516148.tif 000036
テーブル8.15.2.3.3.2-3:eDRX_CONNサイクルが使用されるときのTDD異周波数間セルを測定するための要求事項
2020516148.tif 000037
【０２５１】
全ての測定セルに対するＲＳＲＰ測定の精度は、従属項９．１．ｘ．１および従属項９．１．ｘ．２において指定されるようなものである。
【０２５２】
全ての測定セルに対するＲＳＲＱ測定の精度は、従属項９．１．ｘ．３において指定されるようなものである。
【０２５３】
８．１５．２．３．３．２．１  測定レポーティングの要求事項
８．１５．２．３．３．２．１．１  定期レポーティング
定期的に誘発される測定レポートに収められるレポートされるＲＳＲＰ測定およびＲＳＲＱ測定は、セクション９．１．ｘ．１およびセクション９．１．ｘ．２における要求事項を満たす。
【０２５４】
８．１５．２．３．３．２．１．２  イベント誘発の定期レポーティング
イベント誘発の定期測定レポートに収められるレポートされるＲＳＲＰ測定およびＲＳＲＱ測定は、セクション９．１．ｘ．１およびセクション９．１．ｘ．２における要求事項を満たす。
【０２５５】
イベント誘発の定期測定レポーティングにおける第１のレポートは、項８．１５．２．３．３．２．１．３において指定された要求事項を満たす。
【０２５６】
８．１５．２．３．３．２．１．３  イベント誘発のレポーティング
イベント誘発の測定レポートに収められるレポートされるＲＳＲＰ測定およびＲＳＲＱ測定は、セクション９．１．ｘ．１およびセクション９．１．ｘ．２における要求事項を満たす。
【０２５７】
ＵＥは、レポート基準が満たされない限り、いずれのイベント誘発の測定レポートも送らない。
【０２５８】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２５９】
Ｌ３フィルタリングがない状態で測定されるイベント誘発の測定レポート遅延は、項８．１５．２．３．３．２において規定されるＴｉｄｅｎｔｉｆｙ＿ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２６０】
項８．１５．２．３．３．２において規定される少なくとも時間Ｔｉｄｅｎｔｉｆｙ＿ｉｎｔｅｒ＿ＵＥ  ｃａｔ  Ｍ２＿ＮＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｅｒ＿ＵＥ  ｃａｔ  Ｍ２＿ＮＣより小さい。Ｌ３フィルタリングが使用されるか、ＩＤＣ自律拒否が設定されるとき、さらなる遅延が予期される可能性がある。
【０２６１】
８．１５．３  ＣＥモードＢであるＵＥカテゴリＭ２への要求事項
従属項８．１５．３における要求事項のＵＥカテゴリＭ２の適用は、セクション３．６において規定される。本セクションにおける要求事項は、ＣＥモードＢで設定されるＵＥカテゴリＭ２に適用可能である。項８．１５．３において規定される要求事項は、以下の条件が満たされる場合、適用される。
−  テーブル８．１．２．１−１において規定されるギャップパターンのいずれかによる測定ギャップでＵＥが設定される。
【０２６２】
８．１５．３．１  ＣＥモードＢであるＵＥカテゴリＭ２に対する複数監視のための最大許容レイヤ
ＣＥモードＡで設定されるＵＥのＵＥカテゴリＭ２は、少なくとも以下を監視することができる。
−  ＵＥの能力に応じた、２つのＦＤＤのＥ−ＵＴＲＡ異周波数間キャリア、および
−  ＵＥの能力に応じた、２つのＴＤＤのＥ−ＵＴＲＡキャリア、
【０２６３】
上記で規定された要求事項に加えて、ＵＥは、１つのサービング搬送周波数、およびＥ−ＵＴＲＡのＦＤＤ異周波数間レイヤとＥ−ＵＴＲＡのＴＤＤ異周波数間レイヤの上記で規定された組合せのいずれかを含む、合計で少なくとも５つの搬送周波数レイヤを監視することができる。
【０２６４】
８．１５．３．２  ＣＥモードＢであるＵＥカテゴリＭ２によるＥ−ＵＴＲＡＮの同一周波数内測定
ＵＥは、新しい同一周波数内セルを識別し、物理レイヤのセルアイデンティティを収める明示的な同一周波数内近隣セルのリストがない状態で、識別した同一周波数内セルのＲＳＲＰ測定およびＲＳＲＱ測定を行うことができる。ＲＲＣ＿ＣＯＮＮＥＣＴＥＤ状態の間、ＵＥは、識別した同一周波数内セルを継続的に測定し、新しい同一周波数内セルをさらに検索して識別する。
【０２６５】
８．１５．３．２．１  Ｅ−ＵＴＲＡＮのＦＤＤ同一周波数内測定
８．１５．３．２．１．１  ＤＲＸが使用されないときのＥ−ＵＴＲＡＮの同一周波数内測定
ＤＲＸが使用中でないとき、ＵＥは、追加条件テーブル８．１５．３．２．１．１−２が満たされる場合、テーブル８．１５．３．２．１．１−１における要求事項に従って、新しい検出可能なＦＤＤ同一周波数内セルを識別して測定することができる。
テーブル8.15.3.2.1.1-1:FDD同一周波数内セルに対するセル識別遅延および測定遅延についての要求事項
2020516148.tif 000038
テーブル8.15.3.2.1.1-2:FDD同一周波数内セルに対するセル識別遅延および測定遅延のためのSCH Es/Iotに対する条件
2020516148.tif 000039
Ｋｉｎｔｒａ＿Ｍ２＝１／Ｘ＊１００であり、ここで、Ｘは、ＲＲＣパラメータＴＢＤ［２］によってシグナリングされる。セルは、以下のときに検出可能であるとみなされる。
−  セクション９．１．ｘ．３およびセクション９．１．ｘ．４において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−３に従う
【０２６６】
セルの識別は、セルの検出、および測定期間Ｔｍｅａｓｕｒｅ＿ｉｎｔｒａ＿ＵＥ  ｃａｔ  Ｍ２＿ＥＣである単一の測定をさらに行うことを含む。高い方のレイヤのフィルタリングが使用される場合、さらなるセル識別遅延が予期される可能性がある。
【０２６７】
ＲＲＣ＿ＣＯＮＮＥＣＴＥＤ状態において、同一周波数内測定のための測定期間は、テーブル８．１５．３．２．１．１−１に従う。測定ギャップが有効化されると、ＵＥは、少なくとも６つのセルに対して測定を行うことができる。ＵＥが６つより多くセルを識別した場合、ＵＥは測定を行うが、ＵＥの物理レイヤから高い方のレイヤへの、セルのＲＳＲＰ測定およびＲＳＲＱ測定のレポート率は低下する可能性がある。
【０２６８】
全ての測定セルに対するＲＳＲＰ測定の精度は、従属項９．１．ｘ．３および９．１．ｘ．４において指定されるようなものである。
【０２６９】
全ての測定セルに対するＲＳＲＱ測定の精度は、従属項９．１．ｘ．５において指定されるようなものである。
【０２７０】
８．１５．３．２．１．１．１  測定レポーティングの要求事項
８．１５．３．２．１．１．１．１  定期レポーティング
定期的に誘発される測定レポートに収められるレポートされるＲＳＲＰ測定およびＲＳＲＱ測定は、セクション９．１．１７．３およびセクション９．１．ｘ．４における要求事項を満たす。
【０２７１】
８．１５．３．２．１．１．１．２  イベント誘発の定期レポーティング
イベント誘発の定期測定レポートに収められるレポートされるＲＳＲＰ測定およびＲＳＲＱ測定は、セクション９．１．ｘ．３およびセクション９．１．ｘ．４における要求事項を満たす。
【０２７２】
イベント誘発の定期測定レポーティングにおける第１のレポートは、項８．１５．３．２．１．１．１．３において指定された要求事項を満たす。
【０２７３】
８．１５．３．２．１．１．１．３  イベント誘発のレポーティング
イベント誘発の測定レポートに収められるレポートされるＲＳＲＰ測定およびＲＳＲＱ測定は、セクション９．１．ｘ．３およびセクション９．１．ｘ．４における要求事項を満たす。
【０２７４】
ＵＥは、レポート基準が満たされない限り、いずれのイベント誘発の測定レポートも送らない。
【０２７５】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２７６】
Ｌ３フィルタリングがない状態で測定されるイベント誘発の測定レポート遅延は、項８．１５．３．２．１．１において規定されるＴｉｄｅｎｔｉｆｙ  ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０２７７】
項８．１５．３．２．１．１において規定される少なくとも時間Ｔｉｄｅｎｔｉｆｙ＿ｉｎｔｒａ＿ＵＥ  ｃａｔ  Ｍ２＿ＥＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、ＴＭｅａｓｕｒｅｍｅｎｔ＿Ｐｅｒｉｏｄ＿ＵＥ  ｃａｔ  Ｍ２＿ＥＣ，  Ｉｎｔｒａより小さい。Ｌ３フィルタリングが使用されるか、ＩＤＣ自律拒否が設定されるとき、さらなる遅延が予期される可能性がある。
【０２７８】
８．１５．３．２．１．２  ＤＲＸが使用されるときのＥ−ＵＴＲＡＮの同一周波数内測定
ＤＲＸが使用中であるとき、ＵＥは、追加条件テーブル８．１５．３．２．１．２−１Ａが満たされる場合、テーブル８．１５．３．２．１．２−１において示されるようなＴｉｄｅｎｔｉｆｙ＿ｉｎｔｒａ＿ＵＥ  ｃａｔ  Ｍ２＿ＥＣの中で、新しい検出可能なＦＤＤ同一周波数内セルを識別することができる。
【０２７９】
ｅＤＲＸ＿ＣＯＮＮが使用中であるとき、ＵＥは、テーブル８．１５．３．２．１．２−１Ｂにおいて示されるようなＴｉｄｅｎｔｉｆｙ＿ｉｎｔｒａ＿ＵＥ  ｃａｔ  Ｍ２＿ＥＣの中で、新しい検出可能なＦＤＤ同一周波数内セルを識別することができる。
テーブル8.15.3.2.1.2-1:新たに検出可能なFDD同一周波数内セルを識別するための要求事項
2020516148.tif 000040
テーブル8.15.3.2.1.2-1A:新たに検出可能なFDD同一周波数内セルを識別するためのSCH Es/Iotに対する条件
2020516148.tif 000041
テーブル8.15.3.2.1.2-1B:eDRX_CONNが使用されるときの新たに検出可能なFDD同一周波数内セルを識別するための要求事項
2020516148.tif 000042
【０２８０】
セルは、以下のときに検出可能であるとみなされる。
−  セクション９．１．ｘ．３およびセクション９．１．ｘ．４において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−３に従う
【０２８１】
ＲＲＣ＿ＣＯＮＮＥＣＴＥＤ状態において、同一周波数内測定のための測定期間は、Ｔｍｅａｓｕｒｅ＿ｉｎｔｒａ＿ＵＥ  ｃａｔ  Ｍ２＿ＥＣである。ＤＲＸが使用されるとき、Ｔｍｅａｓｕｒｅ＿ｉｎｔｒａ＿ＵＥ  ｃａｔ  Ｍ２＿ＥＣは、追加条件テーブル８．１５．３．２．１．２−３が満たされる場合、テーブル８．１５．３．２．１．２−２において指定されるようなものである。ｅＤＲＸ＿ＣＯＮＮが使用されるとき、Ｔｍｅａｓｕｒｅ＿ｉｎｔｒａ＿ＵＥ  ｃａｔ  Ｍ２＿ＥＣは、テーブル８．１５．３．２．１．２−４において指定されるようなものである。ＵＥは、６つの識別した同一周波数内セルに対してＲＳＲＰ測定およびＲＳＲＱ測定を行うことができ、ＵＥの物理レイヤは、測定期間Ｔｍｅａｓｕｒｅ＿ｉｎｔｒａ＿ＵＥ  ｃａｔ  Ｍ２＿ＥＣである測定を高い方のレイヤにレポートすることができる。
テーブル8.15.3.2.1.2-2:FDD同一周波数内セルを測定するための要求事項
2020516148.tif 000043
テーブル8.15.3.2.1.2-3:FDD同一周波数内セルを測定するためのSCH Es/Iotに対する条件
2020516148.tif 000044
テーブル8.15.3.2.1.2-4:eDRX_CONNサイクルが使用されるときのFDD同一周波数内セルを測定するための要求事項
2020516148.tif 000045
【０２８２】
全ての測定セルに対するＲＳＲＰ測定の精度は、従属項９．１．ｘ．３および９．１．ｘ．４において指定されるようなものである。
【０２８３】
全ての測定セルに対するＲＳＲＱ測定の精度は、従属項９．１．ｘ．５において指定されるようなものである。
【０２８４】
８．１５．３．２．１．２．１  測定レポーティングの要求事項
８．１５．３．２．１．２．１．１  定期レポーティング
定期的に誘発される測定レポートに収められるレポートされるＲＳＲＰ測定およびＲＳＲＱ測定は、セクション９．１．ｘ．３およびセクション９．１．ｘ．４における要求事項を満たす。
【０２８５】
８．１５．３．２．１．２．１．２  イベント誘発の定期レポーティング
イベント誘発の定期測定レポートに収められるレポートされるＲＳＲＰ測定およびＲＳＲＱ測定は、セクション９．１．ｘ．３およびセクション９．１．ｘ．４における要求事項を満たす。
【０２８６】
イベント誘発の定期測定レポーティングにおける第１のレポートは、項８．１５．３．２．１．２．１．３において指定された要求事項を満たす。
【０２８７】
８．１５．３．２．１．２．１．３  イベント誘発のレポーティング
イベント誘発の測定レポートに収められるレポートされるＲＳＲＰ測定およびＲＳＲＱ測定は、セクション９．１．ｘ．３およびセクション９．１．ｘ．４における要求事項を満たす。
【０２８８】
ＵＥは、レポート基準が満たされない限り、いずれのイベント誘発の測定レポートも送らない。
【０２８９】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０２９０】
Ｌ３フィルタリングがない状態で測定されるイベント誘発の測定レポート遅延は、項８．１５．３．２．１．２において規定されるＴｉｄｅｎｔｉｆｙ＿ｉｎｔｒａ，  ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０２９１】
項８．１５．３．２．１．２において規定される少なくとも時間Ｔｉｄｅｎｔｉｆｙ＿ｉｎｔｒａ＿ＵＥ  ｃａｔ  Ｍ２＿ＥＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０２９２】
８．１５．３．２．２  ＨＤ−ＦＤＤに対するＥ−ＵＴＲＡＮの同一周波数内測定
８．１５．３．２．２．１  ＤＲＸが使用されないときのＥ−ＵＴＲＡＮの同一周波数内測定
本セクションにおける要求事項は、１つまたは複数のサポートされる周波数帯域において半二重動作をサポートするＵＥに適用可能である［２］。
【０２９３】
項８．１５．３．２．１．１において規定される要求事項は、以下の条件が満たされる場合、本セクションにも適用される。
−  ＵＥによって識別されることになる同一周波数内セルの無線フレーム毎の少なくともダウンリンクサブフレーム＃０およびダウンリンクサブフレーム＃５が、Ｔｉｄｅｎｔｉｆｙ＿ｉｎｔｒａ＿ＵＥ  ｃａｔ  Ｍ２＿ＥＣにわたってＵＥにおいて利用可能である
−  測定セルの無線フレーム毎の少なくとも２つの連続的なダウンリンクサブフレームが、測定セルがＴｍｅａｓｕｒｅ＿ｉｎｔｒａ＿ＵＥ  ｃａｔ  Ｍ２＿ＥＣにわたって識別したセルであると仮定するＲＳＲＰ測定に対してＵＥにおいて利用可能である
−  セクション９．１．ｘ．１およびセクション９．１．ｘ．２において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、付録テーブルＢ．２．１４−４に従う
【０２９４】
８．１５．３．２．２．２  ＤＲＸが使用されるときのＥ−ＵＴＲＡＮの同一周波数内測定
本セクションにおける要求事項は、１つまたは複数のサポートされる周波数帯域において半二重動作をサポートするＵＥに適用可能である［２］。
【０２９５】
ＤＲＸが使用中であるとき、ＵＥは、追加条件テーブル８．１５．３．２．２．２−１Ａが満たされる場合、テーブル８．１５．３．２．２．２−１において示されるようなＴｉｄｅｎｔｉｆｙ＿ｉｎｔｒａ＿ＵＥ  ｃａｔ  Ｍ２＿ＥＣにおいて、新しい検出可能なＨＤ−ＦＤＤ同一周波数内セルを識別することができる。
【０２９６】
ｅＤＲＸ＿ＣＯＮＮが使用中であるとき、ＵＥは、テーブル８．１５．３．２．２．２−１Ｂにおいて示されるようなＴｉｄｅｎｔｉｆｙ＿ｉｎｔｒａ＿ＵＥ  ｃａｔ  Ｍ２＿ＥＣの中で、新しい検出可能なＦＤＤ同一周波数内セルを識別することができる。
テーブル8.15.3.2.2.2-1:新たに検出可能なHD-FDD同一周波数内セルを識別するための要求事項
2020516148.tif 000046
テーブル8.15.3.2.2.2-1A:新たに検出可能なHD-FDD同一周波数内セルを識別するためのSCH Es/Iotに対する条件
2020516148.tif 000047
テーブル8.15.3.2.2.2-1B:eDRX_CONNサイクルが使用されるときの新たに検出可能なHD-FDD同一周波数内セルを識別するための要求事項
2020516148.tif 000048
【０２９７】
セルは、以下のときに検出可能であるとみなされる。
−  セクション９．１．ｘ．３およびセクション９．１．ｘ．４において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−４に従う
【０２９８】
ＲＲＣ＿ＣＯＮＮＥＣＴＥＤ状態において、同一周波数内測定のための測定期間は、Ｔｍｅａｓｕｒｅ＿ｉｎｔｒａ＿ＵＥ  ｃａｔ  Ｍ２＿ＥＣである。ＤＲＸが使用されるとき、Ｔｍｅａｓｕｒｅ＿ｉｎｔｒａ＿ＵＥ  ｃａｔ  Ｍ２＿ＥＣは、追加条件テーブル８．１５．３．２．２．２−３が満たされる場合、テーブル８．１５．３．２．２．２−２において指定されるようなものである。ｅＤＲＸ＿ＣＯＮＮサイクルが使用されるとき、Ｔｍｅａｓｕｒｅ＿ｉｎｔｒａ＿ＵＥ  ｃａｔ  Ｍ２＿ＥＣは、テーブル８．１５．３．２．２．２−４において指定されるようなものである。ＵＥは、６つの識別した同一周波数内セルに対してＲＳＲＰ測定およびＲＳＲＱ測定を行うことができ、ＵＥの物理レイヤは、測定期間Ｔｍｅａｓｕｒｅ＿ｉｎｔｒａ＿ＵＥ  ｃａｔ  Ｍ２＿ＥＣである測定を高い方のレイヤにレポートすることができる。
テーブル8.15.3.2.2.2-2:HD-FDD同一周波数内セルを測定するための要求事項
2020516148.tif 000049
テーブル8.15.3.2.2.2-3:HD-FDD同一周波数内セルを測定するためのSCH Es/Iotに対する条件
2020516148.tif 000050
テーブル8.15.3.2.2.2-4:eDRX_CONNサイクルが使用されるときのHD-FDD同一周波数内セルを測定するための要求事項
2020516148.tif 000051
【０２９９】
全ての測定セルに対するＲＳＲＰ測定の精度は、従属項９．１．ｘ．３および９．１．ｘ．４において指定されるようなものである。
【０３００】
全ての測定セルに対するＲＳＲＱ測定の精度は、従属項９．１．ｘ．５において指定されるようなものである。
【０３０１】
８．１５．３．２．２．２．１  測定レポーティングの要求事項
８．１５．３．２．２．２．１．１  定期レポーティング
定期的に誘発される測定レポートに収められるレポートされるＲＳＲＰ測定およびＲＳＲＱ測定は、セクション９．１．ｘ．３およびセクション９．１．ｘ．４における要求事項を満たす。
【０３０２】
８．１５．３．２．２．２．１．２  イベント誘発の定期レポーティング
イベント誘発の定期測定レポートに収められるレポートされるＲＳＲＰ測定およびＲＳＲＱ測定は、セクション９．１．ｘ．３およびセクション９．１．ｘ．４における要求事項を満たす。
【０３０３】
イベント誘発の定期測定レポーティングにおける第１のレポートは、項８．１５．３．２．２．２．１．３において指定された要求事項を満たす。
【０３０４】
８．１５．３．２．２．２．１．３  イベント誘発のレポーティング
イベント誘発の測定レポートに収められるレポートされるＲＳＲＰ測定およびＲＳＲＱ測定は、セクション９．１．ｘ．３およびセクション９．１．ｘ．４における要求事項を満たす。
【０３０５】
ＵＥは、レポート基準が満たされない限り、いずれのイベント誘発の測定レポートも送らない。
【０３０６】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０３０７】
Ｌ３フィルタリングがない状態で測定されるイベント誘発の測定レポート遅延は、項８．１５．３．２．２．２において規定されるＴｉｄｅｎｔｉｆｙ＿ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０３０８】
項８．１５．３．２．２．２において規定される少なくとも時間Ｔｉｄｅｎｔｉｆｙ＿ｉｎｔｒａ＿ＵＥ  ｃａｔ  Ｍ２＿ＥＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０３０９】
８．１５．３．２．３  Ｅ−ＵＴＲＡＮのＴＤＤ同一周波数内測定
８．１５．３．２．３．１  ＤＲＸが使用されないときのＥ−ＵＴＲＡＮの同一周波数内測定
ＤＲＸが使用中でないとき、ＵＥは、追加条件テーブル８．１５．３．２．３．１−２が満たされる場合、テーブル８．１５．３．２．３．１−１における要求事項に従って、新しい検出可能なＴＤＤ同一周波数内セルを識別して測定することができる。
テーブル8.15.3.2.3.1-1:TDD同一周波数内セルに対するセル識別遅延および測定遅延についての要求事項
2020516148.tif 000052
Ｋｉｎｔｒａ＿Ｍ２＝１／Ｘ＊１００であり、ここで、Ｘは、ＲＲＣパラメータＴＢＤ［２］によってシグナリングされる。
テーブル8.15.3.2.3.1-2:TDD同一周波数内セルに対するセル識別遅延および測定遅延のためのSCH Es/Iotに対する条件
2020516148.tif 000053
【０３１０】
セルは、以下のときに検出可能であるとみなされる。
−  セクション９．１．ｘ．３およびセクション９．１．ｘ．４において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−３に従う
【０３１１】
セルの識別は、セルの検出、および測定期間Ｔｍｅａｓｕｒｅ＿ｉｎｔｒａ＿ＵＥ  ｃａｔ  Ｍ２＿ＥＣである単一の測定をさらに行うことを含む。高い方のレイヤのフィルタリングが使用される場合、さらなるセル識別遅延が予期される可能性がある。
【０３１２】
ＲＲＣ＿ＣＯＮＮＥＣＴＥＤ状態において、同一周波数内測定のための測定期間は、テーブル８．１５．３．２．３．１−１に従う。測定ギャップが有効化されると、ＵＥは、少なくとも６つのセルに対して測定を行うことができる。ＵＥが６つより多くセルを識別した場合、ＵＥは測定を行うが、ＵＥの物理レイヤから高い方のレイヤへの、セルのＲＳＲＰ測定およびＲＳＲＱ測定のレポート率は低下する可能性がある。
【０３１３】
全ての測定セルに対するＲＳＲＰ測定の精度は、従属項９．１．ｘ．３および９．１．ｘ．４において指定されるようなものである。
【０３１４】
全ての測定セルに対するＲＳＲＱ測定の精度は、従属項９．１．ｘ．５において指定されるようなものである。
【０３１５】
８．１５．３．２．３．１．１  測定レポーティングの要求事項
８．１５．３．２．３．１．１．１  定期レポーティング
定期的に誘発される測定レポートに収められるレポートされるＲＳＲＰ測定およびＲＳＲＱ測定は、セクション９．１．ｘ．３およびセクション９．１．ｘ．４における要求事項を満たす。
【０３１６】
８．１５．３．２．３．１．１．２  イベント誘発の定期レポーティング
イベント誘発の定期測定レポートに収められるレポートされるＲＳＲＰ測定およびＲＳＲＱ測定は、セクション９．１．ｘ．３およびセクション９．１．ｘ．４における要求事項を満たす。
【０３１７】
イベント誘発の定期測定レポーティングにおける第１のレポートは、項８．１５．３．２．３．１．１．３において指定された要求事項を満たす。
【０３１８】
８．１５．３．２．３．１．１．３  イベント誘発のレポーティング
イベント誘発の測定レポートに収められるレポートされるＲＳＲＰ測定は、セクション９．１．ｘ．３およびセクション９．１．ｘ．４における要求事項を満たす。
【０３１９】
ＵＥは、レポート基準が満たされない限り、いずれのイベント誘発の測定レポートも送らない。
【０３２０】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０３２１】
Ｌ３フィルタリングがない状態で測定されるイベント誘発の測定レポート遅延は、項８．１５．３．２．３．１において規定されるＴｉｄｅｎｔｉｆｙ  ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０３２２】
項８．１５．３．２．３．１において規定される少なくとも時間Ｔｉｄｅｎｔｉｆｙ＿ｉｎｔｒａ＿ＵＥ  ｃａｔ  Ｍ２＿ＥＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、ＴＭｅａｓｕｒｅｍｅｎｔ＿Ｐｅｒｉｏｄ  Ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０３２３】
８．１５．３．２．３．２  ＤＲＸが使用されるときのＥ−ＵＴＲＡＮの同一周波数内測定
ＤＲＸが使用中であるとき、ＵＥは、追加条件テーブル８．１５．３．２．３．２−１Ａが満たされる場合、テーブル８．１５．３．２．３．２−１において示されるようなＴｉｄｅｎｔｉｆｙ＿ｉｎｔｒａ＿  ＵＥ  ｃａｔ  Ｍ２＿ＥＣにおいて、新しい検出可能なＴＤＤ同一周波数内セルを識別することができる。
【０３２４】
ｅＤＲＸ＿ＣＯＮＮが使用中であるとき、ＵＥは、テーブル８．１５．３．２．３．２−１Ｂにおいて示されるようなＴｉｄｅｎｔｉｆｙ＿ｉｎｔｒａ＿ＵＥ  ｃａｔ  Ｍ２＿ＥＣにおいて、新しい検出可能なＴＤＤ同一周波数内セルを識別することができる。
テーブル8.15.3.2.3.2-1:新たに検出可能なTDD同一周波数内セルを識別するための要求事項
2020516148.tif 000054
テーブル8.15.3.2.3.2-1A:新たに検出可能なTDD同一周波数内セルを識別するためのSCH Es/Iotに対する条件
2020516148.tif 000055
テーブル8.15.3.2.3.2-1B:eDRX_CONNサイクルが使用されるときの新たに検出可能なTDD同一周波数内セルを識別するための要求事項
2020516148.tif 000056
【０３２５】
セルは、以下のときに検出可能であるとみなされる。
−  項９．１．ｘ．３および項９．１．ｘ．４において示されたＲＳＲＰ関連の側面条件が、対応する帯域に対して満たされる
−  項９．１．ｘ．１において示されたＲＳＲＱ関連の側面条件が、対応する帯域に対して満たされる
−  ＳＣＨ＿ＲＰおよび
SCH Es/Iot
が、対応する帯域についての付録テーブルＢ．２．１４−３に従う
【０３２６】
ＲＲＣ＿ＣＯＮＮＥＣＴＥＤ状態において、同一周波数内測定のための測定期間は、Ｔｍｅａｓｕｒｅ＿ｉｎｔｒａ＿ＵＥ  ｃａｔ  Ｍ２＿ＥＣである。ＤＲＸが使用されるとき、Ｔｍｅａｓｕｒｅ＿ｉｎｔｒａ＿ＵＥ  ｃａｔ  Ｍ２＿ＥＣは、追加条件テーブル８．１５．３．２．３．２−３が満たされる場合、テーブル８．１５．３．２．３．２−２において示されるようなものである。ｅＤＲＸ＿ＣＯＮＮが使用されるとき、Ｔｍｅａｓｕｒｅ＿ｉｎｔｒａ＿ＵＥ  ｃａｔ  Ｍ２＿ＥＣは、テーブル８．１５．３．２．３．２−４において示されるようなものである。ＵＥは、６つの識別した同一周波数内セルに対してＲＳＲＰ測定およびＲＳＲＱ測定を行うことができ、ＵＥの物理レイヤは、測定期間Ｔｍｅａｓｕｒｅ＿ｉｎｔｒａ＿ＵＥ  ｃａｔ  Ｍ２＿ＥＣである測定を高い方のレイヤにレポートすることができる。
テーブル8.15.3.2.3.2-2:TDD同一周波数内セルを測定するための要求事項
2020516148.tif 000057
テーブル8.15.3.2.3.2-3:TDD同一周波数内セルを測定するためのSCH Es/Iotに対する条件
2020516148.tif 000058
テーブル8.15.3.2.3.2-4:eDRX_CONNサイクルが使用されるときのTDD同一周波数内セルを測定するための要求事項
2020516148.tif 000059
【０３２７】
全ての測定セルに対するＲＳＲＰ測定の精度は、従属項９．１．ｘ．３および９．１．ｘ．４において指定されるようなものである。
【０３２８】
全ての測定セルに対するＲＳＲＱ測定の精度は、従属項９．１．ｘ．５において指定されるようなものである。
【０３２９】
８．１５．３．２．３．２．１  測定レポーティングの要求事項
８．１５．３．２．３．２．１．１  定期レポーティング
定期的に誘発される測定レポートに収められるレポートされるＲＳＲＰ測定およびＲＳＲＱ測定は、セクション９．１．ｘ．３およびセクション９．１．ｘ．４における要求事項を満たす。
【０３３０】
８．１５．３．２．３．２．１．２  イベント誘発の定期レポーティング
イベント誘発の定期測定レポートに収められるレポートされるＲＳＲＰ測定およびＲＳＲＱ測定は、セクション９．１．ｘ．３およびセクション９．１．ｘ．４における要求事項を満たす。
【０３３１】
イベント誘発の定期測定レポーティングにおける第１のレポートは、項８．１５．３．２．３．２．１．３において指定された要求事項を満たす。
【０３３２】
８．１５．３．２．３．２．１．３  イベント誘発のレポーティング
イベント誘発の測定レポートに収められるレポートされるＲＳＲＰ測定およびＲＳＲＱ測定は、セクション９．１．ｘ．３およびセクション９．１．ｘ．４における要求事項を満たす。
【０３３３】
ＵＥは、レポート基準が満たされない限り、いずれのイベント誘発の測定レポートも送らない。
【０３３４】
測定レポート遅延は、測定レポートを誘発することになるイベントと、エアインターフェースを越えて測定レポートをＵＥが送信し始める時点との間の時間として規定される。本要求事項は、ＤＣＣＨ上の他のＲＲＣシグナリングによって測定レポートが遅延しないと仮定する。本測定レポート遅延は、アップリンクＤＣＣＨのＴＴＩに測定レポートを挿入するときにもたらされる遅延不確実性を除外する。遅延不確実性は、２ｘＴＴＩＤＣＣＨである。本測定レポート遅延は、ＵＥが測定レポートを送るためのＵＬリソースがないことによって引き起こされる遅延を除外する。
【０３３５】
Ｌ３フィルタリングがない状態で測定されるイベント誘発の測定レポート遅延は、項８．１５．３．２．３．２において規定されるＴｉｄｅｎｔｉｆｙ＿ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０３３６】
項８．１５．３．２．３．２において規定される少なくとも時間Ｔｉｄｅｎｔｉｆｙ＿ｉｎｔｒａ＿ＵＥ  ｃａｔ  Ｍ２＿ＥＣの間、検出可能だったセルが、期間≦５秒の間、検出不能になり、その後、セルが再び検出可能になってイベントを誘発すると、イベント誘発の測定レポート遅延は、このセルへのタイミングが±５０Ｔｓより多く変化せず、Ｌ３フィルタが使用されなかった場合、Ｔｍｅａｓｕｒｅ＿ｉｎｔｒａ＿ＵＥ  ｃａｔ  Ｍ２＿ＥＣより小さい。Ｌ３フィルタリングが使用されるか、ＩＤＣ自律拒否が設定されるとき、さらなる遅延が予期される可能性がある。
【０３３７】
追加情報（３ＧＰＰへの発明者の提案）
Ｒｅｌ−１３  ｕｎｄｅｒ  Ｒｅｌ−１３  ＷＩ  “Ｎｅｗ  ＷＩ  ｐｒｏｐｏｓａｌ  ｏｎ  Ｆｕｒｔｈｅｒ  Ｅｎｈａｎｃｅｄ  ＭＴＣ”において、異周波数間動作に対するサポートが導入される。異周波数間測定は、ｅＭＴＣの同一周波数内測定に類似の測定ギャップを必要とする。したがって、既存の測定ギャップは、同一周波数内動作と異周波数間動作との間で共有される。
【０３３８】
Ｒ４−１７０２１３６，“ＬＳ  ｏｎ  ｍｅａｓｕｒｅｍｅｎｔ  ｇａｐ  ｓｈａｒｉｎｇ  ｆｏｒ  ｆｅＭＴＣ  ｉｎｔｒａ−  ａｎｄ  ｉｎｔｅｒ−ｆｒｅｑｕｅｎｃｙ  ｍｅａｓｕｒｅｍｅｎｔ”において、ＲＡＮ４は、最後の会合において、ギャップ共有方法について論じられて合意され、ＬＳは、これに対するシグナリングサポートを開発するためにＲＡＮ２に送られた。ＣＯＮＮＥＣＴＥＤモードＣＲも、以下における本ギャップ共有方法を仮定して合意された。
・  Ｒ４−１７０２１３９，“Ｉｎｔｒｏｄｕｃｉｎｇ  ｉｎｔｒａ−ｆｒｅｑｕｅｎｃｙ  ｍｅａｓｕｒｅｍｅｎｔ  ｒｅｑｕｉｒｅｍｅｎｔｓ  ｆｏｒ  ＵＥ  ｃａｔｅｇｏｒｙ  Ｍ２  ｉｎ  ｅｎｈａｎｃｅｄ  ｃｏｖｅｒａｇｅ／ＣＥＭｏｄｅＢ”，Ｅｒｉｃｓｓｏｎ
・  Ｒ４−１７０２３４６，“Ｉｎｔｒｏｄｕｃｉｎｇ  ｉｎｔｒａ−ｆｒｅｑｕｅｎｃｙ  ｍｅａｓｕｒｅｍｅｎｔ  ｒｅｑｕｉｒｅｍｅｎｔｓ  ｆｏｒ  ＵＥ  ｃａｔｅｇｏｒｙ  Ｍ２  ｉｎ  ｎｏｒｍａｌ  ｃｏｖｅｒａｇｅ／ＣＥＭｏｄｅＡ”，Ｅｒｉｃｓｓｏｎ
・  Ｒ４−１７０２３４７，“Ｉｎｔｒｏｄｕｃｉｎｇ  ｉｎｔｅｒ−ｆｒｅｑｕｅｎｃｙ  ｍｅａｓｕｒｅｍｅｎｔ  ｒｅｑｕｉｒｅｍｅｎｔｓ  ｆｏｒ  ＵＥ  ｃａｔｅｇｏｒｙ  Ｍ２  ｉｎ  ｎｏｒｍａｌ  ｃｏｖｅｒａｇｅ／ＣＥＭｏｄｅＡ”，Ｅｒｉｃｓｓｏｎ
・  Ｒ４−１７０２３４８，“Ｉｎｔｒｏｄｕｃｉｎｇ  ｉｎｔｅｒ−ｆｒｅｑｕｅｎｃｙ  ｍｅａｓｕｒｅｍｅｎｔ  ｒｅｑｕｉｒｅｍｅｎｔｓ  ｆｏｒ  ＵＥ  ｃａｔｅｇｏｒｙ  Ｍ２  ｉｎ  ｅｎｈａｎｃｅｄ  ｃｏｖｅｒａｇｅ／ＣＥＭｏｄｅＢ”，Ｅｒｉｃｓｓｏｎ
しかし、本寄稿の中で論じられるＴＢＤを有するいくつかの値が存在する。
【０３３９】
ギャップ共有合意
合意の通りに、同一周波数内および異周波数間の要求事項は、以下のようなＫＩｎｔｒａ＿Ｍ２およびＫＩｎｔｅｒ＿Ｍ２それぞれのファクタによって現在の要求事項をスケーリングすることによって導出される。
2020516148.tif 000060
および
2020516148.tif 000061
【０３４０】
Ｘは、同一周波数内測定に対して仮定されるギャップの割合に対応し、ギャップの残りの割合（１−Ｘ）は、異周波数間測定に対して仮定される。ＴＳ３６．１３３において規定されることになる４つの異なる値をＸが有することができるということがさらに合意された。
【０３４１】
さらに、少なくとも以下をカテゴリＭ２のＵＥが監視することができるということが合意された。
−  ＦＤＤのＥ−ＵＴＲＡ異周波数間キャリア
−  ２つのＴＤＤのＥ−ＵＴＲＡ異周波数間キャリア
【０３４２】
値についての議論
同一周波数内測定は測定ギャップの少なくとも５０％、すなわちＸ＝５０を許容されるが、残りのギャップは、異周波数間キャリアの間で共有されることが可能であるというのが我々の提案である。本提案の主な動機は、同一周波数内測定（例えばサービングセル測定）が、電力制御などの様々なＲＲＭ手順に対して使用されるので、同一周波数内測定が別の周波数セルの測定より重要であるということが明らかであるというものである。このように、我々は、ギャップ共有のために、同一周波数内セル、より具体的には、サービングセルの性能がそれぞれ劣化されないことを保証したい。残りのギャップは、ＵＥの実装形態に応じて、異周波数間キャリアの間で均等または不均等に共有されることが可能である。
【０３４３】
図１１において１つの例が示され、ここで、Ｘ＝５０％であり、残りのギャップは、２つの異なる異周波数間キャリアの間で等しく共有される。
【０３４４】
Ｘの他の３つの値は、６０％、７０％、および８０％として規定されることが可能である。ギャップのこの分布は、動作可能なシナリオに応じて、ネットワークがギャップを様々に割り当てることを可能にすることになるが、これは、同一周波数内（サービングセル）測定のいくつかの最小性能を保証することになる。例えば、低信号強度で過度に拡張されたカバレッジ内に異周波数間セルがあるシナリオにおいて、ネットワークは、このセルに対してハンドオーバを行う可能性が低いので、Ｘ＝８０に設定することができる。同様に、等しいか、またはさらに強い信号強度の近隣セルがあるとき、ネットワークは、正しい時期にＵＥがハンドオーバを行うことができ、より良いカバレッジセルを再選択することによって、ネットワークがリソースを節約することにも役立てることができるように、ＵＥが近隣セルを監視できることを保証するために、Ｘ＝５０に設定することができる。
【０３４５】
要するに、Ｘ＝［５０、６０、７０、および８０］％の提案は、同一周波数内動作のいくつかの最小性能を保証することになる一方で、これは、動作可能な異周波数間のシナリオに応じて、異なるギャップを設定する自由度を与える。
【０３４６】
上記の議論に基づいて、我々は以下の提案を行う。
・  提案１：同一周波数内と異周波数間の間の合意された測定ギャップ共有方法におけるＸの値は、値［５０、６０、７０、および８０］％を有することが可能である。
【０３４７】
ＲＳＴＤ測定でのギャップ共有
ＲＳＴＤ測定の要求事項は、Ｃａｔ−Ｍ２のＵＥに対するＯＴＤＯＡ位置決定をサポートするために開発されているところである。４−１７００４１４，ＬＳｉｎ  ｏｎ  Ｒｅｌ−１４  ＦｅＭＴＣ  ＯＴＤＯＡ  ｅｎｈａｎｃｅｍｅｎｔｓ，Ｆｅｂ．２０１７において開示されたように、ＲＳＴＤ測定は、｛１．４、３、５、１０、１５、２０｝ＭＨｚ［６］を含む複数のＰＲＳ帯域幅で送信されることが可能なＰＲＳ信号に対して行われる。ＰＲＳに対して測定するためのギャップをＵＥが必要とするかどうかは、ＰＲＳの帯域幅に依存する。下記で説明されるような２つのケースがある。
１．ＰＲＳの帯域幅＝セルの帯域幅
２．ＰＲＳの帯域幅＜セルの帯域幅
図１２はケース１を示し、ここで、ＰＲＳのＢＷは、セルのＢＷと同じである。図１３はケース２を示し、ここで、ＰＲＳのＢＷは、セルのＢＷより小さい。
【０３４８】
ケース１において、ＵＥは、セルの帯域幅全体で送信されるので、ＰＲＳに対して測定するために、いずれのギャップも必要としない（図１２を参照されたい）。また、いずれのＲＳＴＤ測定でもＵＥが設定されないとき、このようなギャップは必要ない。
【０３４９】
しかし、ＵＥは、帯域幅の一定の部分の中でのみＰＲＳが送信されるケース２においてギャップを必要とする。結果としてＵＥは、ＰＲＳを測定するために、帯域幅のこの部分に再同調する必要がある。同一周波数内ＲＲＭ測定と異周波数間ＲＲＭ測定との間で共有される既存のギャップに加えて、同じギャップが、同一周波数内ＲＳＴＤ測定に対しても共有される必要がある。したがって、さらなる緩和が必要とされる可能性があり、我々は、以下のようなスケーリングファクタを使用して、既存の要求事項をスケーリングすることを提案する。
ＫＲＳＴＤ＿Ｍ２＝１／（１−ＴＧａｐ／ＴＰＲＳ）
ここで、ＴＧａｐは、テーブル８．１．２．１−１におけるＭＧＲＰによって与えられ、ＴＰＲＳは、ＰＲＳの周期である。このスケーリングは、ＴＰＲＳ＞ＴＧａｐなので、可能である。
【０３５０】
図１４は、ＲＳＴＤ測定と、同一周波数内ＲＲＭ測定と、異周波数間ＲＲＭ測定との間の既存の測定ギャップの共有を示す。同一周波数内ＲＲＭおよび異周波数間ＲＲＭの要求事項は、以下のようにスケーリングされることが可能である。
同一周波数内の要求事項について
2020516148.tif 000062
異周波数間の要求事項について
2020516148.tif 000063
・  提案２：既存の測定ギャップは、同一周波数内測定と、異周波数間測定と、ＲＳＴＤ測定との間で共有され、同一周波数内または異周波数間の要求事項だけがスケーリングファクタＫＲＳＴＤ＿Ｍ２によって緩和される一方、ＲＳＴＤ測定の要求事項は同じままである。ＫＲＳＴＤ＿Ｍ２は、ＫＲＳＴＤ＿Ｍ２＝１／（１−ＴＧａｐ／ＴＰＲＳ）として規定される。
・  提案３：同一周波数内測定および異周波数間測定に対する緩和は、ＵＥのＲＦ帯域幅とＬＴＥのシステム帯域幅が同じときのＲＳＴＤにより、必要とされない。
【０３５１】
概要
ＲＡＮ４は、同一周波数内測定と異周波数間測定との間でギャップを共有するためのギャップ共有方法について論じ、合意した。方法は、４つの異なる値を有することができるパラメータＸを収め、今のところ、これらはＴＢＤである。本寄稿において、値に対する我々の提案が行われる。Ｘは、少なくともいくつかの最小の同一周波数内（例えばサービングセル）の性能を保証できる一方で、異周波数間の動作可能なシナリオに応じて、ギャップを様々に設定するためのいくらかの自由をネットワークに与えられることが可能になるように選択されるべきである。
【図１】
2020516148.tif 000064
【図２】
2020516148.tif 000065
【図３】
2020516148.tif 000066
【図４】
2020516148.tif 000067
【図５】
2020516148.tif 000068
【図６】
2020516148.tif 000069
【図７】
2020516148.tif 000070
【図８】
2020516148.tif 000071
【図９】
2020516148.tif 000072
【図１０】
2020516148.tif 000073
【図１１】
2020516148.tif 000074
【図１２】
2020516148.tif 000075
【図１３】
2020516148.tif 000076
【図１４】
2020516148.tif 000077
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
無線デバイス（１１０）における方法（６００）であって、
第１のネットワークノード（１１５）と前記無線デバイス（１１０）との間の第１の無線インターフェースを介して、検出参照信号の第１のタイプに関する第１の設定情報を第１のネットワークノード（１１５）から受信することと、
前記第１のネットワークノードとは異なる第２のネットワークノード（１１５）と前記無線デバイス（１１０）との間の第２の無線インターフェースを介して、検出参照信号の第２のタイプに関する第２の設定情報を第２のネットワークノード（１１５）から受信することと、
前記第１の設定情報および第２の設定情報に基づいてセル識別遅延または測定遅延を判定することであって、前記セル識別遅延または測定遅延が可変である、セル識別遅延または測定遅延を判定することと、
前記第１のタイプの検出参照信号に対して少なくとも１つの第１の測定を行うことと、
第２のタイプの検出参照信号に対して少なくとも１つの第２の測定を行うことと、
前記少なくとも１つの第１の測定および前記少なくとも１つの第２の測定に基づいて１つまたは複数の動作タスクを行うことと
を含む、方法（６００）。
【請求項２】
前記１つまたは複数の動作タスクが、
前記セル識別遅延または測定遅延に応じて、前記少なくとも１つの第１の測定または前記少なくとも１つの第２の測定の結果を前記第１のネットワークノードまたは前記第２のネットワークノードにレポートすることと、
前記無線デバイスの位置を判定することと、
セル変更を行うことと、
無線リンク監視を行うことと、
受信機設定を最適化することと、
前記結果をログに記録することと
のうちの少なくとも１つを含む、請求項１に記載の方法。
【請求項３】
前記少なくとも１つの第２の測定が、前記セル識別遅延に対応する期間の中で行われるセルの識別、または前記測定遅延に対応する期間の中で行われる測定を含む、請求項１または２に記載の方法。
【請求項４】
前記セル識別遅延または測定遅延を判定することが、前記第１のタイプの前記検出参照信号のサブフレーム設定期間が閾値を超えるときに、デフォルトのセル識別遅延またはデフォルトの測定遅延を増加させることを含む、請求項１から３のいずれか一項に記載の方法。
【請求項５】
前記デフォルトのセル識別遅延を増加させることが、前記第１のタイプの前記検出参照信号に対する前記測定が、前記第２のタイプの前記検出参照信号に対する前記測定より優先度が高いときに、前記第１のタイプの前記検出参照信号に対する前記測定を行うために前記デフォルトのセル識別遅延を増加させることを含む、請求項４に記載の方法。
【請求項６】
前記第２のタイプの前記検出参照信号に対する前記測定が、前記第１の設定情報と関連付けられた測定ギャップにおいて行われる、請求項１から５のいずれか一項に記載の方法。
【請求項７】
前記第２の設定情報と関連付けられた前記測定ギャップにおいて前記第１のタイプの前記検出参照信号に対する前記測定を行う能力の指示を前記第１のネットワークノードに送信すること
をさらに含む、請求項６に記載の方法。
【請求項８】
前記第１のタイプの前記検出参照信号と関連付けられた帯域幅が、サービングキャリア上の少なくとも１つのセルの帯域幅より小さいと判定することに応答して、前記第１のタイプの前記検出参照信号に対する前記測定が、前記第２の設定情報と関連付けられた前記測定ギャップにおいて行われる、請求項６または７に記載の方法。
【請求項９】
測定ギャップ設定と検出参照信号の前記第１のタイプの設定の関数であるパラメータによって、デフォルトのセル識別遅延またはデフォルトの測定遅延を増加させることをさらに含む、請求項８に記載の方法。
【請求項１０】
前記測定ギャップ設定および検出参照信号の前記第１のタイプの前記設定が、測定ギャップ周期および検出参照信号の前記第１のタイプの周期を含む、請求項９に記載の方法。
【請求項１１】
前記第１のタイプの前記検出参照信号と関連付けられた帯域幅がサービングキャリアの帯域幅に等しいと判定することに応答して、前記第１のタイプの前記検出参照信号に対する前記少なくとも１つの第１の測定が、測定ギャップがない状態で行われる、請求項８から１０のいずれか一項に記載の方法。
【請求項１２】
前記第１のタイプの前記検出参照信号と関連付けられた帯域幅がサービングキャリア上の全てのセルの帯域幅に等しいと判定することに応答して、前記第１のタイプの前記検出参照信号に対する前記少なくとも１つの測定が、第１のセルからデータまたは制御信号を受信するために前記無線デバイスによって使用される帯域幅の中で行われる、請求項１から７のいずれか一項に記載の方法。
【請求項１３】
前記第１のタイプの前記検出参照信号が、位置決定参照信号である、請求項１から１２のいずれか一項に記載の方法。
【請求項１４】
前記セル識別遅延または測定遅延が、検出参照信号の前記第１のタイプに関するものである、請求項１から１３のいずれか一項に記載の方法。
【請求項１５】
第１のネットワークノード（１１５）と前記無線デバイス（１１０）との間の第１の無線インターフェースを介して、検出参照信号の第１のタイプに関する第１の設定情報を第１のネットワークノード（１１５）から受信することと、
前記第１のネットワークノードとは異なる第２のネットワークノード（１１５）と前記無線デバイス（１１０）との間の第２の無線インターフェースを介して、検出参照信号の第２のタイプに関する第２の設定情報を第２のネットワークノード（１１５）から受信することと、
前記第１の設定情報および第２の設定情報に基づいてセル識別遅延または測定遅延を判定することであって、前記セル識別遅延または測定遅延が可変である、セル識別遅延または測定遅延を判定することと、
前記第１のタイプの検出参照信号に対して少なくとも１つの測定を行うことと、
第２のタイプの検出参照信号に対して少なくとも１つの測定を行うことと、
前記少なくとも１つの第１の測定および前記少なくとも１つの第２の測定に基づいて１つまたは複数の動作タスクを行うことと
を行うように動作可能な処理回路（２２０）
を備える、無線デバイス（１１０）。
【請求項１６】
前記１つまたは複数の動作タスクが、
前記セル識別遅延または測定遅延に応じて、前記少なくとも１つの第１の測定または前記少なくとも１つの第２の測定の結果を前記第１のネットワークノードまたは前記第２のネットワークノードにレポートすることと、
前記無線デバイスの位置を判定することと、
セル変更を行うことと、
無線リンク監視を行うことと、
受信機設定を最適化することと、
前記結果をログに記録することと
のうちの少なくとも１つを含む、請求項１５に記載の無線デバイス。
【請求項１７】
前記少なくとも１つの第２の測定が、前記セル識別遅延に対応する期間の中で行われるセルの識別、または前記判定された測定遅延に対応する期間の中で行われる測定を含む、請求項１５または１６に記載の無線デバイス。
【請求項１８】
前記セル識別遅延または測定遅延を判定するとき、前記処理回路が、前記第１のタイプの前記検出参照信号のサブフレーム設定期間が閾値を超えるときに、デフォルトのセル識別遅延を増加させるように動作可能な、請求項１５から１７のいずれか一項に記載の無線デバイス。
【請求項１９】
前記デフォルトのセル識別遅延を増加させるとき、前記処理回路が、前記第２のタイプの前記検出参照信号に対する前記測定が、前記第１のタイプの前記検出参照信号に対する前記測定より優先度が高いときに、前記第１のタイプの前記検出参照信号に対する前記測定を行うために前記デフォルトのセル識別遅延を増加させるように動作可能な、請求項１８に記載の無線デバイス。
【請求項２０】
前記第２のタイプの前記検出参照信号に対する前記測定が、前記第１の設定情報と関連付けられた測定ギャップにおいて行われる、請求項１５から１９のいずれか一項に記載の無線デバイス。
【請求項２１】
前記処理回路が、
前記第２の設定情報と関連付けられた前記測定ギャップにおいて前記第１のタイプの前記検出参照信号に対する前記測定を行う能力の指示を前記第１のネットワークノードに送信すること
を行うように動作可能な、請求項２０に記載の無線デバイス。
【請求項２２】
前記第１のタイプの前記検出参照信号と関連付けられた帯域幅が、サービングキャリア上の少なくとも１つのセルの帯域幅より小さいと判定することに応答して、前記第１のタイプの前記検出参照信号に対する前記測定が、前記第２の設定情報と関連付けられた前記測定ギャップにおいて行われる、請求項２０または２１に記載の無線デバイス。
【請求項２３】
測定ギャップ設定と検出参照信号の前記第１のタイプの設定の関数であるパラメータによって、デフォルトのセル識別遅延またはデフォルトの測定遅延を増加させることをさらに含む、請求項２２に記載の無線デバイス。
【請求項２４】
前記測定ギャップ設定および検出参照信号の前記第１のタイプの前記設定が、測定ギャップ周期および検出参照信号の前記第１のタイプの周期を含む、請求項２３に記載の無線デバイス。
【請求項２５】
前記第１のタイプの前記検出参照信号と関連付けられた帯域幅がサービングキャリアの帯域幅に等しいと判定することに応答して、前記第１のタイプの前記検出参照信号に対する前記少なくとも１つの第１の測定が、測定ギャップがない状態で行われる、請求項２２から２４のいずれか一項に記載の無線デバイス。
【請求項２６】
前記第１のタイプの前記検出参照信号と関連付けられた帯域幅がサービングキャリア上の全てのセルの帯域幅に等しいと判定することに応答して、前記第１のタイプの前記検出参照信号に対する前記少なくとも１つの第１の測定が、第１のセルからデータまたは制御信号を受信するために前記無線デバイスによって使用される帯域幅の中で行われる、請求項１５から２５のいずれか一項に記載の無線デバイス。
【請求項２７】
検出参照信号の前記第１のタイプが、位置決定参照信号である、請求項１５から２６のいずれか一項に記載の無線デバイス。
【請求項２８】
前記セル識別遅延または測定遅延が、検出参照信号の前記第１のタイプに関するものである、請求項１５から２７のいずれか一項に記載の無線デバイス。
【国際調査報告】
2020516148.tif 000078
2020516148.tif 000079
2020516148.tif 000080